(57)【要約】  本願発明は、現在のＶ２Ｘ通信プロセスにおいて、より高い優先度を有するデータパケットのみの伝送信頼性を保証できるという問題を解決すべく、Ｖ２Ｘ通信方法、デバイス及びシステムを開示し、無線通信技術の分野に関する。上記方法は、Ｖ２Ｘデータパケットの優先度及びＶ２Ｘ通信パラメータ値の範囲の間の対応関係を端末によって取得する段階と、Ｖ２Ｘデータパケットの優先度及び対応関係に基づいて、Ｖ２ＸデータパケットのＶ２Ｘ通信パラメータ値の範囲を決定する段階と、引き続き、Ｖ２Ｘ通信パラメータ値を選択する段階と、最後に、選択したＶ２Ｘ通信パラメータ値に基づいてＶ２Ｘデータパケットを伝送する段階とを備える。上記技術的解決手段によると、端末が、Ｖ２Ｘデータパケットの優先度及びＶ２Ｘ通信パラメータ値の範囲の間の対応関係に基づいて、Ｖ２Ｘデータパケットを無線リソースで伝送する。従って、伝送リソースが不足する場合に、より低い優先度を有するデータパケットの伝送信頼性を、上記対応関係を設定することによってある程度向上させることができる。
2019530335.tif 000002
【特許請求の範囲】
【請求項１】
Ｖ２Ｘデータパケットの優先度及びＶ２Ｘ通信パラメータ値の範囲の間の対応関係を端末によって取得する段階であって、前記Ｖ２Ｘ通信パラメータが、変調及び符号化スキームＭＣＳ、伝送数、伝送電力、及び占有リソースブロックＲＢ数のうちの少なくとも１つのパラメータを有する、取得する段階と、
前記Ｖ２Ｘデータパケットの前記優先度及び前記対応関係に基づいて、前記Ｖ２Ｘデータパケットの前記優先度に対応するＶ２Ｘ通信パラメータ値の範囲を前記端末によって決定する段階と、
前記決定したＶ２Ｘ通信パラメータ値の範囲からＶ２Ｘ通信パラメータ値を前記端末によって選択する段階と、
前記選択したＶ２Ｘ通信パラメータ値に基づいて、前記Ｖ２Ｘデータパケットを前記端末によって無線リソースで伝送する段階と
を備える、
Ｖ２Ｘ通信方法。
【請求項２】
前記対応関係を端末によって取得する前記段階が、
基地局によって送信されるシステム情報ブロックＳＩＢ情報又は無線リソース制御プロトコルＲＲＣシグナリングを前記端末によって受信する段階であって、前記ＳＩＢ情報又は前記ＲＲＣシグナリングが前記対応関係を保持する、受信する段階、又は、
予め設定される対応関係を前記端末によって取得する段階、
を備える、請求項１に記載の方法。
【請求項３】
基地局から指示情報を端末によって受信する段階であって、前記指示情報は、前記端末のために前記基地局によってスケジューリングされる無線リソースを示すために用いられ、前記無線リソースはセミパーシステントスケジューリングＳＰＳ無線リソース又はダイナミックスケジューリング無線リソースを有する、受信する段階と、
第１データパケットを前記端末によって前記無線リソースで伝送する段階と、
を備える、データパケット伝送方法。
【請求項４】
前記基地局によってスケジューリングされる無線リソースを端末によって受信する前記段階の前に、前記方法は、
前記第１データパケットの前に伝送される複数のデータパケットの中で、予め設定される条件を満たすＮ個の第２データパケットを前記端末によって決定する段階であって、Ｎは０以上の正の整数である、決定する段階と、
前記Ｎ個の第２データパケットに基づいてターゲットパラメータを前記端末によって決定し、前記基地局が前記ターゲットパラメータに基づいて、前記基地局によってスケジューリングされる前記無線リソースのサイズを決定する段階であって、前記ターゲットパラメータが、前記Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有する、決定する段階と、
前記ターゲットパラメータを前記基地局へ前記端末によって送信する段階と、
を更に備える、請求項３に記載の方法。
【請求項５】
前記基地局によってスケジューリングされる無線リソースを端末によって受信する前記段階の後であって、かつ、第１データパケットを伝送する前記段階の前に、前記方法は、
前記基地局によってスケジューリングされる前記無線リソースのサイズが、前記第１データパケットにとって十分であると前記端末によって決定する段階、
を更に備える、請求項３に記載の方法。
【請求項６】
前記基地局によってスケジューリングされる前記無線リソースの前記サイズが、前記第１データパケットにとって不足すると前記端末が決定する場合に、リソース要求メッセージを前記基地局へ前記端末によって送信する段階を更に備え、
前記リソース要求メッセージが、前記基地局から無線リソースを要求するために用いられる、請求項５に記載の方法。
【請求項７】
前記基地局によってスケジューリングされる前記無線リソースは、Ｖ２Ｘ通信に用いられる無線リソースであり、前記第１データパケットはＶ２Ｘデータパケットである、請求項３から６の何れか一項に記載の方法。
【請求項８】
Ｖ２Ｘデータパケットの優先度及びＶ２Ｘ通信パラメータ値の範囲の間の対応関係を基地局によって決定する段階であって、前記Ｖ２Ｘ通信パラメータは、変調及び符号化スキームＭＣＳ、伝送数、伝送電力、及び占有リソースブロックＲＢ数のうちの少なくとも１つのパラメータを有する、決定する段階と、
前記対応関係を端末へ前記基地局によって送信する段階と、
を備える、
Ｖ２Ｘ通信方法。
【請求項９】
前記対応関係を端末へ前記基地局によって送信する前記段階が、
システム情報ブロックＳＩＢ情報又は無線リソース制御プロトコルＲＲＣシグナリングを前記端末へ前記基地局によって送信する段階を有し、
前記ＳＩＢ情報又は前記ＲＲＣシグナリングが前記対応関係を保持する、請求項８に記載の方法。
【請求項１０】
端末のために無線リソースを、基地局によってスケジューリングする段階であって、前記無線リソースがセミパーシステントスケジューリングＳＰＳ無線リソース又はダイナミックスケジューリング無線リソースを有し、前記無線リソースは前記端末が第１データパケットを伝送するのに用いられる、スケジューリングする段階と、
指示情報を前記端末へ前記基地局によって送信する段階であって、前記指示情報が前記無線リソースを示すために用いられる、送信する段階と、
を備える、
データパケット伝送方法。
【請求項１１】
無線リソースを基地局によってスケジューリングする前記段階の前に、前記方法は、
前記端末からターゲットパラメータを前記基地局によって受信する段階であって、前記ターゲットパラメータが、前記Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有し、Ｎは０以上の正の整数であり、前記Ｎ個の第２データパケットは、前記第１データパケットの前に前記端末によって伝送される複数のデータパケットの中で、予め設定される条件を満たすデータパケットである、受信する段階と、
前記ターゲットパラメータに基づいて、前記端末のためにスケジューリングされる前記無線リソースのサイズを前記基地局によって決定する段階と
を更に備える、請求項１０に記載の方法。
【請求項１２】
前記端末によって送信されるリソース要求メッセージを前記基地局によって受信する段階であって、前記リソース要求メッセージは前記基地局から無線リソースを要求するために用いられる、受信する段階と、
前記リソース要求メッセージに基づいて無線リソース指示を前記基地局によって前記端末へ送信する段階であって、前記無線リソース指示は、前記基地局が前記リソース要求メッセージを受信した後に前記端末のために前記基地局によってスケジューリングされる前記無線リソースを示すために用いられる、送信する段階と
を更に備える、請求項１１に記載の方法。
【請求項１３】
前記基地局によって決定される前記無線リソースは、Ｖ２Ｘ通信に用いられる無線リソースであり、前記第１データパケットはＶ２Ｘデータパケットである、請求項１１または１２に記載の方法。
【請求項１４】
Ｖ２Ｘデータパケットの優先度及びＶ２Ｘ通信パラメータ値の範囲の間の対応関係を取得し、前記Ｖ２Ｘデータパケットの前記優先度及び前記対応関係に基づいて、前記Ｖ２Ｘデータパケットの前記優先度に対応するＶ２Ｘ通信パラメータ値の範囲を決定し、前記決定したＶ２Ｘ通信パラメータ値の範囲からＶ２Ｘ通信パラメータ値を選択するように構成される処理ユニットであって、前記Ｖ２Ｘ通信パラメータが、変調及び符号化スキームＭＣＳ、伝送数、伝送電力、及び占有リソースブロックＲＢ数のうちの少なくとも１つのパラメータを有する、処理ユニットと、
前記選択したＶ２Ｘ通信パラメータ値に基づいて、前記Ｖ２Ｘデータパケットを無線リソースで伝送するように構成される送受信ユニットと、
を備える、
Ｖ２Ｘ通信デバイス。
【請求項１５】
前記対応関係を取得する場合に、前記処理ユニットが、
基地局によって送信され、前記送受信ユニットを用いて受信されるシステム情報ブロックＳＩＢ情報又は無線リソース制御プロトコルＲＲＣシグナリングから前記対応関係を取得するように具体的に構成され、前記ＳＩＢ情報又は前記ＲＲＣシグナリングが前記対応関係を保持するか、又は、
前記処理ユニットが、予め設定される対応関係を取得するように具体的に構成される、請求項１４に記載のデバイス。
【請求項１６】
基地局から指示情報を受信するように構成される受信ユニットであって、前記指示情報は端末のために前記基地局によってスケジューリングされる無線リソースを示すために用いられ、前記無線リソースはセミパーシステントスケジューリングＳＰＳ無線リソース又はダイナミックスケジューリング無線リソースを有する、受信ユニットと、
第１データパケットを前記無線リソースで伝送するように構成される送信ユニットと、
を備える、
データパケット伝送デバイス。
【請求項１７】
前記デバイスの処理ユニットが、前記基地局によってスケジューリングされる前記無線リソースを前記受信ユニットが受信する前に、前記第１データパケットの前に伝送される複数のデータパケットの中で、予め設定される条件を満たすＮ個の第２データパケットを決定し、前記Ｎ個の第２データパケットに基づいてターゲットパラメータを決定することで、前記基地局が前記ターゲットパラメータに基づいて、前記基地局によってスケジューリングされる前記無線リソースのサイズを決定するように構成され、Ｎは０以上の正の整数であり、
前記ターゲットパラメータが、前記Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有し、
前記送信ユニットが、前記ターゲットパラメータを前記基地局へ送信するように更に構成される、請求項１６に記載のデバイス。
【請求項１８】
前記処理ユニットは、前記基地局によってスケジューリングされる前記無線リソースを前記受信ユニットが受信する後であって、かつ、前記送信ユニットが第１データパケットを伝送する前に、前記基地局によってスケジューリングされる前記無線リソースのサイズが、前記第１データパケットにとって十分であると決定するように更に構成される、請求項１６に記載のデバイス。
【請求項１９】
前記送信ユニットは、前記基地局によってスケジューリングされる前記無線リソースの前記サイズが、前記第１データパケットにとって不足すると前記処理ユニットが決定する場合に、リソース要求メッセージを前記基地局へ送信するように更に構成され、
前記リソース要求情報が、前記基地局から無線リソースを要求するために用いられる、請求項１８に記載のデバイス。
【請求項２０】
前記基地局によってスケジューリングされる前記無線リソースは、Ｖ２Ｘ通信に用いられる無線リソースであり、前記第１データパケットはＶ２Ｘデータパケットである、請求項１６から１９の何れか一項に記載のデバイス。
【請求項２１】
Ｖ２Ｘデータパケットの優先度及びＶ２Ｘ通信パラメータ値の範囲の間の対応関係を決定するように構成される処理ユニットであって、前記Ｖ２Ｘ通信パラメータが、変調及び符号化スキームＭＣＳ、伝送数、伝送電力、及び占有リソースブロックＲＢ数のうちの少なくとも１つのパラメータを有する、処理ユニットと、
前記対応関係を端末へ送信するように構成される、送受信ユニットと、
を備える、
Ｖ２Ｘ通信基地局。
【請求項２２】
前記対応関係を前記端末へ送信する場合に、前記送受信ユニットが、
システム情報ブロックＳＩＢ情報又は無線リソース制御プロトコルＲＲＣシグナリングを前記端末へ送信するように具体的に構成され、
前記ＳＩＢ情報又は前記ＲＲＣシグナリングが前記対応関係を保持する、請求項２１に記載の基地局。
【請求項２３】
端末のために無線リソースをスケジューリングするように構成される処理ユニットであって、前記無線リソースがセミパーシステントスケジューリングＳＰＳ無線リソース又はダイナミックスケジューリング無線リソースを有し、前記無線リソースが前記端末が第１データパケットを伝送するのに用いられる、処理ユニットと、
指示情報を前記端末へ送信するように構成され、前記指示情報が前記無線リソースを示すために用いられる、送受信ユニットと、
を備える、
データパケット伝送基地局。
【請求項２４】
前記送受信ユニットは、前記処理ユニットが前記無線リソースをスケジューリングする前に、前記端末からターゲットパラメータを受信するように更に構成され、
前記ターゲットパラメータが、前記Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有し、Ｎは０以上の正の整数であり、
前記Ｎ個の第２データパケットは、前記第１データパケットの前に前記端末によって伝送される複数のデータパケットの中で、予め設定される条件を満たすデータパケットであり、
前記処理ユニットは、前記ターゲットパラメータに基づいて、前記端末のためにスケジューリングされる前記無線リソースのサイズを決定するように更に構成される、請求項２３に記載の基地局。
【請求項２５】
前記送受信ユニットが、
前記端末によって送信されるリソース要求メッセージを受信するように更に構成され、前記リソース要求メッセージが前記基地局から無線リソースを要求するために用いられ、
前記リソース要求メッセージに基づいて無線リソース指示を前記端末へ送信するように更に構成され、
前記無線リソース指示は、前記基地局が前記リソース要求メッセージを受信した後に前記端末のために前記基地局によってスケジューリングされる前記無線リソースを示すために用いられる、請求項２３に記載の基地局。
【請求項２６】
前記基地局によって決定される前記無線リソースは、Ｖ２Ｘ通信に用いられる無線リソースであり、前記第１データパケットはＶ２Ｘデータパケットである、請求項２３から２５の何れか一項に記載の基地局。
【請求項２７】
請求項１４または１５に記載のデバイスと、
請求項２１または２２に記載の基地局と
を備える、
Ｖ２Ｘ通信システム。
【請求項２８】
請求項１６から２０の何れか一項に記載のデバイスと、
請求項２３から２６の何れか一項に記載の基地局と
を備える、
データパケット伝送のための通信システム。
【発明の詳細な説明】
【技術分野】
【０００１】
本願発明は、無線通信技術の分野に関し、特に、Ｖ２Ｘ通信方法、デバイス及びシステムに関する。
【背景技術】
【０００２】
毎年、大量の交通事故が世界中で起き、多数の死傷者及び財産への大きな損害を引き起こしている。交通事故の主な原因は、自動車間での信頼できる情報を交換するメカニズムが無いことである。道路安全を向上し、輸送効率を向上し、そしてビークルツーエックス（Vehicle-to-X, V2X）通信を通じて豊富なストリーミングサービスをユーザへ提供すべく、自動車インターネットシステムが用いられる。具体的には、Ｖ２Ｘとは、Ｖ２Ｖ（Vehicle to Vehicle、自動車と自動車）、Ｖ２Ｉ（Vehicle-to-Infrastructure、自動車とインフラストラクチャ）及びＶ２Ｐ（Vehicle-to-Pedestrian、自動車と歩行者）を含む。
【０００３】
一例として図１に示すように、Ｖ２Ｖ通信を用いる場合に、自動車Ａ及び自動車Ｂの間の通信のためのＶ２Ｖデータパケットは、ＣＡＭ（協調認識メッセージ情報伝送プロトコル）タイプ、ＤＥＮＭ（Decentralized Environmental Notification Message、分散型環境通報メッセージ）タイプ及びBSM（Basic Safety Message、基本安全メッセージ）タイプ等の異なるサービスタイプのデータパケットを有する。具体的には、ＣＡＭタイプのＶ２Ｘデータパケットは、現在位置、現在の速さ及び自動車の現在の方向等の自動車の基本的移動情報を有し、ＤＥＮＭタイプのＶ２Ｘデータパケットは、緊急ブレーキ等の、自動車によって現在引き起こされている何らかの緊急状態についての情報を有する。
【０００４】
しかしながら、自動車の数量の増加及び自動車インターネットシステムでの限定された伝送リソースに起因して、道路安全を向上させるため、従来技術においては、異なるサービスタイプのデータパケットに含まれる情報が緊急状態に関して異なるので、サービスタイプと優先度との間の対応関係が、自動車インターネットシステム（自動車等）の中に予め設定される。伝送リソースが不足する場合には、リソースの取得後に、自動車は、より高い優先度を有するＶ２Ｘデータパケットを最初に伝送する。例えば、ＣＡＭタイプのＶ２Ｘデータパケットの優先度は、ＤＥＮＭタイプのＶ２Ｘデータパケットの優先度より低い。自動車ＡがＣＡＭタイプのＶ２Ｘデータパケット及びＤＥＮＭタイプのＶ２Ｘデータパケットを自動車Ｂへ送信する必要がある場合に、自動車によって取得されるリソースが、１つのデータパケットのみの伝送を許容する場合には、自動車は、ＤＥＮＭタイプのＶ２Ｘデータパケットを最初に伝送する。
【０００５】
しかしながら、従来技術における技術的解決手段によると、より高い優先度を有するＶ２Ｘデータパケットのみ伝送信頼性が保証され、より低い優先度を有するＶ２Ｘデータパケットの伝送信頼性は無視される。
【発明の概要】
【０００６】
現在のＶ２Ｘ通信プロセスにおいては、より高い優先度を有するデータパケットの伝送信頼性のみが保証可能という問題を解決すべく、本願発明は、Ｖ２Ｘ通信方法、デバイス及びシステムを提供する。
【０００７】
第１態様によると、Ｖ２Ｘ通信方法が提供される。上記Ｖ２Ｘ通信方法は、Ｖ２Ｘデータパケットの優先度及びＶ２Ｘ通信パラメータ値の範囲の間の対応関係を端末によって取得する段階と、上記Ｖ２Ｘデータパケットの上記優先度及び上記対応関係に基づいて、上記Ｖ２Ｘデータパケットの上記優先度に対応するＶ２Ｘ通信パラメータ値の範囲を決定する段階と、引き続き、上記決定したＶ２Ｘ通信パラメータ値の範囲からＶ２Ｘ通信パラメータ値を選択する段階と、最後に、上記選択したＶ２Ｘ通信パラメータ値に基づいて上記Ｖ２Ｘデータパケットを無線リソースで伝送する段階とを備える。Ｖ２Ｘ通信パラメータは、ＭＣＳ（Modulation and Coding Scheme、変調及び符号化スキーム）、伝送数、伝送電力及び占有ＲＢ数（Resource Block、リソースブロック）のうちの少なくとも１つのパラメータを有する。
【０００８】
異なる優先度は異なるＶ２Ｘ通信パラメータ値の範囲に対応し、上記異なる優先度に対応する上記Ｖ２Ｘ通信パラメータ値の範囲は互いに重複してよく、上記Ｖ２Ｘ通信パラメータ値の範囲が数値であってよく又は間隔であってよいことに留意すべきである。
【０００９】
可能な設計では、優先度及びＶ２Ｘ通信パラメータ値の範囲の間の上記対応関係が、上記端末で予め設定されてよい。上記端末が上記Ｖ２Ｘデータパケットを伝送する必要がある場合、上記端末は、伝送される必要のある上記Ｖ２Ｘデータパケットの上記優先度に基づいて事前に上記Ｖ２Ｘ通信パラメータ値の範囲を決定する。
【００１０】
加えて、可能な設計では、Ｖ２Ｘデータパケットの優先度及びＶ２Ｘ通信パラメータの間の上記対応関係を決定した後に、基地局が、優先度及びＶ２Ｘ通信パラメータの間の上記対応関係を上記端末へ送信してよい。上記端末は、優先度及び上記基地局によって送信されるＶ２Ｘ通信パラメータ値の範囲の間の上記対応関係を受信することにより、優先度及びＶ２Ｘ通信パラメータ値の範囲の間の上記対応関係を取得する。
【００１１】
任意選択的に、優先度及びＶ２Ｘ通信パラメータ値の範囲の間の上記対応関係が上記基地局で予め設定される場合、優先度及び基地局によって決定されるＶ２Ｘ通信パラメータの間の上記対応関係は、優先度及び上記基地局で予め設定されるＶ２Ｘ通信パラメータの間の上記対応関係である。或いは、優先度及びＶ２Ｘ通信パラメータ値の範囲の間の上記対応関係を生成するためのアルゴリズムが上記基地局で予め設定されている場合、上記基地局は、上記基地局で予め設定される上記アルゴリズムに基づいて、優先度及びＶ２Ｘ通信パラメータ値の範囲の間の上記対応関係を決定することを理解されたい。
【００１２】
可能な設計では、上記基地局が、ＳＩＢ（System Information Block、システム情報ブロック）情報、又は、ＲＲＣ（Radio Resource Control、無線リソース制御プロトコル）シグナリングを端末へ送信する。ここで、優先度及びＶ２Ｘ通信パラメータ値の範囲の間の上記対応関係は、上記ＳＩＢ情報又は上記ＲＲＣシグナリングを用いることで保持される。上記端末は、上記基地局によって送信される上記ＳＩＢ（System Information Block、システム情報ブロック）情報又は上記ＲＲＣ（Radio Resource Control、無線リソース制御プロトコル）シグナリングを受信することで、優先度及びＶ２Ｘ通信パラメータ値の範囲の間の上記対応関係を取得する。
【００１３】
好ましくは、伝送リソースが不足する場合に、より低い優先度を有するＶ２Ｘデータパケットの信頼できる伝送を保証すべく、上記のより低い優先度に対応するＶ２Ｘ通信パラメータ値の範囲が設定されてよく、その結果、上記のより低い優先度を有する上記Ｖ２Ｘデータパケットは、上記のより少ない伝送リソースを占有し、これにより、上記伝送リソースが不足する場合に、上記のより低い優先度を有する上記Ｖ２Ｘデータパケットの信頼性を、ある程度、向上する。加えて、より高い優先度を有するＶ２Ｘデータパケットを有するデータ伝送の精度を保証するべく、上記のより高い優先度に対応するＶ２Ｘ通信パラメータ値の範囲が設定されてよく、より多くの伝送リソースが、上記のより高い優先度に対応する上記データパケットに割り当てられ、これにより、上記のより高い優先度を有する上記Ｖ２Ｘデータパケットの精度を、ある程度、向上する。
【００１４】
加えて、本願発明の一実施形態において、上記伝送数は、ＭＡＣ（Media Access Control、メディアアクセス制御）層における上記Ｖ２Ｘデータパケットの伝送数であってよく、ここで、上記Ｖ２Ｘデータパケットは、上記ＭＡＣ層においてＰＤＵ（Packet Data Unit、パケットデータユニット）の形式で存在する。或いは、上記伝送数は、サイドリンクプロセスの伝送数であってよく、ここで、上記サイドリンクプロセスは、Ｖ２Ｘデータをサイドリンクで伝送するために用いられる。或いは、上記伝送数は、ＨＡＲＱ（Hybrid-ARQ、ハイブリッド自動再送要求）プロセスの伝送数であってよい。本願発明の本実施形態では、上記Ｖ２Ｘデータパケットが、ＨＡＲＱメカニズムに基づいて再伝送されてよいことを理解されたい。
【００１５】
本願発明の本実施形態では、上記端末は、Ｖ２Ｘデータパケットの優先度及びＶ２Ｘ通信パラメータ値の範囲の間の上記対応関係に基づいて上記Ｖ２Ｘデータパケットを無線リソースで伝送する。従って、伝送リソースが不足する場合に、上記対応関係を設定することによって、より低い優先度を有するデータパケットの伝送信頼性を、ある程度、向上することができる。
【００１６】
第２態様によると、データパケット伝送方法が提供される。  上記データパケット伝送方法は、基地局から指示情報を端末によって受信する段階であって、ここで、上記指示情報は上記基地局によってスケジューリングされる無線リソースを上記端末に示すために用いられる、受信する段階と、第１データパケットを上記無線リソースで伝送する段階であって、ここで、上記無線リソースが、ＳＰＳ（Semi-Persistent Scheduling、セミパーシステントスケジューリング）無線リソース又はダイナミックスケジューリング無線リソースを有する、伝送する段階と、を備える。
【００１７】
上記端末が、Ｋ個のデータパケットを所定期間内に伝送する必要があると仮定すると、上記基地局は、上記期間の開始時点で、上記期間内に伝送される必要のある上記Ｋ個のデータパケットに対して、無線リソースを事前にスケジューリングすることを理解されたい。上記期間内の所定の時点で、データパケットが伝送される必要がある場合に、上記データパケットは、上記基地局によってスケジューリングされる上記無線リソースで、直接伝送される。所定期間内での上記端末によるデータ伝送のために、上記基地局によってスケジューリングされる上記無線リソースは、ＳＰＳ無線リソースである。ダイナミックスケジューリング無線リソースは、上記端末がデータパケットを現在伝送する必要がある場合に、上記端末によって現在伝送される必要のあるデータパケットのために基地局によってスケジューリングされる無線リソースである。
【００１８】
本願発明の一実施形態において、上記端末は、上記基地局によってスケジューリングされるＳＰＳ無線リソース又はダイナミック無線リソースで、データパケットを伝送する。従って、上記端末によって伝送する上記データパケットの効率が向上する。
【００１９】
可能な設計では、上記端末のために上記基地局によってスケジューリングされる上記無線リソースのサイズが上記第１データパケットにとって十分である可能性を向上させるべく、上記端末が、上記第１データパケットの前に伝送される複数のデータパケットの中で、予め設定される条件を満たすＮ個の第２データパケットを決定し、上記Ｎ個の第２データパケットに基づいてターゲットパラメータを決定し、上記ターゲットパラメータを上記基地局へ送信する。その結果、上記基地局は、上記ターゲットパラメータに基づいて、上記基地局によってスケジューリングされる上記無線リソースの上記サイズを決定する。ここで、Ｎは０以上の正の整数であり、上記ターゲットパラメータが、上記Ｎ個の第２データパケットの中の最大データパケットのサイズ、上記Ｎ個の第２データパケットの中の最小データパケットのサイズ及び上記Ｎ個の第２データパケットの平均サイズのうちの少なくとも１つのパラメータを有する。
【００２０】
本願発明の本実施形態において、上記予め設定される条件とは、上記第１データパケットに最も近く、かつ、上記第１データパケットの前に伝送されるデータパケットグループであってよいことに留意すべきである。上記データパケットグループはＭ個のデータパケットを有し、ここで、Ｍは０より大きい正の整数である。例えば、上記伝送される第１データパケットは、上記端末により伝送される第７データパケットである。Ｍの値が３である場合に、上記データパケットグループは、上記端末によって伝送される第４データパケット、第５データパケット及び第６データパケットを有する。或いは、上記予め設定される条件とは、上記第１データの前に伝送される、予め設定される期間Ｔ内のデータパケットであってよい。例えば、上記予め設定される期間Ｔが１４：００から１４：２０であり、上記期間内に伝送されるデータパケットが第４データパケット及び第５データパケットを有する場合、上記第４データパケット及び上記第５データパケットは、上記予め設定される条件を満たすデータパケットである。上記期間内にデータパケットが伝送されない場合には、上記ターゲットパラメータが０に設定される。
【００２１】
上記Ｍ値又はＴ値は、上記端末で予め設定されてよい。或いは、上記基地局がＳＩＢ情報又はＲＲＣシグナリングを上記端末へ送信し、ここで、上記Ｍ値又はＴ値が、上記ＳＩＢ情報又は上記ＲＲＣシグナリングを用いて保持され、上記端末は、上記基地局によって送信される上記ＳＩＢ情報又は上記ＲＲＣシグナリングを受信することにより、上記Ｍ値又は上記Ｔ値を取得する。
【００２２】
上記端末は、伝送された過去のデータパケットに関連する情報を報告し、その結果、上記基地局は当該情報に基づいて上記無線リソースをスケジューリングすることができ、これにより、スケジューリングの精度及び効率が向上する。
【００２３】
可能な設計では、上記第１データパケットの伝送の成功の可能性を高めるべく、任意選択的に、上記基地局によってスケジューリングされた上記無線リソースを受信した後、上記端末が、最初に、上記基地局によってスケジューリングされる上記無線リソースの上記サイズが上記第１データパケットにとって十分か否かを決定する。そして、上記基地局によってスケジューリングされる上記無線リソースのサイズが第１データパケットにとって十分であると上記端末が決定する場合に、上記端末は、上記第１データパケットを上記基地局によってスケジューリングされた上記無線リソースで伝送する。或いは、上記基地局によってスケジューリングされる上記無線リソースのサイズが第１データパケットにとって不足すると上記端末が決定する場合に、上記端末は、リソース要求メッセージを上記基地局へ送信する。ここで、上記リソース要求メッセージは、上記基地局から無線リソースを要求するために用いられる。上記端末がリソース要求の送信に制限を設定する場合には、上記端末はリソース要求の送信の制限を解除し、ここで、リソース要求の送信の上記制限は、ＳＲ−Ｍａｓｋ（Scheduling Request、スケジューリング要求マスク）を含む。
【００２４】
本願発明の本実施形態では、上記リソース要求メッセージが、スケジューリング要求メッセージ又はユーザ補助情報を含んでよいことに留意すべきである。上記スケジューリング要求メッセージとは、上記端末によって上記基地局へ送信されるスケジューリング要求であり、データが端末側から送信されるべきであるが、対応するリソースが無いことを示す。上記スケジューリング要求を受信した後、上記基地局は、ユーザのための少数のリソースをスケジューリングし、その結果、上記ユーザは、当該ユーザのバッファにおけるデータ量を報告する。引き続き、上記基地局が、上記ユーザによって報告される上記バッファにおける上記データ量に基づいて、上記ユーザがデータ送信するためのより多くのリソースを、スケジューリングする。上記スケジューリング要求情報は、ＰＵＣＣＨ（Physical Uplink Control Channel、物理アップリンク制御チャネル）又はＰＲＡＣＨ（Physical Random Access Channel、物理ランダムアクセスチャネル）で伝送されてよい。上記ユーザ補助情報は、上記ユーザによって上記基地局へ報告されるユーザ関連情報であり、例えば、データパケットのデータ量、データ到着期間、データ到着時期、及び０番号が付与されるシステムフレームのオフセット等の情報である。その結果、上記基地局は、上記受信したユーザ補助情報に基づいて、上記ユーザのためにリソースをスケジューリングする。
【００２５】
可能な設計では、本願発明の本実施形態では、Ｖ２Ｘ通信をサポートする。具体的には、上記基地局によってスケジューリングされる上記無線リソースは、Ｖ２Ｘ通信に用いられる無線リソースであり、上記第１データパケットはＶ２Ｘデータパケットである。
【００２６】
第３態様によると、Ｖ２Ｘ通信方法が提供される。上記Ｖ２Ｘ通信方法は、基地局から第１リソースプール設定情報を端末によって受信する段階と、上記第１リソースプール設定情報に基づいて第１リソースプールを取得する段階と、次に、上記第１リソースプールを上記端末によって検出する段階と、検出結果に基づいて上記第１リソースプールにおける利用可能なリソースを決定する段階と、上記第１リソースプールにおける上記利用可能なリソースからＶ２Ｘ通信に用いられる無線リソースを、引き続き選択する段階と、最後に、上記選択された無線リソースでＶ２Ｘ通信を実行する段階と、を備える。
【００２７】
概して、Ｖ２Ｘ通信において、上記端末及び上記基地局の間の通信リンクの品質が比較的高い場合に、上記基地局は、上記端末のために無線リソースをスケジューリングしてよく、そして上記端末は、上記基地局によってスケジューリングされる上記無線リソースを用いることでＶ２Ｘ通信を実行してよいことに留意すべきである。上記端末及び上記基地局の間の上記通信リンクの上記品質が低下し、そして、上記通信リンクの上記品質が特定の程度にまで低下した場合、上記基地局は上記端末のために無線リソースをスケジューリングすることができない。上記端末は、上記基地局によって上記端末のために設定される共通リソースプールを検出して、Ｖ２Ｘ通信を実行すべく上記共通リソースプールから利用可能な無線リソースを取得する必要がある。しかしながら、上記基地局は上記端末のために無線リソースのスケジューリングをすることができず、上記端末は、上記基地局によって上記端末のために設定される上記共通リソースプールを検出するために、幾らかの時間を費やす必要がある。上記端末が上記期間内にＶ２Ｘ通信を実行する必要がある場合には、通信のための無線リソースが存在しないので、Ｖ２Ｘ通信を実行することができない。本願発明の一実施形態においては、上記端末及び上記基地局の間の上記通信リンクの上記品質が低下するものの、上記基地局が依然として上記端末へ無線リソースを割り当てることができる場合には、上記基地局は、上記端末のために上記第１リソースプールを設定することができ、上記端末は、上記第１リソースプールから無線リソースを取得する。上記基地局及び上記端末の間の上記通信リンクが特定の程度にまで低下し、上記端末のために無線リソースをスケジューリングすることができない場合には、上記端末は、上記第１リソースプールから取得される上記無線リソースを用いることで、Ｖ２Ｘ通信を実行することができ、これにより、ある程度、Ｖ２Ｘ通信の連続性を向上し、Ｖ２Ｘ通信サービスの遅延を減少させる。
【００２８】
可能な設計では、上記端末は、上記基地局から上記第１リソースプールの検出を開始するための指示メッセージを受信し、そして上記第１リソースプールを検出するか、又は、上記基地局への通信リンクの品質が予め設定される閾値より小さいことを決定した後に上記第１リソースプールを検出する。
【００２９】
概して、設定された第１リソースプールには、比較的少数の無線リソースが存在する。従って、上記基地局が上記端末のために無線リソースをスケジューリングすることができない程度に上記端末及び上記基地局の間の上記通信リンクの上記品質が低下した場合であって、同時に、上記端末が上記第１リソースプールから取得する上記無線リソースでＶ２Ｘ通信を実行する場合には、任意選択的に、第２リソースプールでのリソース検出が完了した後に、上記端末は、Ｖ２Ｘ通信を実行すべく、上記第２リソースプールにおける利用可能な無線リソースへ切り替える。
【００３０】
上記第２リソースプールの無線リソースは、上記第１リソースプールの無線リソースよりも多く、上記第２リソースプールは、従来技術における共通リソースプールと等しいことを理解されたい。具体的には、本願発明の本実施形態においては、上記端末が無線リソースを取得する従来の方式は変えない。上記基地局によってスケジューリングされる上記無線リソースを端末が取得することができない場合であって、かつ上記共通リソースプールの無線リソースが取得される前に、上記端末が上記第１リソースプールから取得される上記無線リソースを用いてＶ２Ｘ通信を実行することができ、これにより、Ｖ２Ｘ通信の連続性を向上する。
【００３１】
本願発明の本実施形態では、上記第１リソースプールは、或いは、共通リソースプールであってよいことに留意すべきである。
【００３２】
本願発明の本実施形態では、上記基地局は、上記端末のために上記第１リソースプールを設定し、次にＳＩＢ情報又はＲＲＣシグナリングを上記端末へ送信する。ここで、上記ＳＩＢ情報又は上記ＲＲＣシグナリングが上記第１リソースプール設定情報を保持しており、上記端末は、上記基地局によって送信される上記ＳＩＢ情報又は上記ＲＲＣシグナリングによって保持される上記第１リソースプール設定情報に基づいて、上記第１リソースプールを取得することに留意すべきである。上記基地局が、上記端末のために上記第２リソースプールを設定する場合に、上記端末が上記第２リソースプールを取得する方式は、上記端末が上記第１リソースプールを取得する方式と同様であり、詳細は、ここでは再度説明しない。
【００３３】
Ｖ２Ｘサービス及びＰ２Ｘサービスを含んだ異なるサービスのタイプが、Ｖ２Ｘ通信に含まれる。任意選択的に、上記第１リソースプール設定情報及び／又は第２リソースプール設定情報が、リソースプールのためのサービス指示情報を保持する。具体的には、上記第１リソースプール設定情報が上記リソースプールのための上記サービス指示情報を保持する場合に、上記サービス指示情報は、上記第１リソースプールが特定のサービスのタイプで用いることができるか否かを示すために用いられ、或いは、上記第２リソースプール設定情報が上記リソースプールのための上記サービス指示情報を保持する場合に、上記サービス指示情報は、上記第２リソースプールが特定のサービスのタイプで用いることができるか否かを示すために用いられる。上記リソースプールが特定のサービスのタイプで用いることができないことを上記サービス指示情報が示す場合には、当該サービスタイプは、当該リソースプールのリソースを通信に用いることができない。
【００３４】
Ｖ２Ｘ通信において、検出に基づくリソース選択メカニズム又はランダムなリソース選択メカニズムが用いられてよい。上記検出に基づくリソース選択メカニズムとは、上記端末が、ある期間中に上記リソースプールを検出した後にのみリソースプールにおける利用可能なリソースを決定することができ、そして、端末が、その次に、上記利用可能なリソースから通信のためのリソースを選択すること、を意味する。上記ランダムなリソース選択メカニズムとは、リソースプールを検出する代わりに、上記端末が、上記リソースプールからランダムにリソースを選択し、上記選択したリソースを用いて通信を実行すること、を意味する。任意選択的に、上記第１リソースプール設定情報及び／又は上記第２リソースプール設定情報は、リソースプールのためのリソース選択メカニズム指示情報を保持する。具体的には、上記第１リソースプール設定情報が、上記リソースプールのための上記リソース選択メカニズム指示情報を保持する場合に、上記リソース選択メカニズム指示情報は、上記第１リソースプールが、上記検出に基づくリソース選択メカニズムを用いるのか又は上記ランダムなリソース選択メカニズムを用いるのか、或いは、上記リソース選択メカニズムの両方が用いられ得るのか、を示すために用いられる。上記第２リソースプール設定情報が、上記リソースプールのための上記リソース選択メカニズム指示情報を保持する場合に、上記リソース選択メカニズム指示情報は、上記第２リソースプールが、上記検出に基づくリソース選択メカニズムを用いるのか又は上記ランダムなリソース選択メカニズムを用いるのか、或いは、上記リソース選択メカニズムの両方が用いられ得るのか、を示すために用いられる。上記リソース選択メカニズム指示情報が、上記リソースプールが特定のリソース選択メカニズムを用いることができないことを示す場合には、上記リソースプールを利用する端末は、リソース選択のためにそのようなリソース選択メカニズムを用いることができない。
【００３５】
第４態様によると、Ｖ２Ｘ通信方法が提供される。上記Ｖ２Ｘ通信方法は、Ｖ２Ｘデータパケットの優先度及びＶ２Ｘ通信パラメータ値の範囲の間の対応関係を基地局によって決定する段階と、上記対応関係を端末へ送信する段階とを備え、ここで、上記Ｖ２Ｘ通信パラメータは、ＭＣＳ、伝送数、伝送電力、及び占有ＲＢ数のうちの少なくとも１つのパラメータを有する。
【００３６】
可能な設計では、上記基地局は、システム情報ブロックＳＩＢ情報又は無線リソース制御プロトコルＲＲＣシグナリングを上記端末へ送信し、ここで、上記ＳＩＢ情報又は上記ＲＲＣシグナリングが、上記対応関係を保持する。
【００３７】
第５態様によると、データパケット伝送方法が提供される。上記データパケット伝送方法は、端末のために無線リソースを、基地局によってスケジューリングする段階と、指示情報を上記端末へ上記基地局によって送信する段階とを備え、ここで、上記指示情報が、上記端末のためにスケジューリングされる上記無線リソースを示すために用いられ、上記無線リソースが、セミパーシステントスケジューリングＳＰＳ無線リソース又はダイナミックスケジューリング無線リソースを備え、上記無線リソースは、上記端末が第１データパケットを伝送するのに用いられる。
【００３８】
可能な設計では、上記基地局は、上記端末からターゲットパラメータを受信し、上記ターゲットパラメータに基づいて、上記端末のためにスケジューリングされる上記無線リソースのサイズを決定し、次に上記端末のために上記無線リソースをスケジューリングする。ここで、上記ターゲットパラメータが、Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有する。ここで、Ｎは０以上の正の整数であり、上記Ｎ個の第２データパケットは、上記第１データパケットの前に上記端末によって伝送される複数のデータパケットの中で、予め設定される条件を満たすデータパケットである。
【００３９】
可能な設計では、上記基地局が、上記端末によって送信リソース要求メッセージを受信し、上記リソース要求メッセージに基づいて無線リソース指示を上記端末へ送信し、ここで、上記無線リソース指示は、上記端末によって送信される上記リソース要求メッセージを上記基地局が受信した後に、上記基地局によってスケジューリングされる上記無線リソースを上記端末へ示すために用いられ、上記リソース要求メッセージは上記基地局から無線リソースを要求するために用いられる。
【００４０】
可能な設計では、上記基地局によって決定される上記無線リソースは、Ｖ２Ｘ通信に用いられる無線リソースであり、上記第１データパケットはＶ２Ｘデータパケットである。
【００４１】
第６態様によると、Ｖ２Ｘ通信方法が提供される。上記Ｖ２Ｘ通信方法は、端末のために設定される第１リソースプールを基地局によって決定する段階と、第１リソースプール設定情報を上記端末へ送信する段階とを備える。
【００４２】
可能な設計では、上記基地局は、上記第１リソースプール設定情報を上記端末へ送信し、上記第１リソースプールの検出を開始するための指示メッセージを上記基地局へ送信する。
【００４３】
第７態様によると、Ｖ２Ｘ通信デバイスが提供される。上記Ｖ２Ｘ通信デバイスは、処理ユニット及び送受信ユニットを備える。上記処理ユニットは、Ｖ２Ｘデータパケットの優先度及びＶ２Ｘ通信パラメータ値の範囲の間の対応関係を取得し、上記Ｖ２Ｘデータパケットの上記優先度及び上記対応関係に基づいて、上記Ｖ２Ｘデータパケットの上記優先度に対応するＶ２Ｘ通信パラメータ値の範囲を決定し、上記決定したＶ２Ｘ通信パラメータ値の範囲からＶ２Ｘ通信パラメータ値を選択するように構成され、ここで、上記Ｖ２Ｘ通信パラメータが、変調及び符号化スキームＭＣＳ、伝送数、伝送電力、及び占有リソースブロックＲＢ数のうちの少なくとも１つのパラメータを有する。上記送受信ユニットは、上記選択したＶ２Ｘ通信パラメータ値に基づいて、上記Ｖ２Ｘデータパケットを無線リソースで伝送するように構成される。
【００４４】
可能な設計では、上記対応関係を取得する場合に、上記処理ユニットが、基地局によって送信され、上記送受信ユニットを用いて受信される、システム情報ブロックＳＩＢ情報又は無線リソース制御プロトコルＲＲＣシグナリングから上記対応関係を取得するように具体的に構成され、ここで、上記ＳＩＢ情報又は上記ＲＲＣシグナリングが、上記対応関係を保持する。又は、上記対応関係を取得する場合に、上記処理ユニットが、予め設定される対応関係を取得するように具体的に構成される。
【００４５】
第８態様によると、データパケット伝送デバイスが提供される。上記データパケット伝送デバイスは、送信ユニット、受信ユニット及び処理ユニットを備える。上記受信ユニットは、基地局から指示情報を受信するように構成される。ここで、上記指示情報は、上記端末のために上記基地局によってスケジューリングされる無線リソースを示すために用いられ、上記無線リソースはセミパーシステントスケジューリングＳＰＳ無線リソース又はダイナミックスケジューリング無線リソースを有する。上記送信ユニットは、上記基地局によってスケジューリングされる上記無線リソースで、第１データパケットを伝送するように構成される。
【００４６】
可能な設計では、上記処理ユニットは、上記基地局によってスケジューリングされる上記無線リソースを上記受信ユニットが受信する前に、上記第１データパケットの前に伝送される複数のデータパケットの中で、予め設定される条件を満たすＮ個の第２データパケットを決定し、そして、上記Ｎ個の第２データパケットに基づいてターゲットパラメータを決定するように構成される。その結果、上記基地局が上記ターゲットパラメータに基づいて、上記基地局によってスケジューリングされる上記無線リソースのサイズを決定する。ここで、Ｎは０以上の正の整数であり、上記ターゲットパラメータが、上記Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有する。上記送信ユニットが、上記ターゲットパラメータを上記基地局へ送信するように更に構成される。
【００４７】
可能な設計では、上記処理ユニットは、上記基地局によってスケジューリングされる上記無線リソースを上記受信ユニットが受信する後であって、かつ、上記送信ユニットが第１データパケットを伝送する前に、上記基地局によってスケジューリングされる上記無線リソースの上記サイズが、上記第１データパケットにとって十分であると決定するように更に構成される。
【００４８】
可能な設計では、上記送信ユニットは、上記基地局によってスケジューリングされる上記無線リソースの上記サイズが、上記第１データパケットにとって不足すると上記処理ユニットが決定する場合に、リソース要求メッセージを上記基地局へ送信するように更に構成され、ここで、上記リソース要求情報は、上記基地局から無線リソースを要求するために用いられる。
【００４９】
可能な設計では、上記基地局によってスケジューリングされる上記無線リソースは、Ｖ２Ｘ通信に用いられる無線リソースであり、上記第１データパケットはＶ２Ｘデータパケットである。
【００５０】
第９態様によると、Ｖ２Ｘ通信デバイスが提供される。上記Ｖ２Ｘ通信デバイスは、送受信ユニット及び処理ユニットを備える。上記送受信ユニットは、基地局から第１リソースプール設定情報を受信するように構成される。上記処理ユニットは、上記第１リソースプール設定情報に基づいて第１リソースプールを取得し、上記第１リソースプールを検出し、次に、検出結果に基づいて上記第１リソースプールにおける利用可能なリソースを決定し、上記第１リソースプールにおける上記利用可能なリソースからＶ２Ｘ通信に用いられる無線リソースを、引き続き選択するように構成される。最後に、上記送受信ユニットが、上記選択された無線リソースで、Ｖ２Ｘ通信を実行するように更に構成される。
【００５１】
可能な設計では、上記送受信ユニットは、上記基地局から上記第１リソースプールの検出を開始するための指示メッセージを受信するように更に構成され、又は、上記処理ユニットは、上記基地局への通信リンクの品質が予め設定される閾値より小さいことを決定するように更に構成される。
【００５２】
第１０態様によると、Ｖ２Ｘ通信基地局が提供される。上記Ｖ２Ｘ通信基地局は、処理ユニット及び送受信ユニットを備える。上記処理ユニットは、Ｖ２Ｘデータパケットの優先度及びＶ２Ｘ通信パラメータ値の範囲の間の対応関係を決定するように構成され、ここで、上記Ｖ２Ｘ通信パラメータが、変調及び符号化スキームＭＣＳ、伝送数、伝送電力、及び占有リソースブロックＲＢ数のうちの少なくとも１つのパラメータを有する。上記送受信ユニットは、上記対応関係を端末へ送信するように構成される。
【００５３】
可能な設計では、上記対応関係を上記端末へ送信する場合に、上記送受信ユニットが、システム情報ブロックＳＩＢ情報又は無線リソース制御プロトコルＲＲＣシグナリングを上記端末へ送信するように具体的に構成され、ここで、上記ＳＩＢ情報又は上記ＲＲＣシグナリングが、上記対応関係を保持する。
【００５４】
第１１態様によると、データパケット伝送基地局が提供される。上記データパケット伝送基地局は、処理ユニット及び送受信ユニットを備える。上記処理ユニットは、端末のために無線リソースをスケジューリングするように構成され、ここで、上記無線リソースは、セミパーシステントスケジューリングＳＰＳ無線リソース又はダイナミックスケジューリング無線リソースを有し、上記無線リソースは、上記端末が第１データパケットを伝送するのに用いられる。上記送受信ユニットは、指示情報を上記端末へ送信するように構成され、ここで、上記指示情報は、上記端末のためにスケジューリングされる上記無線リソースを示すために用いられる。
【００５５】
可能な設計では、上記送受信ユニットは、上記処理ユニットが上記無線リソースをスケジューリングする前に、上記端末からターゲットパラメータを受信するように更に構成され、ここで、上記ターゲットパラメータが、上記Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有し、ここで、Ｎは０以上の正の整数である。上記Ｎ個の第２データパケットは、上記第１データパケットの前に上記端末によって伝送される複数のデータパケットの中で、予め設定される条件を満たすデータパケットであり、上記処理ユニットは、上記ターゲットパラメータに基づいて、上記端末のためにスケジューリングされる上記無線リソースのサイズを決定するように更に構成される。
【００５６】
可能な設計では、上記送受信ユニットが、上記端末によって送信されるリソース要求メッセージを受信し、上記リソース要求メッセージに基づいて無線リソース指示を上記端末へ送信するように更に構成される。ここで、上記リソース要求メッセージは上記基地局から無線リソースを要求するために用いられ、ここで、上記無線リソース指示は、上記基地局が上記端末によって送信される上記リソース要求メッセージを受信した後に、上記基地局によってスケジューリングされる上記無線リソースを上記端末へ示すために用いられる。
【００５７】
可能な設計では、上記基地局によって決定される上記無線リソースは、Ｖ２Ｘ通信に用いられる無線リソースであり、上記第１データパケットはＶ２Ｘデータパケットである。
【００５８】
第１２態様によると、Ｖ２Ｘ通信基地局が提供される。上記Ｖ２Ｘ通信基地局は、処理ユニット及び送受信ユニットを備える。上記処理ユニットは、端末のために設定される第１リソースプールを決定するように構成される。上記送受信ユニットは、第１リソースプール設定情報を上記端末へ送信するように構成される。
【００５９】
可能な設計では、上記送受信ユニットは、上記第１リソースプールの検出を開始するための指示メッセージを、基地局へ送信するように更に構成される。
【００６０】
第１３態様によると、Ｖ２Ｘ通信システムが提供される。上記Ｖ２Ｘ通信システムは、上記第７態様における任意の可能な設計に係る上記デバイスと、上記第１０態様における任意の可能な設計に係る上記基地局と、を備える。
【００６１】
第１４態様によると、データパケット伝送のための通信システムが提供される。上記データパケット伝送のための上記通信システムは、上記第８態様における任意の可能な設計に係る上記デバイスと、上記第１１態様における任意の可能な設計に係る上記基地局と、を備える。
【００６２】
第１５態様によると、Ｖ２Ｘ通信システムが提供される。上記Ｖ２Ｘ通信システムは、上記第９態様における任意の可能な設計に係る上記デバイスと、上記第１２態様における任意の可能な設計に係る上記基地局と、を備える。
【図面の簡単な説明】
【００６３】
【図１】従来技術におけるＶ２Ｖ通信シナリオの概略図である。
【００６４】
【図２】本願発明の第１実施形態に係るＶ２Ｘ通信方法の概略フローチャートである。
【００６５】
【図３】本願発明の第２実施形態に係るデータパケット伝送方法の概略フローチャートである。
【００６６】
【図４】本願発明の第３実施形態に係るデータパケット伝送方法の概略フローチャートである
【００６７】
【図５】本願発明の第４実施形態に係るＶ２Ｘ通信方法の概略フローチャートである。
【００６８】
【図６】本願発明の一実施形態に係るＶ２Ｘ通信デバイスの概略構造図である。
【００６９】
【図７】本願発明の一実施形態に係るＶ２Ｘ通信デバイスのハードウェア構造の概略図である。
【００７０】
【図８】本願発明の一実施形態に係るＶ２Ｘ通信基地局の概略構造図である。
【００７１】
【図９】本願発明の一実施形態に係るＶ２Ｘ通信基地局のハードウェア構造の概略図である。
【００７２】
【図１０】本願発明の一実施形態に係るＶ２Ｘ通信基地局システムの概略構造図である。
【００７３】
【図１１】本願発明の一実施形態に係るデータパケット伝送デバイスの概略構造図である。
【００７４】
【図１２】本願発明の一実施形態に係るデータパケット伝送デバイスのハードウェア構造の概略図である。
【００７５】
【図１３】本願発明の一実施形態に係るデータパケット伝送基地局の概略構造図である。
【００７６】
【図１４】本願発明の一実施形態に係るデータパケット伝送基地局のハードウェア構造の概略図である。
【００７７】
【図１５】本願発明の一実施形態に係るデータパケット伝送システムの概略構造図である。
【００７８】
【図１６】本願発明の一実施形態に係るＶ２Ｘ通信デバイスの概略構造図である。
【００７９】
【図１７】本願発明の一実施形態に係るＶ２Ｘ通信デバイスのハードウェア構造の概略図である。
【００８０】
【図１８】本願発明の一実施形態に係るＶ２Ｘ通信基地局の概略構造図である。
【００８１】
【図１９】本願発明の一実施形態に係るＶ２Ｘ通信基地局のハードウェア構造の概略図である。
【００８２】
【図２０】本願発明の一実施形態に係るＶ２Ｘ通信基地局システムの概略構造図である。
【発明を実施するための形態】
【００８３】
本願発明の目的、技術的解決手段、及び利点をより明確にするべく、以下では更に、添付図面を参照して本願を詳細に説明する。
【００８４】
本願発明の第１実施形態がＶ２Ｘ通信へ適用される。本願発明の第１実施形態の端末は、また、ＵＥ（(User Equipment、ユーザ機器)、ＭＳ（Mobile Station、移動局）、モバイル端末（Mobile Terminal）等と称されてよい。任意選択的に、端末は、携帯電話、タブレットコンピュータ、ＰＤＡ（Personal Digital Assistant、携帯情報端末）、ＰＯＳ（Point of Sales、販売時点情報管理）、車載用コンピュータ、セットトップボックス等であってよい。
【００８５】
本願発明の第１実施形態では、端末は、Ｖ２Ｘデータパケットの優先度及びＶ２Ｘ通信パラメータ値の範囲の間の対応関係に基づいてＶ２Ｘデータパケットを無線リソースで伝送する。従って、伝送リソースが不足する場合に、対応関係を設定することによって、より低い優先度を有するデータパケットの伝送信頼性を、ある程度、向上することができる。
【００８６】
図２に示すように、本願発明の第１実施形態におけるＶ２Ｘ通信方法は、以下の段階を備える。
【００８７】
段階２００：端末が、Ｖ２Ｘデータパケットの優先度及びＶ２Ｘ通信パラメータ値の範囲の間の対応関係を取得する。ここで、Ｖ２Ｘ通信パラメータが、ＭＣＳ（(Modulation and Coding Scheme、変調及び符号化スキーム）、伝送数、伝送電力、及び占有ＲＢ数（Resource Block、リソースブロック）のうちの少なくとも１つのパラメータを有する。
【００８８】
具体的には、優先度及びＶ２Ｘ通信パラメータ値の範囲の間の対応関係が、端末で予め設定されてよい。
【００８９】
加えて、Ｖ２Ｘデータパケットの優先度及びＶ２Ｘ通信パラメータの間の対応関係を決定した後に、基地局が、優先度及びＶ２Ｘ通信パラメータの間の対応関係を端末へ送信してよい。端末は、優先度及び基地局によって送信されたＶ２Ｘ通信パラメータ値の範囲の間の対応関係を受信することにより、優先度及びＶ２Ｘ通信パラメータ値の範囲の間の対応関係を取得する。
【００９０】
任意選択的に、優先度及びＶ２Ｘ通信パラメータ値の範囲の間の対応関係が基地局で予め設定される場合、優先度及び基地局によって決定されるＶ２Ｘ通信パラメータの間の対応関係は、優先度及び基地局で予め設定されるＶ２Ｘ通信パラメータの間の対応関係である。或いは、優先度及びＶ２Ｘ通信パラメータ値の範囲の間の対応関係を生成するためのアルゴリズムが基地局に予め設定されている場合、基地局は、基地局で予め設定されるアルゴリズムに基づいて、優先度及びＶ２Ｘ通信パラメータ値の範囲の間の対応関係を決定することを理解されたい。
【００９１】
基地局によって上記対応関係を端末へ送信する段階を容易にすべく、任意選択的に、基地局が、ＳＩＢ情報又はＲＲＣシグナリングを端末へ送信する。ここで、優先度及びＶ２Ｘ通信パラメータ値の範囲の間の対応関係は、ＳＩＢ情報又はＲＲＣシグナリングを用いることで保持され、端末は、基地局によって送信されるＳＩＢ情報又はＲＲＣシグナリングを受信することで、優先度及びＶ２Ｘ通信パラメータ値の範囲の間の対応関係を取得する。
【００９２】
段階２０１：端末が、Ｖ２Ｘデータパケットの優先度及び対応関係に基づいて、Ｖ２Ｘデータパケットの優先度に対応するＶ２Ｘ通信パラメータ値の範囲を決定する。
【００９３】
段階２０２：端末が、決定したＶ２Ｘ通信パラメータ値の範囲から、Ｖ２Ｘ通信パラメータ値を選択する。
【００９４】
段階２０３：端末が、選択したＶ２Ｘ通信パラメータ値に基づいて、Ｖ２Ｘデータパケットを無線リソースで伝送する。
【００９５】
異なる優先度は異なるＶ２Ｘ通信パラメータ値の範囲に対応し、異なる優先度に対応するＶ２Ｘ通信パラメータ値の範囲は互いに重複してよく、Ｖ２Ｘ通信パラメータ値の範囲が数値であってよく又は間隔であってよいことに留意すべきである。例えば、端末によって伝送されるＶ２Ｘデータパケットには、３つの優先度を有するＶ２Ｘデータパケットが存在する。具体的には、３つの優先度は、それぞれ、第１優先度、第２優先度、第３優先度であり、第１優先度を有するＶ２Ｘデータパケットの優先度が最も高く、第３優先度を有するＶ２Ｘデータパケットの優先度が最も低い。Ｖ２Ｘ通信パラメータがＭＣＳ、伝送数及び占有ＲＢ数を有する場合に、第１優先度に対応するＭＣＳ値の範囲は３から７であり、第１優先度に対応する伝送数は５から８であり、第１優先度に対応する占有ＲＢ数は１０から１６である。第２優先度に対応するＭＣＳ値の範囲は１から３であり、第２優先度に対応する伝送数は２から５であり、第２優先度に対応する占有ＲＢ数は４から１０である。第３優先度に対応するＭＣＳ値の範囲は０又は１であり、第３優先度に対応する伝送数は１であり、第３優先度に対応する占有ＲＢ数は２である。
【００９６】
具体的には、Ｖ２Ｘデータパケット優先度及びＶ２Ｘ通信パラメータ値の範囲の間の対応関係は、表１に示される。
【表１】
2019530335.tif 000003
【００９７】
現在伝送される必要があるＶ２Ｘデータパケットは、第１優先度を有するデータパケットであると端末が決定し、選択されるＭＣＳは５であり、伝送数は４である場合を仮定すると、現在伝送される必要があるＶ２Ｘデータパケットのサイズは固定されるので、Ｖ２Ｘデータパケットの伝送のために占有される必要のあるＲＢ数は、選択されたＭＣＳの値及び伝送数の値に基づいて決定することができ、決定される占有ＲＢ数の値は、Ｖ２ＸパラメータにおけるＲＢ数によって制約される。
【００９８】
好ましくは、伝送リソースが不足する場合に、より低い優先度を有するＶ２Ｘデータパケットの信頼できる伝送を保証すべく、より低い優先度に対応するＶ２Ｘ通信パラメータ値の範囲が設定されてよい。その結果、より低い優先度を有するＶ２Ｘデータパケットは、より少ない伝送リソースを占有し、これにより、伝送リソースが不足する場合に、より低い優先度を有するＶ２Ｘデータパケットの信頼性を、ある程度、向上する。加えて、より高い優先度を有するＶ２Ｘデータパケットを有するデータ伝送の精度を保証するべく、より高い優先度に対応するＶ２Ｘ通信パラメータ値の範囲が設定されてよく、より多くの伝送リソースが、より高い優先度に対応するデータパケットに割り当てられ、これにより、より高い優先度を有するＶ２Ｘデータパケットの精度を、ある程度、向上する。
【００９９】
加えて、本願発明の第１実施形態において、伝送数は、ＭＡＣ（Media Access Control、メディアアクセス制御）層におけるＶ２Ｘデータパケットの伝送数であってよい。ここで、Ｖ２Ｘデータパケットは、ＭＡＣ層においてＰＤＵ（Packet Data Unit、パケットデータユニット）の形式で存在する。或いは、伝送数は、サイドリンクプロセスの伝送数であってよく、ここで、サイドリンクプロセスは、Ｖ２Ｘデータをサイドリンクで伝送するために用いられる。或いは、伝送数は、ＨＡＲＱプロセスの伝送数であってよい。本願発明の本実施形態では、Ｖ２Ｘデータパケットが、ＨＡＲＱメカニズムに基づいて再伝送されてよいことを理解されたい。
【０１００】
本願発明の第２実施形態が無線通信へ適用される。本願発明の第２実施形態の端末は、また、ＵＥ、ＭＳ、モバイル端末等と称されてよい。任意選択的に端末は、携帯電話、タブレットコンピュータ、ＰＤＡ、ＰＯＳ、車載用コンピュータ、セットトップボックス等であってよい。
【０１０１】
本願発明の第２実施形態では、端末は、基地局によってスケジューリングされるＳＰＳ無線リソース又はダイナミック無線リソースで、データパケットを伝送する。従って、端末によって伝送するデータパケットの効率が向上する。本願発明の実効利益は以下のとおりである。端末は、伝送された過去のデータパケットに関連する情報を報告し、その結果、基地局は当該情報に基づいて無線リソースをスケジューリングすることができ、これにより、スケジューリングの精度及び効率が向上する。
【０１０２】
以下では、無線通信がＶ２Ｘ通信である例を用いて詳細な説明を提供する。複数の無線通信が、別のタイプの無線通信である場合、説明はＶ２Ｘ通信に対するものと同様であるので、詳細はここでは再度説明しない。
【０１０３】
図３に示すように、本願発明の第２実施形態におけるデータパケット伝送方法は、以下の段階を備える。
【０１０４】
段階３００：基地局が、端末のために無線リソースをスケジューリングする。ここで、無線リソースは、ＳＰＳ無線リソース又はダイナミックスケジューリング無線リソースを有し、無線リソースは、端末が第１データパケットを伝送するのに用いられる。
【０１０５】
端末が、Ｋ個のデータパケットを所定期間内に伝送する必要があると仮定すると、基地局は、期間の開始時点で、期間内に伝送される必要のあるＫ個のデータパケットに対して、無線リソースを事前にスケジューリングすることを理解されたい。期間内の所定の時点で、データパケットが伝送される必要がある場合に、データパケットは、基地局によってスケジューリングされる無線リソースで、直接伝送される。所定期間内での端末によるデータ伝送のために、基地局によってスケジューリングされる無線リソースは、ＳＰＳ無線リソースである。ダイナミックスケジューリング無線リソースは、端末がデータパケットを現在伝送する必要がある場合に、端末によって現在伝送される必要のあるデータパケットのために基地局によってスケジューリングされる無線リソースである。
【０１０６】
端末のために基地局によってスケジューリングされる無線リソースのサイズが第１データパケットにとって十分である可能性を向上させるべく、端末は、任意選択的に、第１データパケットの前に伝送される複数のデータパケットの中で、予め設定される条件を満たすＮ個の第２データパケットを決定し、Ｎ個の第２データパケットに基づいてターゲットパラメータを決定し、ターゲットパラメータを基地局へ送信する。その結果、基地局は、ターゲットパラメータに基づいて、基地局によってスケジューリングされる無線リソースのサイズを決定する。ここで、Ｎは０以上の正の整数であり、ターゲットパラメータが、Ｎ個の第２データパケットの中の最大データパケットのサイズ、Ｎ個の第２データパケットの中の最小データパケットのサイズ、及びＮ個の第２データパケットの平均サイズのうちの少なくとも１つのパラメータを有する。
【０１０７】
本願発明の第２実施形態において、予め設定される条件とは、第１データパケットに最も近く、かつ、第１データパケットの前に伝送されるデータパケットグループであってよいことに留意すべきである。データパケットグループはＭ個のデータパケットを有し、ここで、Ｍは０より大きい正の整数である。例えば、伝送される第１データパケットは、端末により伝送される第７データパケットである。Ｍの値が２である場合に、データパケットグループは、端末によって伝送される第５データパケット及び第６データパケットを有する。或いは、予め設定される条件とは、第１データの前に伝送される、予め設定される期間Ｔ内のデータパケットであってよい。例えば、予め設定される期間Ｔが１５：００から１５：１０であり、この期間内に伝送されるデータパケットが第６データパケット及び第７データパケットを有する場合に、第６データパケット及び第７データパケットは、予め設定される条件を満たすデータパケットである。期間内にデータパケットが伝送されない場合には、ターゲットパラメータが０に設定される。
【０１０８】
Ｍ値又はＴ値は、端末で予め設定されてよく、或いは、基地局がＳＩＢ情報又はＲＲＣシグナリングを端末へ送信する。ここで、Ｍ値又はＴ値は、ＳＩＢ情報又はＲＲＣシグナリングを用いて保持され、端末は、基地局によって送信されるＳＩＢ情報又はＲＲＣシグナリングを受信することにより、Ｍ値又はＴ値を取得する。
【０１０９】
段階３０１：基地局が、端末へ指示情報を送信する。ここで、指示情報は無線リソースを示すために用いられる。
【０１１０】
段階３０２：端末が、基地局によって送信される指示情報を受信する。
【０１１１】
第１データパケットの伝送の成功の可能性を高めるべく、任意選択的に、基地局によってスケジューリングされた無線リソースを受信した後、端末が、最初に、基地局によってスケジューリングされる無線リソースのサイズが第１データパケットにとって十分か否かを決定する。次に、基地局によってスケジューリングされる無線リソースのサイズが第１データパケットにとって十分であると端末が決定する場合に、端末が、第１データパケットを基地局によってスケジューリングされた無線リソースで伝送する。或いは、基地局によってスケジューリングされる無線リソースのサイズが第１データパケットにとって不足すると端末が決定する場合に、端末は、リソース要求メッセージを基地局へ送信する。ここで、リソース要求情報は、基地局から無線リソースを要求するために用いられる。端末がリソース要求の送信に制限を設定する場合には、端末はリソース要求の送信における制限を解除する。ここで、リソース要求の送信に制限は、ＳＲ−Ｍａｓｋを含む。
【０１１２】
本願発明の本実施形態では、リソース要求メッセージが、スケジューリング要求メッセージ又はユーザ補助情報を含んでよいことに留意すべきである。スケジューリング要求メッセージとは、端末によって基地局へ送信されるスケジューリング要求であり、データが端末側から送信されるべきであるが、対応するリソースが無いことを示す。スケジューリング要求を受信した後、基地局は、ユーザのための少数のリソースをスケジューリングする。その結果、ユーザは、当該ユーザのバッファにおけるデータ量を報告する。引き続き、基地局が、ユーザによって報告されるバッファにおけるデータ量に基づいて、ユーザがデータ送信するためのより多くのリソースをスケジューリングする。スケジューリング要求情報は、ＰＵＣＣＨ又はＰＲＡＣＨで伝送されてよい。ユーザ補助情報は、ユーザによって基地局へ報告されるユーザ関連情報であり、例えば、データパケットのデータ量、データ到着期間、データ到着時期、及び、０番号が付与されるシステムフレームのオフセット等の情報である。その結果、基地局は、受信したユーザ補助情報に基づいて、ユーザのためにリソースをスケジューリングする。
【０１１３】
段階３０３：端末が、指示情報によって示される無線リソースで、第１データパケットを伝送する。
【０１１４】
任意選択的に、本願発明の第２実施形態では、Ｖ２Ｘ通信をサポートする。具体的には、基地局によってスケジューリングされる無線リソースはＶ２Ｘ通信に用いられる無線リソースであり、第１データパケットはＶ２Ｘデータパケットである。
【０１１５】
図４に示すように、本願発明の第３実施形態におけるデータパケット伝送方法は、以下の段階を備える。
【０１１６】
段階４００：第１データパケットが伝送される必要があると決定する場合に、端末は、第１データパケットの前に伝送される複数のデータパケットの中で、予め設定される条件を満たすＮ個の第２データパケットを決定する。ここで、Ｎは０以上の正の整数である。
【０１１７】
予め設定される条件とは、第１データパケットに最も近く、かつ、第１データパケットの前に伝送されるデータパケットグループであってよいことに留意すべきである。データパケットグループはＭ個のデータパケットを有し、ここで、Ｍは０より大きい正の整数である。例えば、伝送される第１データパケットは、端末により伝送される第７データパケットである。Ｍの値が３である場合に、データパケットグループは、端末によって伝送される第４データパケット、第５データパケット及び第６データパケットを有する。或いは、予め設定される条件とは、第１データの前に伝送される、予め設定される期間Ｔ内のデータパケットであってよい。例えば、予め設定される期間が１４：００から１４：２０であり、この期間内に伝送されるデータパケットが第４データパケット及び第５データパケットを有する場合、第４データパケット及び第５データパケットは、予め設定される条件を満たすデータパケットである。期間内にデータパケットが伝送されない場合には、ターゲットパラメータが０に設定される。
【０１１８】
Ｍ値又はＴ値は、端末で予め設定されてよく、或いは、基地局が、ＳＩＢ情報又はＲＲＣシグナリングを端末へ送信する。ここで、Ｍ値又はＴ値が、ＳＩＢ情報又はＲＲＣシグナリングを用いて保持され、端末は、基地局によって送信されるＳＩＢ情報又はＲＲＣシグナリングを受信することにより、Ｍ値又はＴ値を取得する。
【０１１９】
段階４０１：端末が、Ｎ個の第２データパケットに基づいてターゲットパラメータを決定する。ここで、ターゲットパラメータが、Ｎ個の第２データパケットの中の最大データパケットのサイズ、Ｎ個の第２データパケットの中の最小データパケットのサイズ、及びＮ個の第２データパケットの平均サイズのうちの少なくとも１つのパラメータを有する。
【０１２０】
段階４０２：端末が、ターゲットパラメータを基地局へ送信する。
【０１２１】
段階４０３：基地局が、ターゲットパラメータを受信し、ターゲットパラメータに基づいて端末のために無線リソースをスケジューリングする。ここで、無線リソースは、ＳＰＳ無線リソース又はダイナミックスケジューリング無線リソースを有し、無線リソースは、端末が第１データパケットを伝送するのに用いられる。
【０１２２】
段階４０４：基地局が、端末へ指示情報を送信する。ここで、指示情報は無線リソースを示すために用いられる。
【０１２３】
段階４０５：端末が、基地局によって送信される指示情報を受信する。
【０１２４】
段階４０６：端末が、指示情報によって示される無線リソースが第１データパケットにとって十分か否かを決定する。指示情報によって示される無線リソースが第１データパケットにとって十分である場合には、段階４０７を実行する。指示情報によって示される無線リソースが第１データパケットにとって不足する場合には、段階４０８を実行する。
【０１２５】
段階４０７：端末が、指示情報によって示される無線リソースで、第１データパケットを伝送する。
【０１２６】
段階４０８：端末が、リソース要求メッセージを基地局へ送信する。ここで、リソース要求情報は、基地局から無線リソースを要求するために用いられる。
【０１２７】
リソース要求メッセージが、スケジューリング要求メッセージ又はユーザ補助情報を含んでよいことに留意すべきである。スケジューリング要求メッセージとは、端末によって基地局へ送信されるスケジューリング要求であり、データが端末側から送信されるべきであるが、対応するリソースが無いことを示す。スケジューリング要求を受信した後、基地局は、ユーザのための少数のリソースをスケジューリングし、その結果、ユーザは、当該ユーザのバッファにおけるデータ量を報告する。引き続き、基地局が、ユーザによって報告されるバッファにおけるデータ量に基づいて、ユーザがデータ送信するためのより多くのリソースをスケジューリングする。スケジューリング要求情報は、ＰＵＣＣＨ又はＰＲＡＣＨで伝送されてよい。ユーザ補助情報は、ユーザによって基地局へ報告されるユーザ関連情報であり、例えば、データパケットのデータ量、データ到着期間、データ到着時期、及び、０番号が付与されたシステムフレームのオフセット等の情報であり、その結果、基地局は、受信したユーザ補助情報に基づいて、ユーザのためにリソースをスケジューリングする。
【０１２８】
段階４０９：基地局が、端末によって送信されるリソース要求メッセージを受信し、リソース要求メッセージに基づいて無線リソース指示を端末へ送信する。ここで、無線リソース指示は、端末によって送信されるリソース要求メッセージを基地局が受信した後に、基地局によってスケジューリングされる無線リソースを上記端末へ示すために用いられる。
【０１２９】
本願発明の第２実施形態及び第３実施形態では、第１データパケット及び第２データパケットは、Ｖ２Ｘデータパケットであり、端末のために基地局によってスケジューリングされる無線通信リソースは、Ｖ２Ｘ通信に用いられる無線リソースである。
【０１３０】
本願発明の第４実施形態がＶ２Ｘ通信へ適用され、本願発明の第１実施形態の端末が、また、ＵＥ、ＭＳ、モバイル端末等と称されてよい。任意選択的に、端末は、携帯電話、タブレットコンピュータ、ＰＤＡ、ＰＯＳ、車載用コンピュータ、セットトップボックス等であってよい。
【０１３１】
基地局によってスケジューリングされる無線リソースを端末が取得することができない場合であって、かつ共通リソースプールの無線リソースが取得される前に、端末が第１リソースプールから取得される無線リソースを用いてＶ２Ｘ通信を実行することができ、これにより、Ｖ２Ｘ通信の連続性を向上する。
【０１３２】
図５に示すように、本願発明の第４実施形態におけるＶ２Ｘ通信方法は、以下の段階を備える。
【０１３３】
段階５００：基地局が、端末のために設定される第１リソースプールを決定する。
【０１３４】
段階５０１：基地局が、第１リソースプール設定情報を端末へ送信する。
【０１３５】
段階５０２：端末が、基地局から第１リソースプール設定情報を受信する。
【０１３６】
段階５０３：端末が、第１リソースプール設定情報に基づいて第１リソースプールを取得する。
【０１３７】
段階５０４：端末が、第１リソースプールを検出し、検出結果に基づいて第１リソースプールにおける利用可能なリソースを決定する。
【０１３８】
任意選択的に、基地局が、第１リソースプールの検出を開始するための指示メッセージを端末へ送信する。端末は、第１リソースプールの検出を開始するための指示メッセージを基地局から受信し、そして、第１リソースプールを検出する。或いは、基地局への通信リンクの品質が予め設定される閾値より小さいことを決定した後に、端末は、第１リソースプールを検出する。
【０１３９】
端末への通信リンクの品質が、予め設定される閾値より小さいことを検出する場合に、基地局は、第１リソースプールの検出を開始するための指示メッセージを端末へ送信してよいことに留意すべきである。
【０１４０】
段階５０５：端末が、第１リソースプールにおける利用可能なリソースから、Ｖ２Ｘ通信に用いられる無線リソースを選択する。
【０１４１】
段階５０６：端末が、選択された無線リソースで、Ｖ２Ｘ通信を実行する。
【０１４２】
任意選択的に、端末が、第２リソースプールでのリソース検出を完了した後に、端末は、Ｖ２Ｘ通信を実行すべく、第２リソースプールにおける利用可能な無線リソースへ切り替える。
【０１４３】
好ましくは、第２リソースプールの無線リソースは、第１リソースプールの無線リソースよりも多い。
【０１４４】
概して、Ｖ２Ｘ通信において、端末及び基地局の間の通信リンクの品質が比較的高い場合に、基地局は、端末のために無線リソースをスケジューリングしてよく、そして端末は、基地局によってスケジューリングされる無線リソースを用いることでＶ２Ｘ通信を実行してよいことに留意すべきである。端末及び基地局の間の通信リンクの品質が低下し、そして、通信リンクの品質が特定の程度にまで低下した場合、基地局は端末のために無線リソースをスケジューリングすることができず、端末は、基地局によって端末のために設定される共通リソースプールを検出して、Ｖ２Ｘ通信を実行すべく共通リソースプールから利用可能な無線リソースを取得する必要がある。しかしながら、基地局は端末のために無線リソースのスケジューリングをすることができず、端末は、基地局によって端末のために設定される共通リソースプールを検出するために幾らかの時間を費やす必要がある。端末が期間内にＶ２Ｘ通信を実行する必要がある場合には、通信のための無線リソースが存在しないので、Ｖ２Ｘ通信を実行することができない。本願発明の一実施形態においては、端末及び基地局の間の通信リンクの品質が低下するものの、基地局が依然として端末へ無線リソースを割り当てることができる場合には、基地局は、端末のために第１リソースプールを設定することができ、端末は、第１リソースプールから無線リソースを取得する。基地局及び端末の間の通信リンクが特定の程度にまで低下し、端末のために無線リソースをスケジューリングすることができない場合には、端末は、第１リソースプールから取得される無線リソースを用いることで、Ｖ２Ｘ通信を実行することができ、これにより、ある程度、Ｖ２Ｘ通信の連続性を向上し、Ｖ２Ｘ通信サービスの遅延を減少させる。
【０１４５】
従って、基地局は、基地局及び端末の間の通信リンクが完全に切断される前に、端末のために第１リソースプールを設定する必要があり、そして、端末は、基地局及び端末の間の通信リンクが完全に切断される前に、第１リソースプールから利用可能な無線リソースを取得する。
【０１４６】
概して、設定された第１リソースプールには、比較的少数の無線リソースが存在する。従って、基地局が端末のために無線リソースをスケジューリングすることができない程度に端末及び基地局の間の通信リンクの品質が低下した場合であって、同時に、端末が第１リソースプールから取得する無線リソースでＶ２Ｘ通信を実行する場合には、任意選択的に、第２リソースプールでのリソース検出が完了した後に、端末は、Ｖ２Ｘ通信を実行すべく、第２リソースプールにおける利用可能な無線リソースへ切り替える。
【０１４７】
第２リソースプールの無線リソースは、第１リソースプールの無線リソースよりも多く、第２リソースプールは、従来技術における共通リソースプールと等しいことを理解されたい。具体的には、本願発明の第４実施形態においては、端末が無線リソースを取得する従来の方式は変えない。基地局によってスケジューリングされる無線リソースを端末が取得することができない場合であって、かつ共通リソースプールの無線リソースが取得される前に、端末は、第１リソースプールから取得される無線リソースを用いてＶ２Ｘ通信を実行することができ、これにより、Ｖ２Ｘ通信の連続性を向上する。
【０１４８】
本願発明の第４実施形態では、第１リソースプールは、或いは、共通リソースプールであってよいことに留意すべきである。
【０１４９】
本願発明の本実施形態では、基地局は、端末のために第１リソースプールを設定し、次にＳＩＢ情報又はＲＲＣシグナリングを端末へ送信し、ここで、ＳＩＢ情報又はＲＲＣシグナリングが第１リソースプール設定情報を保持しており、端末は、基地局によって送信されるＳＩＢ情報又はＲＲＣシグナリングによって保持される第１リソースプール設定情報に基づいて、第１リソースプールを取得することに留意すべきである。基地局が、端末のために第２リソースプールを設定する場合に、端末が第２リソースプールを取得する方式は、端末が第１リソースプールを取得する方式と同様であり、詳細は、ここでは再度説明しない。
【０１５０】
Ｖ２Ｘサービス及びＰ２Ｘサービスを含んだ異なるサービスのタイプが、Ｖ２Ｘ通信に含まれる。任意選択的に、第１リソースプール設定情報及び／又は第２リソースプール設定情報が、リソースプールのためのサービス指示情報を保持する。具体的には、第１リソースプール設定情報がリソースプールのためのサービス指示情報を保持する場合に、サービス指示情報は、第１リソースプールが特定のサービスのタイプで用いることができるか否かを示すために用いられ、或いは、第２リソースプール設定情報がリソースプールのためのサービス指示情報を保持する場合に、サービス指示情報は、第２リソースプールが特定のサービスのタイプで用いることができるか否かを示すために用いられる。リソースプールが特定のサービスのタイプで用いることができないことをサービス指示情報が示す場合には、当該サービスタイプは、当該リソースプールのリソースを通信に用いることができない。
【０１５１】
Ｖ２Ｘ通信において、検出に基づくリソース選択メカニズム又はランダムなリソース選択メカニズムが用いられてよい。検出に基づくリソース選択メカニズムとは、端末が、ある期間中にリソースプールを検出した後にのみリソースプールにおける利用可能なリソースを決定することができ、そして、端末が、その次に、当該利用可能なリソースから通信のためのリソースを選択すること、を意味する。ランダムなリソース選択メカニズムとは、リソースプールを検出する代わりに、端末が、リソースプールからランダムにリソースを選択し、選択したリソースを用いて通信を実行すること、を意味する。任意選択的に、第１リソースプール設定情報及び／又は第２リソースプール設定情報は、リソースプールのためのリソース選択メカニズム指示情報を保持する。具体的には、第１リソースプール設定情報が、リソースプールのためのリソース選択メカニズム指示情報を保持する場合に、リソース選択メカニズム指示情報は、第１リソースプールが、検出に基づくリソース選択メカニズムを用いるのか又はランダムなリソース選択メカニズムを用いるのか、或いは、リソース選択メカニズムの両方が用いられ得るのか、を示すために用いられる。第２リソースプール設定情報が、リソースプールのためのリソース選択メカニズム指示情報を保持する場合に、リソース選択メカニズム指示情報は、第２リソースプールが、検出に基づくリソース選択メカニズムを用いるのか又はランダムなリソース選択メカニズムを用いるのか、或いは、リソース選択メカニズムの両方が用いられ得るのか、を示すために用いられる。リソース選択メカニズム指示情報が、リソースプールが特定のリソース選択メカニズムを用いることができないことを示す場合には、リソースプールを利用する端末は、リソース選択のためにそのようなリソース選択メカニズムを用いることができない。
【０１５２】
同じ発明の発想に基づいて、本願発明の実施形態は、Ｖ２Ｘ通信デバイス、基地局、及びシステムを更に提供する。Ｖ２Ｘ通信デバイス、基地局、及びシステムに対応する方法は、本願発明の第１実施形態におけるＶ２Ｘ通信方法である。従って、本願発明の実施形態におけるＶ２Ｘ通信デバイス、基地局及びシステムに対する実装に対しては、上記方法の実装を参照し、繰り返される部分は、ここでは再度説明しない。
【０１５３】
図６に示すように、本願発明の第５実施形態におけるＶ２Ｘ通信デバイスは、処理ユニット６００及び送受信ユニット６１０を備える。処理ユニット６００は、Ｖ２Ｘデータパケットの優先度及びＶ２Ｘ通信パラメータ値の範囲の間の対応関係を取得し、Ｖ２Ｘデータパケットの優先度及び対応関係に基づいて、Ｖ２Ｘデータパケットの優先度に対応するＶ２Ｘ通信パラメータ値の範囲を決定し、決定したＶ２Ｘ通信パラメータ値の範囲からＶ２Ｘ通信パラメータ値を選択するように構成される。ここで、Ｖ２Ｘ通信パラメータが、変調及び符号化スキームＭＣＳ、伝送数、伝送電力、及び占有リソースブロックＲＢ数のうちの少なくとも１つのパラメータを有する。送受信ユニット６１０は、選択したＶ２Ｘ通信パラメータ値に基づいて、Ｖ２Ｘデータパケットを無線リソースで伝送するように構成される。
【０１５４】
任意選択的に、対応関係を取得する場合に、処理ユニット６００が、基地局によって送信され、送受信ユニット６１０を用いることで受信される、システム情報ブロックＳＩＢ情報又は無線リソース制御プロトコルＲＲＣシグナリングから対応関係を取得するように具体的に構成される。ここで、ＳＩＢ情報又はＲＲＣシグナリングが、対応関係を保持する。或いは、対応関係を取得する場合に、処理ユニット６００が、予め設定される対応関係を取得するように具体的に構成される。
【０１５５】
本願発明の本実施形態において、処理ユニット６００は、プロセッサによって実行されてよく、送受信ユニット６１０は送受信機によって実行されてよいことに留意すべきである。  図７に示すように、Ｖ２Ｘ通信デバイス７００は、プロセッサ７１０、送受信機７２０及びメモリ７３０を備えてよい。メモリ７３０は、デバイス７００の納入の際に予め設定されるプログラム／コードを格納するように構成されてよく、又は、プロセッサ７１０によって実行されるべきコードを格納する、等であってもよい。
【０１５６】
プロセッサ７１０は、一般的なＣＰＵ（Central Processing Unit、中央処理装置）、マイクロプロセッサ、ＡＳＩＣ（Application Specific Integrated Circuit、特定用途向け集積回路）、又は、１つ又は複数の集積回路を用いてよく、本願発明の実施形態で提供される技術的解決手段を実装するための関連する諸動作を実行するように構成される。
【０１５７】
図７に示すデバイス７００に対して、プロセッサ７１０、送受信機７２０及びメモリ７３０のみが示されているが、具体的な実装例において、当業者であれば、デバイス７００が、通常の稼働を実行するための他の必要な構成要素を更に備えることを理解できることに留意すべきである。加えて、具体的な要求に従って、当業者であれば、デバイス７００が、別の追加の機能を実行するためのハードウェア構成要素を更に有してよいことを理解できる。更に、当業者であれば、図７に示される全ての構成要素を備える代わりに、本願発明の実施形態を実行するために必要な構成要素又はモジュールのみをデバイスが備えてよいことを、理解できる。
【０１５８】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ（Read-Only Memory、リードオンリメモリ）、ＲＡＭ（Random Access Memory、ランダムアクセスメモリ）等であってよい。
【０１５９】
図８に示すように、本願発明の一実施形態におけるＶ２Ｘ通信基地局は、処理ユニット８００及び送受信ユニット８１０を備える。処理ユニット８００は、Ｖ２Ｘデータパケットの優先度及びＶ２Ｘ通信パラメータ値の範囲の間の対応関係を決定するように構成され、ここで、上記Ｖ２Ｘ通信パラメータが、変調及び符号化スキームＭＣＳ、伝送数、伝送電力、及び占有リソースブロックＲＢ数のうちの少なくとも１つのパラメータを有する。送受信ユニット８１０は、対応関係を端末へ送信するように構成される。
【０１６０】
任意選択的に、対応関係を上記端末へ送信する場合に、送受信ユニット８１０が、システム情報ブロックＳＩＢ情報又は無線リソース制御プロトコルＲＲＣシグナリングを端末へ送信するように具体的に構成される。ここで、ＳＩＢ情報又はＲＲＣシグナリングが、対応関係を保持する。
【０１６１】
本願発明の本実施形態において、処理ユニット８００は、プロセッサによって実行されてよく、送受信ユニット８１０は送受信機によって実行されてよいことに留意すべきである。図９に示すように、Ｖ２Ｘ通信基地局９００は、プロセッサ９１０、送受信機９２０及びメモリ９３０を備えてよい。メモリ９３０は、基地局９００の納入の際に予め設定されるプログラム／コードを格納するように構成されてよく、又は、プロセッサ９１０によって実行されるべきコードを格納する、等であってもよい。
【０１６２】
プロセッサ９１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１６３】
図９に示す基地局９００に対して、プロセッサ９１０、送受信機９２０及びメモリ９３０のみが示されているが、具体的な実装例において、当業者であれば、基地局９００が、通常の稼働を実行するための他の必要な構成要素を更に備えることを理解できることに留意すべきである。加えて、具体的な要求に従って、当業者であれば、基地局９００が、別の追加の機能を実行するためのハードウェア構成要素を更に有してよいことを理解できる。更に、当業者であれば、図９に示す全ての構成要素を備える代わりに、本願発明の実施形態を実行するために必要な構成要素又はモジュールのみを基地局が備えてよいことを、理解できる。
【０１６４】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１６５】
図１０に示すように、本願発明の一実施形態におけるＶ２Ｘ通信システムは、本願発明の実施形態に係る図６に示す任意のデバイス１０００と、本願発明の実施形態に係る図８に示す任意の基地局１０１０とを備える。
【０１６６】
同じ発明の発想に基づいて、本願発明の実施形態は、データパケット伝送デバイス、基地局、及びシステムを更に提供する。データパケット伝送デバイス、基地局、及びシステムに対応する方法は、本願発明の第２実施形態及び第３実施形態におけるデータパケット伝送方法である。従って、本願発明の実施形態におけるデータパケット伝送デバイス、基地局、及びシステムに対する実装に対しては、上記方法の実装を参照し、繰り返される部分は、ここでは再度説明しない。
【０１６７】
図１１に示すように、本願発明の一実施形態におけるデータパケット伝送デバイスは、受信ユニット１１００、送信ユニット１１２０及び処理ユニット１１１０を備える。受信ユニット１１００は、基地局から指示情報を受信するように構成される。ここで、指示情報は、端末のために基地局によってスケジューリングされる無線リソースを示すために用いられ、無線リソースは、セミパーシステントスケジューリングＳＰＳ無線リソース又はダイナミックスケジューリング無線リソースを有する。送信ユニット１１２０は、基地局によってスケジューリングされる無線リソースで、第１データパケットを伝送するように構成される。
【０１６８】
任意選択的に、処理ユニット１１１０は、基地局によってスケジューリングされる無線リソースを受信ユニット１１００が受信する前に、第１データパケットの前に伝送される複数のデータパケットの中で、予め設定される条件を満たすＮ個の第２データパケットを決定し、そして、Ｎ個の第２データパケットに基づいてターゲットパラメータを決定することで、基地局がターゲットパラメータに基づいて、基地局によってスケジューリングされる無線リソースのサイズを決定するように構成される。ここで、Ｎは０以上の正の整数であり記ターゲットパラメータが、Ｎ個の第２データパケットの中の最大データパケットのサイズ、Ｎ個の第２データパケットの中の最小データパケットのサイズ、及びＮ個の第２データパケットの平均サイズのうちの少なくとも１つのパラメータを有する。送信ユニット１１２０が、ターゲットパラメータを基地局へ送信するように更に構成される。
【０１６９】
任意選択的に、処理ユニット１１１０は、基地局によってスケジューリングされる無線リソースを受信ユニット１１００が受信する後であって、かつ、送信ユニット１１２０が第１データパケットを伝送する前に、基地局によってスケジューリングされる無線リソースのサイズが、第１データパケットにとって十分であると決定するように更に構成される。
【０１７０】
任意選択的に、送信ユニット１１２０は、基地局によってスケジューリングされる無線リソースのサイズが、第１データパケットにとって不足すると処理ユニット１１１０が決定する場合に、リソース要求メッセージを基地局へ送信するように更に構成される。ここで、リソース要求情報は、基地局から無線リソースを要求するために用いられる。
【０１７１】
基地局によってスケジューリングされる無線リソースは、Ｖ２Ｘ通信に用いられる無線リソースであり、第１データパケットはＶ２Ｘデータパケットである。
【０１７２】
本願発明の本実施形態において、処理ユニット１１１０は、プロセッサによって実行されてよく、受信ユニット１１００及び送信ユニット１１２０は、送受信機によって実行されてよいことに留意すべきである。図１２に示すように、データパケット伝送デバイス１２００は、プロセッサ１２１０、送受信機１２２０及びメモリ１２３０を備えてよい。メモリ１２３０は、デバイス１２００の納入の際に予め設定されるプログラム／コードを格納するように構成されてよく、又は、プロセッサ１２１０によって実行されるべきコードを格納する、等であってもよい。
【０１７３】
プロセッサ１２１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１７４】
図１２に示すデバイス１２００に対して、プロセッサ１２１０、送受信機１２２０及びメモリ１２３０のみが示されているが、具体的な実装例において、当業者であれば、デバイス１２００が、通常の稼働を実行するための他の必要な構成要素を更に備えることを理解できることに留意すべきである。加えて、具体的な要求に従って、当業者であれば、デバイス１２００が、別の追加の機能を実行するためのハードウェア構成要素を更に有してよいことを理解できる。加えて、当業者であれば、図１２に示す全ての構成要素を備える代わりに、本願発明の実施形態を実行するために必要な構成要素又はモジュールのみをデバイスが備えてよいことを、理解できる。
【０１７５】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１７６】
図１３に示すように、データパケット伝送基地局は、処理ユニット１３００及び送受信ユニット１３１０を備える。処理ユニット１３００は、端末のために無線リソースをスケジューリングするように構成され、ここで、無線リソースは、セミパーシステントスケジューリングＳＰＳ無線リソース又はダイナミックスケジューリング無線リソースを有し、無線リソースは、端末が第１データパケットを伝送するのに用いられる。送受信ユニット１３１０は、指示情報を端末へ送信するように構成され、ここで、指示情報は、端末のためにスケジューリングされる無線リソースを示すために用いられる。
【０１７７】
任意選択的に、送受信ユニット１３１０は、処理ユニット１３００が無線リソースをスケジューリングする前に、端末のターゲットパラメータを受信するように更に構成される。ここで、ターゲットパラメータが、Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有し、ここで、Ｎは０以上の正の整数である。Ｎ個の第２データパケットは、第１データパケットの前に端末によって伝送される複数のデータパケットの中で、予め設定される条件を満たすデータパケットである。処理ユニット１３００は、ターゲットパラメータに基づいて、端末のためにスケジューリングされる無線リソースのサイズを決定するように更に構成される。
【０１７８】
任意選択的に、送受信ユニット１３１０が、端末によって送信されるリソース要求メッセージを受信し、リソース要求メッセージに基づいて無線リソース指示を端末へ送信するように更に構成される。ここで、リソース要求メッセージは基地局から無線リソースを要求するために用いられ、ここで、無線リソース指示は、基地局が端末によって送信されるリソース要求メッセージを受信した後に、基地局によってスケジューリングされる無線リソースを端末へ示すために用いられる。
【０１７９】
任意選択的に、基地局によって決定される無線リソースは、Ｖ２Ｘ通信に用いられる無線リソースであり、第１データパケットはＶ２Ｘデータパケットである。
【０１８０】
本願発明の本実施形態において、処理ユニット１３００は、プロセッサによって実行されてよく、送受信ユニット１３１０は、送受信機によって実行されてよいことに留意すべきである。図１４に示すように、データパケット伝送基地局１４００は、プロセッサ１４１０、送受信機１４２０及びメモリ１４３０を備えてよい。メモリ１４３０は、基地局１４００の納入の際に予め設定されるプログラム／コードを格納するように構成されてよく、又は、プロセッサ１４１０によって実行されるべきコードを格納する、等であってもよい。
【０１８１】
プロセッサ１４１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１８２】
図１４に示す基地局１４００に対して、プロセッサ１４１０、送受信機１４２０及びメモリ１４３０のみが示されているが、具体的な実装例において、当業者であれば、基地局１４００が、通常の稼働を実行するための他の必要な構成要素を更に備えることを理解できることに留意すべきである。加えて、具体的な要求に従って、当業者であれば、基地局１４００が、別の追加の機能を実行するためのハードウェア構成要素を更に有してよいことを理解できる。更に、当業者であれば、図１４に示す全ての構成要素を備える代わりに、本願発明の実施形態を実行するために必要な構成要素又はモジュールのみを基地局が備えてよいことを、理解できる。
【０１８３】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１８４】
図１５に示すように、本願発明の一実施形態におけるデータパケット伝送システムは、本願発明の実施形態に係る図１１に示す任意のデバイス１５００と、本願発明の実施形態に係る図１３に示す任意の基地局１５１０と、を備える。
【０１８５】
同じ発明の発想に基づいて、本願発明の実施形態は、Ｖ２Ｘ通信デバイス、基地局、及びシステムを更に提供する。Ｖ２Ｘ通信デバイス、基地局、及びシステムに対応する方法は、本願発明の第４実施形態におけるＶ２Ｘ通信方法である。従って、本願発明の実施形態におけるＶ２Ｘ通信デバイス、基地局、及びシステムに対する実装に対しては、上記方法の実装を参照し、繰り返される部分は、ここでは再度説明しない。
【０１８６】
図１６に示すように、本願発明の一実施形態におけるＶ２Ｘ通信デバイスは、送受信ユニット１６１０及び処理ユニット１６００を備える。送受信ユニット１６１０は、基地局から第１リソースプール設定情報を受信するように構成される。処理ユニット１６００は、第１リソースプール設定情報に基づいて第１リソースプールを取得し、第１リソースプールを検出し、次に、検出結果に基づいて第１リソースプールにおける利用可能なリソースを決定し、第１リソースプールにおける利用可能なリソースからＶ２Ｘ通信に用いられる無線リソースを、引き続き選択するように構成される。最後に、送受信ユニット１６１０が、選択された無線リソースで、Ｖ２Ｘ通信を実行するように更に構成される。
【０１８７】
任意選択的に、送受信ユニット１６１０は、基地局から第１リソースプールの検出を開始するための指示メッセージを受信するように更に構成され、又は、処理ユニット１６００は、基地局への通信リンクの品質が予め設定される閾値より小さいことを決定するように更に構成される。
【０１８８】
本願発明の本実施形態において、処理ユニット１６００は、プロセッサによって実行されてよく、送受信ユニット１６１０は送受信機によって実行されてよいことに留意すべきである。図１７に示すように、Ｖ２Ｘ通信デバイス１７００は、プロセッサ１７１０、送受信機１７２０、及び、メモリ１７３０を備えてよい。メモリ１７３０は、デバイス１７００の納入の際に予め設定されるプログラム／コードを格納するように構成されてよく、又は、プロセッサ１７１０によって実行されるべきコードを格納する、等であってもよい。
【０１８９】
プロセッサ１７１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１９０】
図１７に示すデバイス１７００に対して、プロセッサ１７１０、送受信機１７２０及びメモリ１７３０のみが示されているが、具体的な実装例において、当業者であれば、デバイス１７００が、通常の稼働を実行するための他の必要な構成要素を更に備えることを理解できることに留意すべきである。加えて、具体的な要求に従って、当業者であれば、デバイス１７００が、別の追加の機能を実行するためのハードウェア構成要素を更に有してよいことを理解できる。更に、当業者であれば、図１７に示される全ての構成要素を備える代わりに、本願発明の実施形態を実行するために必要な構成要素又はモジュールのみをデバイスが備えてよいことを、理解できる。
【０１９１】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１９２】
図１８に示すように、本願発明の一実施形態におけるＶ２Ｘ通信基地局は、処理ユニット１８００及び送受信ユニット１８１０を備える。処理ユニット１８００は、端末のために設定される第１リソースプールを決定するように構成される。送受信ユニット１８１０は、第１リソースプール設定情報を端末へ送信するように構成される。
【０１９３】
任意選択的に、送受信ユニット１８１０は、第１リソースプールの検出を開始するための指示メッセージを、基地局へ送信するように更に構成される。
【０１９４】
本願発明の本実施形態において、処理ユニット１８００は、プロセッサによって実行されてよく、送受信ユニット１８１０は送受信機によって実行されてよいことに留意すべきである。図１９に示すように、Ｖ２Ｘ通信基地局１９００は、プロセッサ１９１０、送受信機１９２０及びメモリ１９３０を備えてよい。メモリ１９３０は、基地局１９００の納入の際に予め設定されるプログラム／コードを格納するように構成されてよく、又は、プロセッサ１９１０によって実行されるべきコードを格納する、等であってもよい。
【０１９５】
プロセッサ１９１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１９６】
図１９に示す基地局１９００に対して、プロセッサ１９１０、送受信機１９２０及びメモリ１９３０のみが示されているが、具体的な実装例において、当業者であれば、基地局１９００が、通常の稼働を実行するための他の必要な構成要素を更に備えることを理解できることに留意すべきである。加えて、具体的な要求に従って、当業者であれば、基地局１９００が、別の追加の機能を実行するためのハードウェア構成要素を更に有してよいことを理解できる。更に、当業者であれば、図１９に示す全ての構成要素を備える代わりに、本願発明の実施形態を実行するために必要な構成要素又はモジュールのみを基地局が備えてよいことを、理解できる。
【０１９７】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１９８】
図２０に示すように、本願発明の一実施形態におけるＶ２Ｘ通信システムは、本願発明の実施形態に係る図１６に示すデバイス２０００と、本願発明の実施形態に係る図１８に示す基地局２０１０と、を備える。
【０１９９】
先述の内容から、本願発明の実施形態において、端末が、Ｖ２Ｘデータパケットの優先度及びＶ２Ｘ通信パラメータ値の範囲の間の対応関係を取得し、Ｖ２Ｘデータパケットの優先度及び対応関係に基づいて、Ｖ２Ｘデータパケットの優先度に対応するＶ２Ｘ通信パラメータ値の範囲を決定し、引き続き、上記決定したＶ２Ｘ通信パラメータ値の範囲からＶ２Ｘ通信パラメータ値を選択し、最後に、選択したＶ２Ｘ通信パラメータ値に基づいてＶ２Ｘデータパケットを無線リソースで伝送することが、理解されてよい。Ｖ２Ｘ通信パラメータは、ＭＣＳ、伝送数、伝送電力、及び占有ＲＢ数のうちの少なくとも１つのパラメータを有する。技術的解決手段によると、端末は、Ｖ２Ｘデータパケットの優先度及びＶ２Ｘ通信パラメータ値の範囲の間の対応関係に基づいてＶ２Ｘデータパケットを無線リソースで伝送する。従って、伝送リソースが不足する場合に、対応関係を設定することによって、より低い優先度を有するデータパケットの伝送信頼性を、ある程度、向上することができる。
【０２００】
当業者であれば、本願発明の実施形態が、方法、システム、又はコンピュータプログラム製品として提供されてよいことを理解するはずである。従って、本願発明は、ハードウェアだけの実施形態、ソフトウェアだけの実施形態、又はソフトウェアとハードウェアとを組み合わせた実施形態の形式を用いてよい。その上、本願発明は、コンピュータ使用可能プログラムコードを含む１つ又は複数のコンピュータ使用可能記憶媒体（限定されないが、磁気ディスク記憶装置、ＣＤ−ＲＯＭ、及び光メモリ等を含む）において実現されるコンピュータプログラム製品の形式を用いてもよい。
【０２０１】
本願発明は、本願発明の実施形態に係る方法、デバイス（システム）、及びコンピュータプログラム製品のフローチャート及び／又はブロック図を参照して説明されている。フローチャート及び／又はブロック図の各プロセス及び／又は各ブロックと、フローチャート及び／又はブロック図のプロセス及び／又はブロックの組み合わせとを実装するために、コンピュータプログラム命令が用いられてよいことを理解されたい。これらのコンピュータプログラム命令は、マシンを生成するために、汎用コンピュータ、専用コンピュータ、組み込みプロセッサ又は任意の他のプログラム可能なデータ処理デバイスのプロセッサに対して提供されてよく、その結果、任意の他のプログラム可能なデータ処理デバイスのコンピュータ又はプロセッサにより実行される命令が、フローチャート内の１つ又は複数の処理及び／又はブロック図内の１つ又は複数のブロックにおける特定の機能を実行するために、装置を生成する。
【０２０２】
これらのコンピュータプログラム命令は、特定の方式で作動するように、コンピュータ又は任意の他のプログラム可能なデータ処理デバイスに命令できるコンピュータ可読メモリに格納されてよく、その結果、コンピュータ可読メモリに格納された命令は、命令装置を含むアーチファクトを生成する。命令装置は、フローチャートの１つ又は複数の処理及び／又はブロック図の１つ又は複数のブロックにおける特定の機能を実装する。
【０２０３】
これらのコンピュータプログラム命令は、コンピュータ又は別のプログラム可能データ処理デバイスにロードされてよく、その結果、一連の動作及び段階は、コンピュータ又は別のプログラム可能デバイスにおいて実行され、これにより、コンピュータ実装処理を生成する。従って、コンピュータ又は別のプログラム可能なデバイスで実行される命令は、フローチャートの１つ又は複数の処理及び／又はブロック図の１つ又は複数のブロックにおける特定の機能を実行するための段階を提供する。
【０２０４】
いくつかの好適な本願発明の実施形態が説明されたが、当業者であれば、基本的な発明の概念を一度認識すれば、これらの実施形態に変更及び修正を加えることが可能である。従って、以下の特許請求の範囲は、好適な実施形態と、本願発明の範囲に含まれる全ての変更及び修正とを網羅するものとして解釈されることが意図されている。
【０２０５】
当業者であれば、本願発明の主旨及び範囲から逸脱することなく、本願発明に対する様々な修正及び変形を加えることができることが明らかである。本願発明は、これらの修正及び変形が以下の特許請求の範囲及びこれらの均等技術によって定義される保護範囲に含まれる限り、当該変形及び変更を包含するように意図される。
【図１】
2019530335.tif 000004
【図２】
2019530335.tif 000005
【図３】
2019530335.tif 000006
【図４】
2019530335.tif 000007
【図５】
2019530335.tif 000008
【図６】
2019530335.tif 000009
【図７】
2019530335.tif 000010
【図８】
2019530335.tif 000011
【図９】
2019530335.tif 000012
【図１０】
2019530335.tif 000013
【図１１】
2019530335.tif 000014
【図１２】
2019530335.tif 000015
【図１３】
2019530335.tif 000016
【図１４】
2019530335.tif 000017
【図１５】
2019530335.tif 000018
【図１６】
2019530335.tif 000019
【図１７】
2019530335.tif 000020
【図１８】
2019530335.tif 000021
【図１９】
2019530335.tif 000022
【図２０】
2019530335.tif 000023
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
Ｐ２Ｘサービスデータパケットの優先度及びＶ２Ｘ通信パラメータ値の範囲の間の対応関係を端末によって取得する段階であって、Ｖ２Ｘ通信パラメータが、変調及び符号化スキームＭＣＳ、伝送数、伝送電力、及び占有リソースブロックＲＢ数のうちの少なくとも１つのパラメータを有する、取得する段階と、
前記Ｐ２Ｘサービスデータパケットの前記優先度及び前記対応関係に基づいて、前記Ｐ２Ｘサービスデータパケットの前記優先度に対応するＶ２Ｘ通信パラメータ値の範囲を前記端末によって決定する段階と、
前記決定したＶ２Ｘ通信パラメータ値の範囲からＶ２Ｘ通信パラメータ値を前記端末によって選択する段階と、
前記選択したＶ２Ｘ通信パラメータ値に基づいて、前記Ｐ２Ｘサービスデータパケットを前記端末によって無線リソースで伝送する段階と
を備える、
Ｖ２Ｘ通信方法。
【請求項２】
第１リソースプール設定情報を前記端末によって受信する段階を更に備え、
前記第１リソースプール設定情報が第１リソースプールを示すために用いられ、前記第１リソースプールが前記無線リソースを有し、前記第１リソースプール設定情報がサービス指示情報を有し、前記サービス指示情報が、Ｐ２Ｘサービスによって用いられることが可能な前記第１リソースプールを示すために用いられる、請求項１に記載のＶ２Ｘ通信方法。
【請求項３】
前記第１リソースプール設定情報は、リソース選択メカニズム指示情報を更に備え、前記リソース選択メカニズム指示情報は、前記第１リソースプールが、検出に基づくリソース選択メカニズムを用いるのか、ランダムなリソース選択メカニズムを用いるのか、又は、前記検出に基づくリソース選択メカニズム及び前記ランダムなリソース選択メカニズムを用いるのか、を示すために用いられる、請求項２に記載のＶ２Ｘ通信方法。
【請求項４】
対応関係を端末によって取得する前記段階が、
システム情報ブロック（ＳＩＢ）情報又は無線リソース制御プロトコル（ＲＲＣ）シグナリングを前記端末によって取得する段階であって、前記ＳＩＢ情報またはＲＲＣシグナリングが前記対応関係を示すために用いられる、取得する段階、又は、
予め設定される対応関係を前記端末によって取得する段階
を有する、請求項１に記載のＶ２Ｘ通信方法。
【請求項５】
基地局から指示情報を端末によって受信する段階であって、前記指示情報は、前記端末のために前記基地局によってスケジューリングされる無線リソースを示すために用いられ、前記無線リソースはセミパーシステントスケジューリングＳＰＳ無線リソース又はダイナミックスケジューリング無線リソースを有する、受信する段階と、
第１データパケットを前記端末によって前記無線リソースで伝送する段階と、
を備える、
データパケット伝送方法。
【請求項６】
前記基地局によってスケジューリングされる無線リソースを端末によって受信する前記段階の前に、前記データパケット伝送方法は、
前記第１データパケットの前に伝送される複数のデータパケットの中で、予め設定される条件を満たすＮ個の第２データパケットを前記端末によって決定する段階であって、Ｎは０以上の正の整数である、決定する段階と、
前記Ｎ個の第２データパケットに基づいてターゲットパラメータを前記端末によって決定し、前記基地局が前記ターゲットパラメータに基づいて、前記基地局によってスケジューリングされる前記無線リソースのサイズを決定する段階であって、前記ターゲットパラメータが、前記Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有する、決定する段階と、
前記ターゲットパラメータを前記基地局へ前記端末によって送信する段階と、
を更に備える、請求項５に記載のデータパケット伝送方法。
【請求項７】
前記基地局によってスケジューリングされる無線リソースを端末によって受信する前記段階の後であって、かつ、第１データパケットを伝送する前記段階の前に、前記データパケット伝送方法は、
前記基地局によってスケジューリングされる前記無線リソースのサイズが、前記第１データパケットにとって十分であると前記端末によって決定する段階、
を更に備える、請求項５に記載のデータパケット伝送方法。
【請求項８】
前記基地局によってスケジューリングされる前記無線リソースの前記サイズが、前記第１データパケットにとって不足すると前記端末が決定する場合に、リソース要求メッセージを前記基地局へ前記端末によって送信する段階を更に備え、
前記リソース要求メッセージが、前記基地局から無線リソースを要求するために用いられる、請求項７に記載のデータパケット伝送方法。
【請求項９】
前記基地局によってスケジューリングされる前記無線リソースは、Ｖ２Ｘ通信に用いられる無線リソースであり、前記第１データパケットはＶ２Ｘデータパケットである、請求項５から８の何れか一項に記載のデータパケット伝送方法。
【請求項１０】
Ｐ２Ｘサービスデータパケットの優先度及びＶ２Ｘ通信パラメータ値の範囲の間の対応関係を基地局によって決定する段階であって、Ｖ２Ｘ通信パラメータは、変調及び符号化スキームＭＣＳ、伝送数、伝送電力、及び占有リソースブロックＲＢ数のうちの少なくとも１つのパラメータを有する、決定する段階と、
第１リソースプールを前記基地局によって決定する段階と、
前記対応関係及び第１リソースプール設定情報を端末へ前記基地局によって送信する段階であって、前記第１リソースプール設定情報が前記第１リソースプールを示すために用いられる、送信する段階と、
を備える、
Ｖ２Ｘ通信方法。
【請求項１１】
前記第１リソースプール設定情報がサービス指示情報を有し、前記サービス指示情報が、Ｐ２Ｘサービスによって用いられることが可能な前記第１リソースプールを示すために用いられる、請求項１０に記載のＶ２Ｘ通信方法。
【請求項１２】
前記第１リソースプール設定情報は、リソース選択メカニズム指示情報を更に備え、前記リソース選択メカニズム指示情報は、前記第１リソースプールが、検出に基づくリソース選択メカニズムを用いるのか、ランダムなリソース選択メカニズムを用いるのか、又は、前記検出に基づくリソース選択メカニズム及び前記ランダムなリソース選択メカニズムを用いるのか、を示すために用いられる、請求項１１に記載のＶ２Ｘ通信方法。
【請求項１３】
前記対応関係を端末へ前記基地局によって送信する前記段階が、
システム情報ブロック（ＳＩＢ）情報または無線リソース制御プロトコル（ＲＲＣ）シグナリングを前記端末へ前記基地局によって送信する段階を有し、
前記ＳＩＢ情報または前記ＲＲＣシグナリングが前記対応関係を示すために用いられる、請求項１０に記載のＶ２Ｘ通信方法。
【請求項１４】
端末のために無線リソースを、基地局によってスケジューリングする段階であって、前記無線リソースがセミパーシステントスケジューリングＳＰＳ無線リソース又はダイナミックスケジューリング無線リソースを有し、前記無線リソースは前記端末が第１データパケットを伝送するのに用いられる、スケジューリングする段階と、
指示情報を前記端末へ前記基地局によって送信する段階であって、前記指示情報が前記無線リソースを示すために用いられる、送信する段階と、
を備える、
データパケット伝送方法。
【請求項１５】
無線リソースを基地局によってスケジューリングする前記段階の前に、前記データパケット伝送方法は、
前記端末からターゲットパラメータを前記基地局によって受信する段階であって、前記ターゲットパラメータが、Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有し、Ｎは０以上の正の整数であり、前記Ｎ個の第２データパケットは、前記第１データパケットの前に前記端末によって伝送される複数のデータパケットの中で、予め設定される条件を満たすデータパケットである、受信する段階と、
前記ターゲットパラメータに基づいて、前記端末のためにスケジューリングされる前記無線リソースのサイズを前記基地局によって決定する段階と
を更に備える、請求項１４に記載のデータパケット伝送方法。
【請求項１６】
前記端末によって送信されるリソース要求メッセージを前記基地局によって受信する段階であって、前記リソース要求メッセージは前記基地局から無線リソースを要求するために用いられる、受信する段階と、
前記リソース要求メッセージに基づいて無線リソース指示を前記基地局によって前記端末へ送信する段階であって、前記無線リソース指示は、前記基地局が前記リソース要求メッセージを受信した後に前記基地局のために前記基地局によってスケジューリングされる前記無線リソースを示すために用いられる、送信する段階と
を更に備える、請求項１５に記載のデータパケット伝送方法。
【請求項１７】
前記基地局によって決定される前記無線リソースは、Ｖ２Ｘ通信に用いられる無線リソースであり、前記第１データパケットはＶ２Ｘデータパケットである、請求項１５または１６に記載のデータパケット伝送方法。
【請求項１８】
Ｖ２Ｘ通信デバイスであって、
Ｐ２Ｘサービスデータパケットの優先度及びＶ２Ｘ通信パラメータ値の範囲の間の対応関係を取得し、Ｖ２Ｘ通信パラメータが、変調及び符号化スキームＭＣＳ、伝送数、伝送電力、及び占有リソースブロックＲＢ数のうちの少なくとも１つのパラメータを有するように構成される、プロセッサ
を備え、
前記プロセッサは、前記Ｐ２Ｘサービスデータパケットの前記優先度及び前記対応関係に基づいて、前記Ｐ２Ｘサービスデータパケットの前記優先度に対応するＶ２Ｘ通信パラメータ値の範囲を決定するように更に構成され、
前記プロセッサは、前記決定したＶ２Ｘ通信パラメータ値の範囲からＶ２Ｘ通信パラメータ値を選択するように更に構成され、
前記Ｖ２Ｘ通信デバイスが、
前記選択したＶ２Ｘ通信パラメータ値に基づいて、前記Ｐ２Ｘサービスデータパケットを無線リソースで伝送するように構成される送受信ユニット、
を備える、
Ｖ２Ｘ通信デバイス。
【請求項１９】
前記Ｖ２Ｘ通信デバイスは、第１リソースプール設定情報を受信するように構成される受信機を更に備え、
前記第１リソースプール設定情報が第１リソースプールを示すために用いられ、前記第１リソースプールが前記無線リソースを有し、前記第１リソースプール設定情報がサービス指示情報を有し、前記サービス指示情報が、Ｐ２Ｘサービスによって用いられることが可能な前記第１リソースプールを示すために用いられる、請求項１８に記載のＶ２Ｘ通信デバイス。
【請求項２０】
前記第１リソースプール設定情報は、リソース選択メカニズム指示情報を更に有し、前記リソース選択メカニズム指示情報は、前記第１リソースプールが、検出に基づくリソース選択メカニズムを用いるのか、ランダムなリソース選択メカニズムを用いるのか、又は、前記検出に基づくリソース選択メカニズム及び前記ランダムなリソース選択メカニズムを用いるのか、を示すために用いられる、請求項１９に記載のＶ２Ｘ通信デバイス。
【請求項２１】
前記対応関係を取得するように構成される前記プロセッサが、
システム情報ブロック（ＳＩＢ）情報または無線リソース制御プロトコル（ＲＲＣ）シグナリングを取得するように構成される受信機であって、前記ＳＩＢ情報または前記ＲＲＣシグナリングが前記対応関係を示すために用いられる、受信機を有するか、又は、
前記プロセッサが、予め設定される対応関係を取得するように構成される、請求項１８に記載のＶ２Ｘ通信デバイス。
【請求項２２】
基地局から指示情報を受信するように構成される受信ユニットであって、前記指示情報は端末のために前記基地局によってスケジューリングされる無線リソースを示すために用いられ、前記無線リソースはセミパーシステントスケジューリングＳＰＳ無線リソース又はダイナミックスケジューリング無線リソースを有する、受信ユニットと、
第１データパケットを前記無線リソースで伝送するように構成される送信ユニットと、
を備える、
データパケット伝送デバイス。
【請求項２３】
前記データパケット伝送デバイスの処理ユニットが、前記基地局によってスケジューリングされる前記無線リソースを前記受信ユニットが受信する前に、前記第１データパケットの前に伝送される複数のデータパケットの中で、予め設定される条件を満たすＮ個の第２データパケットを決定し、前記Ｎ個の第２データパケットに基づいてターゲットパラメータを決定することで、前記基地局が前記ターゲットパラメータに基づいて、前記基地局によってスケジューリングされる前記無線リソースのサイズを決定するように構成され、Ｎは０以上の正の整数であり、
前記ターゲットパラメータが、前記Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有し、
前記送信ユニットが、前記ターゲットパラメータを前記基地局へ送信するように更に構成される、請求項２２に記載のデータパケット伝送デバイス。
【請求項２４】
前記データパケット伝送デバイスの処理ユニットは、前記基地局によってスケジューリングされる前記無線リソースを前記受信ユニットが受信する後であって、かつ、前記送信ユニットが第１データパケットを伝送する前に、前記基地局によってスケジューリングされる前記無線リソースのサイズが、前記第１データパケットにとって十分であると決定するように更に構成される、請求項２２の記載のデータパケット伝送デバイス。
【請求項２５】
前記送信ユニットは、前記基地局によってスケジューリングされる前記無線リソースの前記サイズが、前記第１データパケットにとって不足すると前記処理ユニットが決定する場合に、リソース要求メッセージを前記基地局へ送信するように更に構成され、
前記リソース要求メッセージが、前記基地局から無線リソースを要求するために用いられる、請求項２４に記載のデータパケット伝送デバイス。
【請求項２６】
前記基地局によってスケジューリングされる前記無線リソースは、Ｖ２Ｘ通信に用いられる無線リソースであり、前記第１データパケットはＶ２Ｘデータパケットである、請求項２２から２５の何れか一項に記載のデータパケット伝送デバイス。
【請求項２７】
基地局であって、
Ｐ２Ｘサービスデータパケットの優先度及びＶ２Ｘ通信パラメータ値の範囲の間の対応関係を決定するように構成される処理ユニットであって、Ｖ２Ｘ通信パラメータが、変調及び符号化スキームＭＣＳ、伝送数、伝送電力、及び占有リソースブロックＲＢ数のうちの少なくとも１つのパラメータを有する、プロセッサ、
を備え、
前記プロセッサが、第１リソースプールを決定するように更に構成され、
前記基地局が、
前記対応関係及び第１リソースプール設定情報を端末へ送信するように構成され、前記第１リソースプール設定情報が前記第１リソースプールを示すために用いられる、送信機、
を備える、
基地局。
【請求項２８】
前記第１リソースプール設定情報がサービス指示情報を有し、前記サービス指示情報が、Ｐ２Ｘサービスによって用いられることが可能な前記第１リソースプールを示すために用いられる、請求項２７に記載の基地局。
【請求項２９】
前記第１リソースプール設定情報は、リソース選択メカニズム指示情報を更に有し、前記リソース選択メカニズム指示情報は、前記第１リソースプールが、検出に基づくリソース選択メカニズムを用いるのか、ランダムなリソース選択メカニズムを用いるのか、又は、前記検出に基づくリソース選択メカニズム及び前記ランダムなリソース選択メカニズムを用いるのか、を示すために用いられる、請求項２８に記載の基地局。
【請求項３０】
前記送信機が、
システム情報ブロックＳＩＢ情報または無線リソース制御プロトコルＲＲＣシグナリングを前記端末へ送信するように構成され、
前記ＳＩＢ情報または前記ＲＲＣシグナリングが前記対応関係を示すために用いられる、請求項２７に記載の基地局。
【請求項３１】
端末のために無線リソースをスケジューリングするように構成される処理ユニットであって、前記無線リソースがセミパーシステントスケジューリングＳＰＳ無線リソース又はダイナミックスケジューリング無線リソースを有し、前記無線リソースが前記端末が第１データパケットを伝送するのに用いられる、処理ユニットと、
指示情報を前記端末へ送信するように構成され、前記指示情報が前記無線リソースを示すために用いられる、送受信ユニットと、
を備える、
データパケット伝送基地局。
【請求項３２】
前記送受信ユニットは、前記処理ユニットが前記無線リソースをスケジューリングする前に、前記端末からターゲットパラメータを受信するように更に構成され、
前記ターゲットパラメータが、Ｎ個の第２データパケットの中の最大データパケットのサイズ、前記Ｎ個の第２データパケットの中の最小データパケットのサイズ、及び前記Ｎ個の第２データパケットの平均サイズのうちの少なくとも１つのパラメータを有し、Ｎは０以上の正の整数であり、
前記Ｎ個の第２データパケットは、前記第１データパケットの前に前記端末によって伝送される複数のデータパケットの中で、予め設定される条件を満たすデータパケットであり、
前記処理ユニットは、前記ターゲットパラメータに基づいて、前記端末のためにスケジューリングされる前記無線リソースのサイズを決定するように更に構成される、請求項３１に記載のデータパケット伝送基地局。
【請求項３３】
前記送受信ユニットが、
前記端末によって送信されるリソース要求メッセージを受信するように更に構成され、前記リソース要求メッセージが無線リソースを要求するために用いられ、
前記リソース要求メッセージに基づいて無線リソース指示を前記端末へ送信するように更に構成され、
前記無線リソース指示は、前記データパケット伝送基地局が前記リソース要求メッセージを受信した後に前記端末のために前記データパケット伝送基地局によってスケジューリングされる前記無線リソースを示すために用いられる、請求項３１に記載のデータパケット伝送基地局。
【請求項３４】
前記データパケット伝送基地局によって決定される前記無線リソースは、Ｖ２Ｘ通信に用いられる無線リソースであり、前記第１データパケットはＶ２Ｘデータパケットである、請求項３１から３３の何れか一項に記載のデータパケット伝送基地局。
【請求項３５】
請求項１８から２１の何れか一項に記載のＶ２Ｘ通信デバイスと、
請求項２７から３０の何れか一項に記載の基地局と
を備える、
Ｖ２Ｘ通信システム。
【請求項３６】
請求項２２から２６の何れか一項に記載のデータパケット伝送デバイスと、
請求項３１から３４の何れか一項に記載のデータパケット伝送基地局と
を備える、
データパケット伝送のための通信システム。
【手続補正２】
【補正対象書類名】明細書
【補正対象項目名】全文
【補正方法】変更
【補正の内容】
【発明の詳細な説明】
【技術分野】
【０００１】
本願発明は、無線通信技術の分野に関し、特に、Ｖ２Ｘ通信方法、デバイス及びシステムに関する。
【背景技術】
【０００２】
毎年、大量の交通事故が世界中で起き、多数の死傷者及び財産への大きな損害を引き起こしている。交通事故の主な原因は、自動車間での信頼できる情報を交換するメカニズムが無いことである。道路安全を向上し、輸送効率を向上し、そしてビークルツーエックス（Vehicle-to-X, V2X）通信を通じて豊富なストリーミングサービスをユーザへ提供すべく、自動車インターネットシステムが用いられる。具体的には、Ｖ２Ｘとは、自動車と自動車（Vehicle to Vehicle、Ｖ２Ｖ）、自動車とインフラストラクチャ（Vehicle-to-Infrastructure、Ｖ２Ｉ）及び自動車と歩行者（Vehicle-to-Pedestrian、Ｖ２Ｐ）を含む。
【０００３】
一例として図１に示すように、Ｖ２Ｖ通信を用いる場合に、自動車Ａ及び自動車Ｂの間の通信のためのＶ２Ｖデータパケットは、協調認識メッセージ情報伝送プロトコル（Cooperative Awareness Message、ＣＡＭ）タイプ、分散型環境通報メッセージ（Decentralized Environmental Notification Message、ＤＥＮＭ）タイプ及び基本安全メッセージ（Basic Safety Message、ＢＳＭ）タイプ等の異なるサービスタイプのデータパケットを有する。具体的には、ＣＡＭタイプのＶ２Ｘデータパケットは、現在位置、現在の速さ及び自動車の現在の方向等の自動車の基本的移動情報を有し、ＤＥＮＭタイプのＶ２Ｘデータパケットは、緊急ブレーキ等の、自動車によって現在引き起こされている何らかの緊急状態についての情報を有する。
【０００４】
しかしながら、自動車の数量の増加及び自動車インターネットシステムでの限定された伝送リソースに起因して、道路安全を向上させるため、従来技術においては、異なるサービスタイプのデータパケットに含まれる情報が緊急状態に関して異なるので、サービスタイプと優先度との間の対応関係が、自動車インターネットシステム（自動車等）の中に予め設定される。伝送リソースが不足する場合には、リソースの取得後に、自動車は、より高い優先度を有するＶ２Ｘデータパケットを最初に伝送する。例えば、ＣＡＭタイプのＶ２Ｘデータパケットの優先度は、ＤＥＮＭタイプのＶ２Ｘデータパケットの優先度より低い。自動車ＡがＣＡＭタイプのＶ２Ｘデータパケット及びＤＥＮＭタイプのＶ２Ｘデータパケットを自動車Ｂへ送信する必要がある場合に、自動車によって取得されるリソースが、１つのデータパケットのみの伝送を許容する場合には、自動車は、ＤＥＮＭタイプのＶ２Ｘデータパケットを最初に伝送する。
【０００５】
しかしながら、従来技術における技術的解決手段によると、より高い優先度を有するＶ２Ｘデータパケットのみ伝送信頼性が保証され、より低い優先度を有するＶ２Ｘデータパケットの伝送信頼性は無視される。
【発明の概要】
【０００６】
現在のＶ２Ｘ通信プロセスにおいては、より高い優先度を有するデータパケットの伝送信頼性のみが保証可能という問題を解決すべく、本願発明は、Ｖ２Ｘ通信方法、デバイス及びシステムを提供する。
【０００７】
第１態様によると、Ｖ２Ｘ通信方法が提供される。上記Ｖ２Ｘ通信方法は、Ｖ２Ｘデータパケットの優先度及びＶ２Ｘ通信パラメータ値の範囲の間の対応関係を端末によって取得する段階と、上記Ｖ２Ｘデータパケットの上記優先度及び上記対応関係に基づいて、上記Ｖ２Ｘデータパケットの上記優先度に対応するＶ２Ｘ通信パラメータ値の範囲を決定する段階と、引き続き、上記決定したＶ２Ｘ通信パラメータ値の範囲からＶ２Ｘ通信パラメータ値を選択する段階と、最後に、上記選択したＶ２Ｘ通信パラメータ値に基づいて上記Ｖ２Ｘデータパケットを無線リソースで伝送する段階とを備える。Ｖ２Ｘ通信パラメータは、ＭＣＳ（Modulation and Coding Scheme、変調及び符号化スキーム）、伝送数、伝送電力及び占有リソースブロック数（Resource Block、ＲＢ）のうちの少なくとも１つのパラメータを有する。
【０００８】
異なる優先度は異なるＶ２Ｘ通信パラメータ値の範囲に対応し、上記異なる優先度に対応する上記Ｖ２Ｘ通信パラメータ値の範囲は互いに重複してよく、上記Ｖ２Ｘ通信パラメータ値の範囲が数値であってよく又は間隔であってよいことに留意すべきである。
【０００９】
可能な設計では、優先度及びＶ２Ｘ通信パラメータ値の範囲の間の上記対応関係が、上記端末で予め設定されてよい。上記端末が上記Ｖ２Ｘデータパケットを伝送する必要がある場合、上記端末は、伝送される必要のある上記Ｖ２Ｘデータパケットの上記優先度に基づいて事前に上記Ｖ２Ｘ通信パラメータ値の範囲を決定する。
【００１０】
加えて、可能な設計では、Ｖ２Ｘデータパケットの優先度及びＶ２Ｘ通信パラメータの間の上記対応関係を決定した後に、基地局が、優先度及びＶ２Ｘ通信パラメータの間の上記対応関係を上記端末へ送信してよい。上記端末は、優先度及び上記基地局によって送信されるＶ２Ｘ通信パラメータ値の範囲の間の上記対応関係を受信することにより、優先度及びＶ２Ｘ通信パラメータ値の範囲の間の上記対応関係を取得する。
【００１１】
任意選択的に、優先度及びＶ２Ｘ通信パラメータ値の範囲の間の上記対応関係が上記基地局で予め設定される場合、優先度及び基地局によって決定されるＶ２Ｘ通信パラメータの間の上記対応関係は、優先度及び上記基地局で予め設定されるＶ２Ｘ通信パラメータの間の上記対応関係である。或いは、優先度及びＶ２Ｘ通信パラメータ値の範囲の間の上記対応関係を生成するためのアルゴリズムが上記基地局で予め設定されている場合、上記基地局は、上記基地局で予め設定される上記アルゴリズムに基づいて、優先度及びＶ２Ｘ通信パラメータ値の範囲の間の上記対応関係を決定することを理解されたい。
【００１２】
可能な設計では、上記基地局が、システム情報ブロック（System Information Block、ＳＩＢ）情報、又は、無線リソース制御（Radio Resource Control、ＲＲＣ）シグナリングを端末へ送信する。ここで、優先度及びＶ２Ｘ通信パラメータ値の範囲の間の上記対応関係は、上記ＳＩＢ情報又は上記ＲＲＣシグナリングを用いることで保持される。上記端末は、上記基地局によって送信される上記システム情報ブロック（System Information Block、ＳＩＢ）情報又は上記無線リソース制御（Radio Resource Control、ＲＲＣ）シグナリングを受信することで、優先度及びＶ２Ｘ通信パラメータ値の範囲の間の上記対応関係を取得する。
【００１３】
好ましくは、伝送リソースが不足する場合に、より低い優先度を有するＶ２Ｘデータパケットの信頼できる伝送を保証すべく、上記のより低い優先度に対応するＶ２Ｘ通信パラメータ値の範囲が設定されてよく、その結果、上記のより低い優先度を有する上記Ｖ２Ｘデータパケットは、上記のより少ない伝送リソースを占有し、これにより、上記伝送リソースが不足する場合に、上記のより低い優先度を有する上記Ｖ２Ｘデータパケットの信頼性を、ある程度、向上する。加えて、より高い優先度を有するＶ２Ｘデータパケットを有するデータ伝送の精度を保証するべく、上記のより高い優先度に対応するＶ２Ｘ通信パラメータ値の範囲が設定されてよく、より多くの伝送リソースが、上記のより高い優先度に対応する上記データパケットに割り当てられ、これにより、上記のより高い優先度を有する上記Ｖ２Ｘデータパケットの精度を、ある程度、向上する。
【００１４】
加えて、本願発明の一実施形態において、上記伝送数は、メディアアクセス制御（Media Access Control、ＭＡＣ）層における上記Ｖ２Ｘデータパケットの伝送数であってよく、ここで、上記Ｖ２Ｘデータパケットは、上記ＭＡＣ層においてパケットデータユニット（Packet Data Unit、ＰＤＵ）の形式で存在する。或いは、上記伝送数は、サイドリンクプロセスの伝送数であってよく、ここで、上記サイドリンクプロセスは、Ｖ２Ｘデータをサイドリンクで伝送するために用いられる。或いは、上記伝送数は、ハイブリッド自動再送要求（hybrid automatic repeat request、ＨＡＲＱ）プロセスの伝送数であってよい。本願発明の本実施形態では、上記Ｖ２Ｘデータパケットが、ＨＡＲＱメカニズムに基づいて再伝送されてよいことを理解されたい。
【００１５】
本願発明の本実施形態では、上記端末は、Ｖ２Ｘデータパケットの優先度及びＶ２Ｘ通信パラメータ値の範囲の間の上記対応関係に基づいて上記Ｖ２Ｘデータパケットを無線リソースで伝送する。従って、伝送リソースが不足する場合に、上記対応関係を設定することによって、より低い優先度を有するデータパケットの伝送信頼性を、ある程度、向上することができる。
【００１６】
第２態様によると、データパケット伝送方法が提供される。  上記データパケット伝送方法は、基地局から指示情報を端末によって受信する段階であって、ここで、上記指示情報は上記基地局によってスケジューリングされる無線リソースを上記端末に示すために用いられる、受信する段階と、第１データパケットを上記無線リソースで伝送する段階であって、ここで、上記無線リソースが、セミパーシステントスケジューリング（Semi-Persistent Scheduling、ＳＰＳ）無線リソース又はダイナミックスケジューリング無線リソースを有する、伝送する段階と、を備える。
【００１７】
上記端末が、Ｋ個のデータパケットを所定期間内に伝送する必要があると仮定すると、上記基地局は、上記期間の開始時点で、上記期間内に伝送される必要のある上記Ｋ個のデータパケットに対して、無線リソースを事前にスケジューリングすることを理解されたい。上記期間内の所定の時点で、データパケットが伝送される必要がある場合に、上記データパケットは、上記基地局によってスケジューリングされる上記無線リソースで、直接伝送される。所定期間内での上記端末によるデータ伝送のために、上記基地局によってスケジューリングされる上記無線リソースは、ＳＰＳ無線リソースである。ダイナミックスケジューリング無線リソースは、上記端末がデータパケットを現在伝送する必要がある場合に、上記端末によって現在伝送される必要のあるデータパケットのために基地局によってスケジューリングされる無線リソースである。
【００１８】
本願発明の一実施形態において、上記端末は、上記基地局によってスケジューリングされるＳＰＳ無線リソース又はダイナミックスケジューリング無線リソースで、データパケットを伝送する。従って、上記端末によって伝送する上記データパケットの効率が向上する。
【００１９】
可能な設計では、上記端末のために上記基地局によってスケジューリングされる上記無線リソースのサイズが上記第１データパケットにとって十分である可能性を向上させるべく、上記端末が、上記第１データパケットの前に伝送される複数のデータパケットの中で、予め設定される条件を満たすＮ個の第２データパケットを決定し、上記Ｎ個の第２データパケットに基づいてターゲットパラメータを決定し、上記ターゲットパラメータを上記基地局へ送信する。その結果、上記基地局は、上記ターゲットパラメータに基づいて、上記基地局によってスケジューリングされる上記無線リソースの上記サイズを決定する。ここで、Ｎは０以上の正の整数であり、上記ターゲットパラメータが、上記Ｎ個の第２データパケットの中の最大データパケットのサイズ、上記Ｎ個の第２データパケットの中の最小データパケットのサイズ及び上記Ｎ個の第２データパケットの平均サイズのうちの少なくとも１つのパラメータを有する。
【００２０】
本願発明の本実施形態において、上記予め設定される条件とは、上記第１データパケットに最も近く、かつ、上記第１データパケットの前に伝送されるデータパケットグループであってよいことに留意すべきである。上記データパケットグループはＭ個のデータパケットを有し、ここで、Ｍは０より大きい正の整数である。例えば、上記伝送される第１データパケットは、上記端末により伝送される第７データパケットである。Ｍの値が３である場合に、上記データパケットグループは、上記端末によって伝送される第４データパケット、第５データパケット及び第６データパケットを有する。或いは、上記予め設定される条件とは、上記第１データパケットの前に伝送される、予め設定される期間Ｔ内のデータパケットであってよい。例えば、上記予め設定される期間Ｔが１４：００から１４：２０であり、上記期間内に伝送されるデータパケットが第４データパケット及び第５データパケットを有する場合、上記第４データパケット及び上記第５データパケットは、上記予め設定される条件を満たすデータパケットである。上記期間内にデータパケットが伝送されない場合には、上記ターゲットパラメータが０に設定される。
【００２１】
上記Ｍ値又はＴ値は、上記端末で予め設定されてよい。或いは、上記基地局がＳＩＢ情報又はＲＲＣシグナリングを上記端末へ送信し、ここで、上記Ｍ値又はＴ値が、上記ＳＩＢ情報又は上記ＲＲＣシグナリングを用いて保持され、上記端末は、上記基地局によって送信される上記ＳＩＢ情報又は上記ＲＲＣシグナリングを受信することにより、上記Ｍ値又は上記Ｔ値を取得する。
【００２２】
上記端末は、伝送された過去のデータパケットに関連する情報を報告し、その結果、上記基地局は当該情報に基づいて上記無線リソースをスケジューリングすることができ、これにより、スケジューリングの精度及び効率が向上する。
【００２３】
可能な設計では、上記第１データパケットの伝送の成功の可能性を高めるべく、任意選択的に、上記基地局によってスケジューリングされた上記無線リソースを受信した後、上記端末が、最初に、上記基地局によってスケジューリングされる上記無線リソースの上記サイズが上記第１データパケットにとって十分か否かを決定する。そして、上記基地局によってスケジューリングされる上記無線リソースのサイズが第１データパケットにとって十分であると上記端末が決定する場合に、上記端末は、上記第１データパケットを上記基地局によってスケジューリングされた上記無線リソースで伝送する。或いは、上記基地局によってスケジューリングされる上記無線リソースのサイズが第１データパケットにとって不足すると上記端末が決定する場合に、上記端末は、リソース要求メッセージを上記基地局へ送信する。ここで、上記リソース要求メッセージは、上記基地局から無線リソースを要求するために用いられる。上記端末がリソース要求の送信に制限を設定する場合には、上記端末はリソース要求の送信の制限を解除し、ここで、リソース要求の送信の上記制限は、スケジューリング要求マスク（Scheduling Request-Mask、ＳＲ−Ｍａｓｋ）を含む。
【００２４】
本願発明の本実施形態では、上記リソース要求メッセージが、スケジューリング要求メッセージ又はユーザ補助情報を含んでよいことに留意すべきである。上記スケジューリング要求メッセージとは、上記端末によって上記基地局へ送信されるスケジューリング要求であり、データが端末側から送信されるべきであるが、対応するリソースが無いことを示す。上記スケジューリング要求を受信した後、上記基地局は、ユーザのための少数のリソースをスケジューリングし、その結果、上記ユーザは、上記基地局のバッファにおけるデータ量を報告する。引き続き、上記基地局が、上記ユーザによって報告される上記バッファにおける上記データ量に基づいて、上記ユーザがデータ送信するためのより多くのリソースを、スケジューリングする。上記スケジューリング要求情報は、物理アップリンク制御チャネル（Physical Uplink Control Channel、ＰＵＣＣＨ）又は物理ランダムアクセスチャネル（Physical Random Access Channel、ＰＲＡＣＨ）で伝送されてよい。上記ユーザ補助情報は、上記ユーザによって上記基地局へ報告されるユーザ関連情報であり、例えば、データパケットのデータ量、データ到着期間、データ到着時期、及び０番号が付与されるシステムフレームのオフセット等の情報である。その結果、上記基地局は、上記受信したユーザ補助情報に基づいて、上記ユーザのためにリソースをスケジューリングする。
【００２５】
可能な設計では、本願発明の本実施形態では、Ｖ２Ｘ通信をサポートする。具体的には、上記基地局によってスケジューリングされる上記無線リソースは、Ｖ２Ｘ通信に用いられる無線リソースであり、上記第１データパケットはＶ２Ｘデータパケットである。
【００２６】
第３態様によると、Ｖ２Ｘ通信方法が提供される。上記Ｖ２Ｘ通信方法は、基地局から第１リソースプール設定情報を端末によって受信する段階と、上記第１リソースプール設定情報に基づいて第１リソースプールを取得する段階と、次に、上記第１リソースプールを上記端末によって検出する段階と、検出結果に基づいて上記第１リソースプールにおける利用可能なリソースを決定する段階と、上記第１リソースプールにおける上記利用可能なリソースからＶ２Ｘ通信に用いられる無線リソースを、引き続き選択する段階と、最後に、上記選択された無線リソースでＶ２Ｘ通信を実行する段階と、を備える。
【００２７】
概して、Ｖ２Ｘ通信において、上記端末及び上記基地局の間の通信リンクの品質が比較的高い場合に、上記基地局は、上記端末のために無線リソースをスケジューリングしてよく、そして上記端末は、上記基地局によってスケジューリングされる上記無線リソースを用いることでＶ２Ｘ通信を実行してよいことに留意すべきである。上記端末及び上記基地局の間の上記通信リンクの上記品質が低下し、そして、上記通信リンクの上記品質が特定の程度にまで低下した場合、上記基地局は上記端末のために無線リソースをスケジューリングすることができない。上記端末は、上記基地局によって上記端末のために設定される共通リソースプールを検出して、Ｖ２Ｘ通信を実行すべく上記共通リソースプールから利用可能な無線リソースを取得する必要がある。しかしながら、上記基地局は上記端末のために無線リソースのスケジューリングをすることができず、上記端末は、上記基地局によって上記端末のために設定される上記共通リソースプールを検出するために、幾らかの時間を費やす必要がある。上記端末が上記期間内にＶ２Ｘ通信を実行する必要がある場合には、通信のための無線リソースが存在しないので、Ｖ２Ｘ通信を実行することができない。本願発明の一実施形態においては、上記端末及び上記基地局の間の上記通信リンクの上記品質が低下するものの、上記基地局が依然として上記端末へ無線リソースを割り当てることができる場合には、上記基地局は、上記端末のために上記第１リソースプールを設定することができ、上記端末は、上記第１リソースプールから無線リソースを取得する。上記基地局及び上記端末の間の上記通信リンクが特定の程度にまで低下し、上記端末のために無線リソースをスケジューリングすることができない場合には、上記端末は、上記第１リソースプールから取得される上記無線リソースを用いることで、Ｖ２Ｘ通信を実行することができ、これにより、ある程度、Ｖ２Ｘ通信の連続性を向上し、Ｖ２Ｘ通信サービスの遅延を減少させる。
【００２８】
可能な設計では、上記端末は、上記基地局から上記第１リソースプールの検出を開始するための指示メッセージを受信し、そして上記第１リソースプールを検出するか、又は、上記基地局への通信リンクの品質が予め設定される閾値より小さいことを決定した後に上記第１リソースプールを検出する。
【００２９】
概して、設定された第１リソースプールには、比較的少数の無線リソースが存在する。従って、上記基地局が上記端末のために無線リソースをスケジューリングすることができない程度に上記端末及び上記基地局の間の上記通信リンクの上記品質が低下した場合であって、同時に、上記端末が上記第１リソースプールから取得する上記無線リソースでＶ２Ｘ通信を実行する場合には、任意選択的に、第２リソースプールでのリソース検出が完了した後に、上記端末は、Ｖ２Ｘ通信を実行すべく、上記第２リソースプールにおける利用可能な無線リソースへ切り替える。
【００３０】
上記第２リソースプールの無線リソースは、上記第１リソースプールの無線リソースよりも多く、上記第２リソースプールは、従来技術における共通リソースプールと等しいことを理解されたい。具体的には、本願発明の本実施形態においては、上記端末が無線リソースを取得する従来の方式は変えない。上記基地局によってスケジューリングされる上記無線リソースを端末が取得することができない場合であって、かつ上記共通リソースプールの無線リソースが取得される前に、上記端末が上記第１リソースプールから取得される上記無線リソースを用いてＶ２Ｘ通信を実行することができ、これにより、Ｖ２Ｘ通信の連続性を向上する。
【００３１】
本願発明の本実施形態では、上記第１リソースプールは、或いは、共通リソースプールであってよいことに留意すべきである。
【００３２】
本願発明の本実施形態では、上記基地局は、上記端末のために上記第１リソースプールを設定し、次にＳＩＢ情報又はＲＲＣシグナリングを上記端末へ送信する。ここで、上記ＳＩＢ情報又は上記ＲＲＣシグナリングが上記第１リソースプール設定情報を保持しており、上記端末は、上記基地局によって送信される上記ＳＩＢ情報又は上記ＲＲＣシグナリングによって保持される上記第１リソースプール設定情報に基づいて、上記第１リソースプールを取得することに留意すべきである。上記基地局が、上記端末のために上記第２リソースプールを設定する場合に、上記端末が上記第２リソースプールを取得する方式は、上記端末が上記第１リソースプールを取得する方式と同様であり、詳細は、ここでは再度説明しない。
【００３３】
Ｖ２Ｘサービス及びＰ２Ｘサービスを含んだ異なるサービスのタイプが、Ｖ２Ｘ通信に含まれる。任意選択的に、上記第１リソースプール設定情報及び／又は第２リソースプール設定情報が、リソースプールのためのサービス指示情報を保持する。具体的には、上記第１リソースプール設定情報が上記リソースプールのための上記サービス指示情報を保持する場合に、上記サービス指示情報は、上記第１リソースプールが特定のサービスのタイプで用いることができるか否かを示すために用いられ、或いは、上記第２リソースプール設定情報が上記リソースプールのための上記サービス指示情報を保持する場合に、上記サービス指示情報は、上記第２リソースプールが特定のサービスのタイプで用いることができるか否かを示すために用いられる。上記リソースプールが特定のサービスのタイプで用いることができないことを上記サービス指示情報が示す場合には、当該サービスタイプは、当該リソースプールのリソースを通信に用いることができない。
【００３４】
Ｖ２Ｘ通信において、検出に基づくリソース選択メカニズム又はランダムなリソース選択メカニズムが用いられてよい。上記検出に基づくリソース選択メカニズムとは、上記端末が、ある期間中に上記リソースプールを検出した後にのみリソースプールにおける利用可能なリソースを決定することができ、そして、端末が、その次に、上記利用可能なリソースから通信のためのリソースを選択すること、を意味する。上記ランダムなリソース選択メカニズムとは、リソースプールを検出する代わりに、上記端末が、上記リソースプールからランダムにリソースを選択し、上記選択したリソースを用いて通信を実行すること、を意味する。任意選択的に、上記第１リソースプール設定情報及び／又は上記第２リソースプール設定情報は、リソースプールのためのリソース選択メカニズム指示情報を保持する。具体的には、上記第１リソースプール設定情報が、上記リソースプールのための上記リソース選択メカニズム指示情報を保持する場合に、上記リソース選択メカニズム指示情報は、上記第１リソースプールが、上記検出に基づくリソース選択メカニズムを用いるのか又は上記ランダムなリソース選択メカニズムを用いるのか、或いは、上記リソース選択メカニズムの両方が用いられ得るのか、を示すために用いられる。上記第２リソースプール設定情報が、上記リソースプールのための上記リソース選択メカニズム指示情報を保持する場合に、上記リソース選択メカニズム指示情報は、上記第２リソースプールが、上記検出に基づくリソース選択メカニズムを用いるのか又は上記ランダムなリソース選択メカニズムを用いるのか、或いは、上記リソース選択メカニズムの両方が用いられ得るのか、を示すために用いられる。上記リソース選択メカニズム指示情報が、上記リソースプールが特定のリソース選択メカニズムを用いることができないことを示す場合には、上記リソースプールを利用する端末は、リソース選択のためにそのようなリソース選択メカニズムを用いることができない。
【００３５】
第４態様によると、Ｖ２Ｘ通信方法が提供される。上記Ｖ２Ｘ通信方法は、Ｖ２Ｘデータパケットの優先度及びＶ２Ｘ通信パラメータ値の範囲の間の対応関係を基地局によって決定する段階と、上記対応関係を端末へ送信する段階とを備え、ここで、上記Ｖ２Ｘ通信パラメータは、ＭＣＳ、伝送数、伝送電力、及び占有ＲＢ数のうちの少なくとも１つのパラメータを有する。
【００３６】
可能な設計では、上記基地局は、システム情報ブロックＳＩＢ情報又は無線リソース制御プロトコルＲＲＣシグナリングを上記端末へ送信し、ここで、上記ＳＩＢ情報又は上記ＲＲＣシグナリングが、上記対応関係を保持する。
【００３７】
第５態様によると、データパケット伝送方法が提供される。上記データパケット伝送方法は、端末のために無線リソースを、基地局によってスケジューリングする段階と、指示情報を上記端末へ上記基地局によって送信する段階とを備え、ここで、上記指示情報が、上記端末のためにスケジューリングされる上記無線リソースを示すために用いられ、上記無線リソースが、セミパーシステントスケジューリングＳＰＳ無線リソース又はダイナミックスケジューリング無線リソースを備え、上記無線リソースは、上記端末が第１データパケットを伝送するのに用いられる。
【００３８】
可能な設計では、上記基地局は、上記端末からターゲットパラメータを受信し、上記ターゲットパラメータに基づいて、上記端末のためにスケジューリングされる上記無線リソースのサイズを決定し、次に上記端末のために上記無線リソースをスケジューリングする。ここで、上記ターゲットパラメータが、Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有する。ここで、Ｎは０以上の正の整数であり、上記Ｎ個の第２データパケットは、上記第１データパケットの前に上記端末によって伝送される複数のデータパケットの中で、予め設定される条件を満たすデータパケットである。
【００３９】
可能な設計では、上記基地局が、上記端末によって送信リソース要求メッセージを受信し、上記リソース要求メッセージに基づいて無線リソース指示を上記端末へ送信し、ここで、上記無線リソース指示は、上記端末によって送信される上記リソース要求メッセージを上記基地局が受信した後に、上記基地局によってスケジューリングされる上記無線リソースを上記端末へ示すために用いられ、上記リソース要求メッセージは上記基地局から無線リソースを要求するために用いられる。
【００４０】
可能な設計では、上記基地局によって決定される上記無線リソースは、Ｖ２Ｘ通信に用いられる無線リソースであり、上記第１データパケットはＶ２Ｘデータパケットである。
【００４１】
第６態様によると、Ｖ２Ｘ通信方法が提供される。上記Ｖ２Ｘ通信方法は、端末のために設定される第１リソースプールを基地局によって決定する段階と、第１リソースプール設定情報を上記端末へ送信する段階とを備える。
【００４２】
可能な設計では、上記基地局は、上記第１リソースプール設定情報を上記端末へ送信し、上記第１リソースプールの検出を開始するための指示メッセージを上記基地局へ送信する。
【００４３】
第７態様によると、Ｖ２Ｘ通信デバイスが提供される。上記Ｖ２Ｘ通信デバイスは、処理ユニット及び送受信ユニットを備える。上記処理ユニットは、Ｖ２Ｘデータパケットの優先度及びＶ２Ｘ通信パラメータ値の範囲の間の対応関係を取得し、上記Ｖ２Ｘデータパケットの上記優先度及び上記対応関係に基づいて、上記Ｖ２Ｘデータパケットの上記優先度に対応するＶ２Ｘ通信パラメータ値の範囲を決定し、上記決定したＶ２Ｘ通信パラメータ値の範囲からＶ２Ｘ通信パラメータ値を選択するように構成され、ここで、上記Ｖ２Ｘ通信パラメータが、変調及び符号化スキームＭＣＳ、伝送数、伝送電力、及び占有リソースブロックＲＢ数のうちの少なくとも１つのパラメータを有する。上記送受信ユニットは、上記選択したＶ２Ｘ通信パラメータ値に基づいて、上記Ｖ２Ｘデータパケットを無線リソースで伝送するように構成される。
【００４４】
可能な設計では、上記対応関係を取得する場合に、上記処理ユニットが、基地局によって送信され、上記送受信ユニットを用いて受信される、システム情報ブロックＳＩＢ情報又は無線リソース制御プロトコルＲＲＣシグナリングから上記対応関係を取得するように具体的に構成され、ここで、上記ＳＩＢ情報又は上記ＲＲＣシグナリングが、上記対応関係を保持する。又は、上記対応関係を取得する場合に、上記処理ユニットが、予め設定される対応関係を取得するように具体的に構成される。
【００４５】
第８態様によると、データパケット伝送デバイスが提供される。上記データパケット伝送デバイスは、送信ユニット、受信ユニット及び処理ユニットを備える。上記受信ユニットは、基地局から指示情報を受信するように構成される。ここで、上記指示情報は、上記端末のために上記基地局によってスケジューリングされる無線リソースを示すために用いられ、上記無線リソースはセミパーシステントスケジューリングＳＰＳ無線リソース又はダイナミックスケジューリング無線リソースを有する。上記送信ユニットは、上記基地局によってスケジューリングされる上記無線リソースで、第１データパケットを伝送するように構成される。
【００４６】
可能な設計では、上記処理ユニットは、上記基地局によってスケジューリングされる上記無線リソースを上記受信ユニットが受信する前に、上記第１データパケットの前に伝送される複数のデータパケットの中で、予め設定される条件を満たすＮ個の第２データパケットを決定し、そして、上記Ｎ個の第２データパケットに基づいてターゲットパラメータを決定するように構成される。その結果、上記基地局が上記ターゲットパラメータに基づいて、上記基地局によってスケジューリングされる上記無線リソースのサイズを決定する。ここで、Ｎは０以上の正の整数であり、上記ターゲットパラメータが、上記Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有する。上記送信ユニットが、上記ターゲットパラメータを上記基地局へ送信するように更に構成される。
【００４７】
可能な設計では、上記処理ユニットは、上記基地局によってスケジューリングされる上記無線リソースを上記受信ユニットが受信する後であって、かつ、上記送信ユニットが第１データパケットを伝送する前に、上記基地局によってスケジューリングされる上記無線リソースの上記サイズが、上記第１データパケットにとって十分であると決定するように更に構成される。
【００４８】
可能な設計では、上記送信ユニットは、上記基地局によってスケジューリングされる上記無線リソースの上記サイズが、上記第１データパケットにとって不足すると上記処理ユニットが決定する場合に、リソース要求メッセージを上記基地局へ送信するように更に構成され、ここで、上記リソース要求メッセージは、上記基地局から無線リソースを要求するために用いられる。
【００４９】
可能な設計では、上記基地局によってスケジューリングされる上記無線リソースは、Ｖ２Ｘ通信に用いられる無線リソースであり、上記第１データパケットはＶ２Ｘデータパケットである。
【００５０】
第９態様によると、Ｖ２Ｘ通信デバイスが提供される。上記Ｖ２Ｘ通信デバイスは、送受信ユニット及び処理ユニットを備える。上記送受信ユニットは、基地局から第１リソースプール設定情報を受信するように構成される。上記処理ユニットは、上記第１リソースプール設定情報に基づいて第１リソースプールを取得し、上記第１リソースプールを検出し、次に、検出結果に基づいて上記第１リソースプールにおける利用可能なリソースを決定し、上記第１リソースプールにおける上記利用可能なリソースからＶ２Ｘ通信に用いられる無線リソースを、引き続き選択するように構成される。最後に、上記送受信ユニットが、上記選択された無線リソースで、Ｖ２Ｘ通信を実行するように更に構成される。
【００５１】
可能な設計では、上記送受信ユニットは、上記基地局から上記第１リソースプールの検出を開始するための指示メッセージを受信するように更に構成され、又は、上記処理ユニットは、上記基地局への通信リンクの品質が予め設定される閾値より小さいことを決定するように更に構成される。
【００５２】
第１０態様によると、Ｖ２Ｘ通信基地局が提供される。上記Ｖ２Ｘ通信基地局は、処理ユニット及び送受信ユニットを備える。上記処理ユニットは、Ｖ２Ｘデータパケットの優先度及びＶ２Ｘ通信パラメータ値の範囲の間の対応関係を決定するように構成され、ここで、上記Ｖ２Ｘ通信パラメータが、変調及び符号化スキームＭＣＳ、伝送数、伝送電力、及び占有リソースブロックＲＢ数のうちの少なくとも１つのパラメータを有する。上記送受信ユニットは、上記対応関係を端末へ送信するように構成される。
【００５３】
可能な設計では、上記対応関係を上記端末へ送信する場合に、上記送受信ユニットが、システム情報ブロックＳＩＢ情報又は無線リソース制御プロトコルＲＲＣシグナリングを上記端末へ送信するように具体的に構成され、ここで、上記ＳＩＢ情報又は上記ＲＲＣシグナリングが、上記対応関係を保持する。
【００５４】
第１１態様によると、データパケット伝送基地局が提供される。上記データパケット伝送基地局は、処理ユニット及び送受信ユニットを備える。上記処理ユニットは、端末のために無線リソースをスケジューリングするように構成され、ここで、上記無線リソースは、セミパーシステントスケジューリングＳＰＳ無線リソース又はダイナミックスケジューリング無線リソースを有し、上記無線リソースは、上記端末が第１データパケットを伝送するのに用いられる。上記送受信ユニットは、指示情報を上記端末へ送信するように構成され、ここで、上記指示情報は、上記端末のためにスケジューリングされる上記無線リソースを示すために用いられる。
【００５５】
可能な設計では、上記送受信ユニットは、上記処理ユニットが上記無線リソースをスケジューリングする前に、上記端末からターゲットパラメータを受信するように更に構成され、ここで、上記ターゲットパラメータが、上記Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有し、ここで、Ｎは０以上の正の整数である。上記Ｎ個の第２データパケットは、上記第１データパケットの前に上記端末によって伝送される複数のデータパケットの中で、予め設定される条件を満たすデータパケットであり、上記処理ユニットは、上記ターゲットパラメータに基づいて、上記端末のためにスケジューリングされる上記無線リソースのサイズを決定するように更に構成される。
【００５６】
可能な設計では、上記送受信ユニットが、上記端末によって送信されるリソース要求メッセージを受信し、上記リソース要求メッセージに基づいて無線リソース指示を上記端末へ送信するように更に構成される。ここで、上記リソース要求メッセージは上記基地局から無線リソースを要求するために用いられ、ここで、上記無線リソース指示は、上記基地局が上記端末によって送信される上記リソース要求メッセージを受信した後に、上記基地局によってスケジューリングされる上記無線リソースを上記端末へ示すために用いられる。
【００５７】
可能な設計では、上記基地局によって決定される上記無線リソースは、Ｖ２Ｘ通信に用いられる無線リソースであり、上記第１データパケットはＶ２Ｘデータパケットである。
【００５８】
第１２態様によると、Ｖ２Ｘ通信基地局が提供される。上記Ｖ２Ｘ通信基地局は、処理ユニット及び送受信ユニットを備える。上記処理ユニットは、端末のために設定される第１リソースプールを決定するように構成される。上記送受信ユニットは、第１リソースプール設定情報を上記端末へ送信するように構成される。
【００５９】
可能な設計では、上記送受信ユニットは、上記第１リソースプールの検出を開始するための指示メッセージを、基地局へ送信するように更に構成される。
【００６０】
第１３態様によると、Ｖ２Ｘ通信システムが提供される。上記Ｖ２Ｘ通信システムは、上記第７態様における任意の可能な設計に係る上記デバイスと、上記第１０態様における任意の可能な設計に係る上記基地局と、を備える。
【００６１】
第１４態様によると、データパケット伝送のための通信システムが提供される。上記データパケット伝送のための上記通信システムは、上記第８態様における任意の可能な設計に係る上記デバイスと、上記第１１態様における任意の可能な設計に係る上記基地局と、を備える。
【００６２】
第１５態様によると、Ｖ２Ｘ通信システムが提供される。上記Ｖ２Ｘ通信システムは、上記第９態様における任意の可能な設計に係る上記デバイスと、上記第１２態様における任意の可能な設計に係る上記基地局と、を備える。
【図面の簡単な説明】
【００６３】
【図１】従来技術におけるＶ２Ｖ通信シナリオの概略図である。
【００６４】
【図２】本願発明の第１実施形態に係るＶ２Ｘ通信方法の概略フローチャートである。
【００６５】
【図３】本願発明の第２実施形態に係るデータパケット伝送方法の概略フローチャートである。
【００６６】
【図４】本願発明の第３実施形態に係るデータパケット伝送方法の概略フローチャートである
【００６７】
【図５】本願発明の第４実施形態に係るＶ２Ｘ通信方法の概略フローチャートである。
【００６８】
【図６】本願発明の一実施形態に係るＶ２Ｘ通信デバイスの概略構造図である。
【００６９】
【図７】本願発明の一実施形態に係るＶ２Ｘ通信デバイスのハードウェア構造の概略図である。
【００７０】
【図８】本願発明の一実施形態に係るＶ２Ｘ通信基地局の概略構造図である。
【００７１】
【図９】本願発明の一実施形態に係るＶ２Ｘ通信基地局のハードウェア構造の概略図である。
【００７２】
【図１０】本願発明の一実施形態に係るＶ２Ｘ通信基地局システムの概略構造図である。
【００７３】
【図１１】本願発明の一実施形態に係るデータパケット伝送デバイスの概略構造図である。
【００７４】
【図１２】本願発明の一実施形態に係るデータパケット伝送デバイスのハードウェア構造の概略図である。
【００７５】
【図１３】本願発明の一実施形態に係るデータパケット伝送基地局の概略構造図である。
【００７６】
【図１４】本願発明の一実施形態に係るデータパケット伝送基地局のハードウェア構造の概略図である。
【００７７】
【図１５】本願発明の一実施形態に係るデータパケット伝送システムの概略構造図である。
【００７８】
【図１６】本願発明の一実施形態に係るＶ２Ｘ通信デバイスの概略構造図である。
【００７９】
【図１７】本願発明の一実施形態に係るＶ２Ｘ通信デバイスのハードウェア構造の概略図である。
【００８０】
【図１８】本願発明の一実施形態に係るＶ２Ｘ通信基地局の概略構造図である。
【００８１】
【図１９】本願発明の一実施形態に係るＶ２Ｘ通信基地局のハードウェア構造の概略図である。
【００８２】
【図２０】本願発明の一実施形態に係るＶ２Ｘ通信基地局システムの概略構造図である。
【発明を実施するための形態】
【００８３】
本願発明の目的、技術的解決手段、及び利点をより明確にするべく、以下では更に、添付図面を参照して本願を詳細に説明する。
【００８４】
本願発明の第１実施形態がＶ２Ｘ通信へ適用される。本願発明の第１実施形態の端末は、また、ユーザ機器（(User Equipment、ＵＥ)、移動局（Mobile Station、ＭＳ）、モバイル端末（Mobile Terminal）等と称されてよい。任意選択的に、端末は、携帯電話、タブレットコンピュータ、携帯情報端末（Personal Digital Assistant、ＰＤＡ）、販売時点情報管理（Point of Sales、ＰＯＳ）、車載用コンピュータ、セットトップボックス等であってよい。
【００８５】
本願発明の第１実施形態では、端末は、Ｖ２Ｘデータパケットの優先度及びＶ２Ｘ通信パラメータ値の範囲の間の対応関係に基づいてＶ２Ｘデータパケットを無線リソースで伝送する。従って、伝送リソースが不足する場合に、対応関係を設定することによって、より低い優先度を有するデータパケットの伝送信頼性を、ある程度、向上することができる。
【００８６】
図２に示すように、本願発明の第１実施形態におけるＶ２Ｘ通信方法は、以下の段階を備える。
【００８７】
段階２００：端末が、Ｖ２Ｘデータパケットの優先度及びＶ２Ｘ通信パラメータ値の範囲の間の対応関係を取得する。ここで、Ｖ２Ｘ通信パラメータが、変調及び符号化スキーム（Modulation and Coding Scheme、ＭＣＳ）、伝送数、伝送電力、及び占有リソースブロック数（Resource Block、ＲＢ）のうちの少なくとも１つのパラメータを有する。
【００８８】
具体的には、優先度及びＶ２Ｘ通信パラメータ値の範囲の間の対応関係が、端末で予め設定されてよい。
【００８９】
加えて、Ｖ２Ｘデータパケットの優先度及びＶ２Ｘ通信パラメータの間の対応関係を決定した後に、基地局が、優先度及びＶ２Ｘ通信パラメータの間の対応関係を端末へ送信してよい。端末は、優先度及び基地局によって送信されたＶ２Ｘ通信パラメータ値の範囲の間の対応関係を受信することにより、優先度及びＶ２Ｘ通信パラメータ値の範囲の間の対応関係を取得する。
【００９０】
任意選択的に、優先度及びＶ２Ｘ通信パラメータ値の範囲の間の対応関係が基地局で予め設定される場合、優先度及び基地局によって決定されるＶ２Ｘ通信パラメータの間の対応関係は、優先度及び基地局で予め設定されるＶ２Ｘ通信パラメータの間の対応関係である。或いは、優先度及びＶ２Ｘ通信パラメータ値の範囲の間の対応関係を生成するためのアルゴリズムが基地局に予め設定されている場合、基地局は、基地局で予め設定されるアルゴリズムに基づいて、優先度及びＶ２Ｘ通信パラメータ値の範囲の間の対応関係を決定することを理解されたい。
【００９１】
基地局によって上記対応関係を端末へ送信する段階を容易にすべく、任意選択的に、基地局が、ＳＩＢ情報又はＲＲＣシグナリングを端末へ送信する。ここで、優先度及びＶ２Ｘ通信パラメータ値の範囲の間の対応関係は、ＳＩＢ情報又はＲＲＣシグナリングを用いることで保持され、端末は、基地局によって送信されるＳＩＢ情報又はＲＲＣシグナリングを受信することで、優先度及びＶ２Ｘ通信パラメータ値の範囲の間の対応関係を取得する。
【００９２】
段階２０１：端末が、Ｖ２Ｘデータパケットの優先度及び対応関係に基づいて、Ｖ２Ｘデータパケットの優先度に対応するＶ２Ｘ通信パラメータ値の範囲を決定する。
【００９３】
段階２０２：端末が、決定したＶ２Ｘ通信パラメータ値の範囲から、Ｖ２Ｘ通信パラメータ値を選択する。
【００９４】
段階２０３：端末が、選択したＶ２Ｘ通信パラメータ値に基づいて、Ｖ２Ｘデータパケットを無線リソースで伝送する。
【００９５】
異なる優先度は異なるＶ２Ｘ通信パラメータ値の範囲に対応し、異なる優先度に対応するＶ２Ｘ通信パラメータ値の範囲は互いに重複してよく、Ｖ２Ｘ通信パラメータ値の範囲が数値であってよく又は間隔であってよいことに留意すべきである。例えば、端末によって伝送されるＶ２Ｘデータパケットには、３つの優先度を有するＶ２Ｘデータパケットが存在する。具体的には、３つの優先度は、それぞれ、第１優先度、第２優先度、第３優先度であり、第１優先度を有するＶ２Ｘデータパケットの優先度が最も高く、第３優先度を有するＶ２Ｘデータパケットの優先度が最も低い。Ｖ２Ｘ通信パラメータがＭＣＳ、伝送数及び占有ＲＢ数を有する場合に、第１優先度に対応するＭＣＳ値の範囲は３から７であり、第１優先度に対応する伝送数は５から８であり、第１優先度に対応する占有ＲＢ数は１０から１６である。第２優先度に対応するＭＣＳ値の範囲は１から３であり、第２優先度に対応する伝送数は２から５であり、第２優先度に対応する占有ＲＢ数は４から１０である。第３優先度に対応するＭＣＳ値の範囲は０又は１であり、第３優先度に対応する伝送数は１であり、第３優先度に対応する占有ＲＢ数は２である。
【００９６】
具体的には、Ｖ２Ｘデータパケット優先度及びＶ２Ｘ通信パラメータ値の範囲の間の対応関係は、表１に示される。
【表１】
2019530335.tif 000024
【００９７】
現在伝送される必要があるＶ２Ｘデータパケットは、第１優先度を有するデータパケットであると端末が決定し、選択されるＭＣＳは５であり、伝送数は４である場合を仮定すると、現在伝送される必要があるＶ２Ｘデータパケットのサイズは固定されるので、Ｖ２Ｘデータパケットの伝送のために占有される必要のあるＲＢ数は、選択されたＭＣＳの値及び伝送数の値に基づいて決定することができ、決定される占有ＲＢ数の値は、Ｖ２ＸパラメータにおけるＲＢ数によって制約される。
【００９８】
好ましくは、伝送リソースが不足する場合に、より低い優先度を有するＶ２Ｘデータパケットの信頼できる伝送を保証すべく、より低い優先度に対応するＶ２Ｘ通信パラメータ値の範囲が設定されてよい。その結果、より低い優先度を有するＶ２Ｘデータパケットは、より少ない伝送リソースを占有し、これにより、伝送リソースが不足する場合に、より低い優先度を有するＶ２Ｘデータパケットの信頼性を、ある程度、向上する。加えて、より高い優先度を有するＶ２Ｘデータパケットを有するデータ伝送の精度を保証するべく、より高い優先度に対応するＶ２Ｘ通信パラメータ値の範囲が設定されてよく、より多くの伝送リソースが、より高い優先度に対応するデータパケットに割り当てられ、これにより、より高い優先度を有するＶ２Ｘデータパケットの精度を、ある程度、向上する。
【００９９】
加えて、本願発明の第１実施形態において、伝送数は、メディアアクセス制御（Media Access Control、ＭＡＣ）層におけるＶ２Ｘデータパケットの伝送数であってよい。ここで、Ｖ２Ｘデータパケットは、ＭＡＣ層においてパケットデータユニット（Packet Data Unit、ＰＤＵ）の形式で存在する。或いは、伝送数は、サイドリンクプロセスの伝送数であってよく、ここで、サイドリンクプロセスは、Ｖ２Ｘデータをサイドリンクで伝送するために用いられる。或いは、伝送数は、ＨＡＲＱプロセスの伝送数であってよい。本願発明の本実施形態では、Ｖ２Ｘデータパケットが、ＨＡＲＱメカニズムに基づいて再伝送されてよいことを理解されたい。
【０１００】
本願発明の第２実施形態が無線通信へ適用される。本願発明の第２実施形態の端末は、また、ＵＥ、ＭＳ、モバイル端末等と称されてよい。任意選択的に端末は、携帯電話、タブレットコンピュータ、ＰＤＡ、ＰＯＳ、車載用コンピュータ、セットトップボックス等であってよい。
【０１０１】
本願発明の第２実施形態では、端末は、基地局によってスケジューリングされるＳＰＳ無線リソース又はダイナミックスケジューリング無線リソースで、データパケットを伝送する。従って、端末によって伝送するデータパケットの効率が向上する。本願発明の実効利益は以下のとおりである。端末は、伝送された過去のデータパケットに関連する情報を報告し、その結果、基地局は当該情報に基づいて無線リソースをスケジューリングすることができ、これにより、スケジューリングの精度及び効率が向上する。
【０１０２】
以下では、無線通信がＶ２Ｘ通信である例を用いて詳細な説明を提供する。複数の無線通信が、別のタイプの無線通信である場合、説明はＶ２Ｘ通信に対するものと同様であるので、詳細はここでは再度説明しない。
【０１０３】
図３に示すように、本願発明の第２実施形態におけるデータパケット伝送方法は、以下の段階を備える。
【０１０４】
段階３００：基地局が、端末のために無線リソースをスケジューリングする。ここで、無線リソースは、ＳＰＳ無線リソース又はダイナミックスケジューリング無線リソースを有し、無線リソースは、端末が第１データパケットを伝送するのに用いられる。
【０１０５】
端末が、Ｋ個のデータパケットを所定期間内に伝送する必要があると仮定すると、基地局は、期間の開始時点で、期間内に伝送される必要のあるＫ個のデータパケットに対して、無線リソースを事前にスケジューリングすることを理解されたい。期間内の所定の時点で、データパケットが伝送される必要がある場合に、データパケットは、基地局によってスケジューリングされる無線リソースで、直接伝送される。所定期間内での端末によるデータ伝送のために、基地局によってスケジューリングされる無線リソースは、ＳＰＳ無線リソースである。ダイナミックスケジューリング無線リソースは、端末がデータパケットを現在伝送する必要がある場合に、端末によって現在伝送される必要のあるデータパケットのために基地局によってスケジューリングされる無線リソースである。
【０１０６】
端末のために基地局によってスケジューリングされる無線リソースのサイズが第１データパケットにとって十分である可能性を向上させるべく、端末は、任意選択的に、第１データパケットの前に伝送される複数のデータパケットの中で、予め設定される条件を満たすＮ個の第２データパケットを決定し、Ｎ個の第２データパケットに基づいてターゲットパラメータを決定し、ターゲットパラメータを基地局へ送信する。その結果、基地局は、ターゲットパラメータに基づいて、基地局によってスケジューリングされる無線リソースのサイズを決定する。ここで、Ｎは０以上の正の整数であり、ターゲットパラメータが、Ｎ個の第２データパケットの中の最大データパケットのサイズ、Ｎ個の第２データパケットの中の最小データパケットのサイズ、及びＮ個の第２データパケットの平均サイズのうちの少なくとも１つのパラメータを有する。
【０１０７】
本願発明の第２実施形態において、予め設定される条件とは、第１データパケットに最も近く、かつ、第１データパケットの前に伝送されるデータパケットグループであってよいことに留意すべきである。データパケットグループはＭ個のデータパケットを有し、ここで、Ｍは０より大きい正の整数である。例えば、伝送される第１データパケットは、端末により伝送される第７データパケットである。Ｍの値が２である場合に、データパケットグループは、端末によって伝送される第５データパケット及び第６データパケットを有する。或いは、予め設定される条件とは、第１データの前に伝送される、予め設定される期間Ｔ内のデータパケットであってよい。例えば、予め設定される期間Ｔが１５：００から１５：１０であり、この期間内に伝送されるデータパケットが第６データパケット及び第７データパケットを有する場合に、第６データパケット及び第７データパケットは、予め設定される条件を満たすデータパケットである。期間内にデータパケットが伝送されない場合には、ターゲットパラメータが０に設定される。
【０１０８】
Ｍ値又はＴ値は、端末で予め設定されてよく、或いは、基地局がＳＩＢ情報又はＲＲＣシグナリングを端末へ送信する。ここで、Ｍ値又はＴ値は、ＳＩＢ情報又はＲＲＣシグナリングを用いて保持され、端末は、基地局によって送信されるＳＩＢ情報又はＲＲＣシグナリングを受信することにより、Ｍ値又はＴ値を取得する。
【０１０９】
段階３０１：基地局が、端末へ指示情報を送信する。ここで、指示情報は無線リソースを示すために用いられる。
【０１１０】
段階３０２：端末が、基地局によって送信される指示情報を受信する。
【０１１１】
第１データパケットの伝送の成功の可能性を高めるべく、任意選択的に、基地局によってスケジューリングされた無線リソースを受信した後、端末が、最初に、基地局によってスケジューリングされる無線リソースのサイズが第１データパケットにとって十分か否かを決定する。次に、基地局によってスケジューリングされる無線リソースのサイズが第１データパケットにとって十分であると端末が決定する場合に、端末が、第１データパケットを基地局によってスケジューリングされた無線リソースで伝送する。或いは、基地局によってスケジューリングされる無線リソースのサイズが第１データパケットにとって不足すると端末が決定する場合に、端末は、リソース要求メッセージを基地局へ送信する。ここで、リソース要求メッセージは、基地局から無線リソースを要求するために用いられる。端末がリソース要求の送信に制限を設定する場合には、端末はリソース要求の送信における制限を解除する。ここで、リソース要求の送信に制限は、ＳＲ−Ｍａｓｋを含む。
【０１１２】
本願発明の本実施形態では、リソース要求メッセージが、スケジューリング要求メッセージ又はユーザ補助情報を含んでよいことに留意すべきである。スケジューリング要求メッセージとは、端末によって基地局へ送信されるスケジューリング要求であり、データが端末側から送信されるべきであるが、対応するリソースが無いことを示す。スケジューリング要求を受信した後、基地局は、ユーザのための少数のリソースをスケジューリングする。その結果、ユーザは、端末のバッファにおけるデータ量を報告する。引き続き、基地局が、ユーザによって報告されるバッファにおけるデータ量に基づいて、ユーザがデータ送信するためのより多くのリソースをスケジューリングする。スケジューリング要求情報は、ＰＵＣＣＨ又はＰＲＡＣＨで伝送されてよい。ユーザ補助情報は、ユーザによって基地局へ報告されるユーザ関連情報であり、例えば、データパケットのデータ量、データ到着期間、データ到着時期、及び、０番号が付与されるシステムフレームのオフセット等の情報である。その結果、基地局は、受信したユーザ補助情報に基づいて、ユーザのためにリソースをスケジューリングする。
【０１１３】
段階３０３：端末が、指示情報によって示される無線リソースで、第１データパケットを伝送する。
【０１１４】
任意選択的に、本願発明の第２実施形態では、Ｖ２Ｘ通信をサポートする。具体的には、基地局によってスケジューリングされる無線リソースはＶ２Ｘ通信に用いられる無線リソースであり、第１データパケットはＶ２Ｘデータパケットである。
【０１１５】
図４に示すように、本願発明の第３実施形態におけるデータパケット伝送方法は、以下の段階を備える。
【０１１６】
段階４００：第１データパケットが伝送される必要があると決定する場合に、端末は、第１データパケットの前に伝送される複数のデータパケットの中で、予め設定される条件を満たすＮ個の第２データパケットを決定する。ここで、Ｎは０以上の正の整数である。
【０１１７】
予め設定される条件とは、第１データパケットに最も近く、かつ、第１データパケットの前に伝送されるデータパケットグループであってよいことに留意すべきである。データパケットグループはＭ個のデータパケットを有し、ここで、Ｍは０より大きい正の整数である。例えば、伝送される第１データパケットは、端末により伝送される第７データパケットである。Ｍの値が３である場合に、データパケットグループは、端末によって伝送される第４データパケット、第５データパケット及び第６データパケットを有する。或いは、予め設定される条件とは、第１データの前に伝送される、予め設定される期間Ｔ内のデータパケットであってよい。例えば、予め設定される期間が１４：００から１４：２０であり、この期間内に伝送されるデータパケットが第４データパケット及び第５データパケットを有する場合、第４データパケット及び第５データパケットは、予め設定される条件を満たすデータパケットである。期間内にデータパケットが伝送されない場合には、ターゲットパラメータが０に設定される。
【０１１８】
Ｍ値又はＴ値は、端末で予め設定されてよく、或いは、基地局が、ＳＩＢ情報又はＲＲＣシグナリングを端末へ送信する。ここで、Ｍ値又はＴ値が、ＳＩＢ情報又はＲＲＣシグナリングを用いて保持され、端末は、基地局によって送信されるＳＩＢ情報又はＲＲＣシグナリングを受信することにより、Ｍ値又はＴ値を取得する。
【０１１９】
段階４０１：端末が、Ｎ個の第２データパケットに基づいてターゲットパラメータを決定する。ここで、ターゲットパラメータが、Ｎ個の第２データパケットの中の最大データパケットのサイズ、Ｎ個の第２データパケットの中の最小データパケットのサイズ、及びＮ個の第２データパケットの平均サイズのうちの少なくとも１つのパラメータを有する。
【０１２０】
段階４０２：端末が、ターゲットパラメータを基地局へ送信する。
【０１２１】
段階４０３：基地局が、ターゲットパラメータを受信し、ターゲットパラメータに基づいて端末のために無線リソースをスケジューリングする。ここで、無線リソースは、ＳＰＳ無線リソース又はダイナミックスケジューリング無線リソースを有し、無線リソースは、端末が第１データパケットを伝送するのに用いられる。
【０１２２】
段階４０４：基地局が、端末へ指示情報を送信する。ここで、指示情報は無線リソースを示すために用いられる。
【０１２３】
段階４０５：端末が、基地局によって送信される指示情報を受信する。
【０１２４】
段階４０６：端末が、指示情報によって示される無線リソースが第１データパケットにとって十分か否かを決定する。指示情報によって示される無線リソースが第１データパケットにとって十分である場合には、段階４０７を実行する。指示情報によって示される無線リソースが第１データパケットにとって不足する場合には、段階４０８を実行する。
【０１２５】
段階４０７：端末が、指示情報によって示される無線リソースで、第１データパケットを伝送する。
【０１２６】
段階４０８：端末が、リソース要求メッセージを基地局へ送信する。ここで、リソース要求メッセージは、基地局から無線リソースを要求するために用いられる。
【０１２７】
リソース要求メッセージが、スケジューリング要求メッセージ又はユーザ補助情報を含んでよいことに留意すべきである。スケジューリング要求メッセージとは、端末によって基地局へ送信されるスケジューリング要求であり、データが端末側から送信されるべきであるが、対応するリソースが無いことを示す。スケジューリング要求を受信した後、基地局は、ユーザのための少数のリソースをスケジューリングし、その結果、ユーザは、端末のバッファにおけるデータ量を報告する。引き続き、基地局が、ユーザによって報告されるバッファにおけるデータ量に基づいて、ユーザがデータ送信するためのより多くのリソースをスケジューリングする。スケジューリング要求情報は、ＰＵＣＣＨ又はＰＲＡＣＨで伝送されてよい。ユーザ補助情報は、ユーザによって基地局へ報告されるユーザ関連情報であり、例えば、データパケットのデータ量、データ到着期間、データ到着時期、及び、０番号が付与されたシステムフレームのオフセット等の情報であり、その結果、基地局は、受信したユーザ補助情報に基づいて、ユーザのためにリソースをスケジューリングする。
【０１２８】
段階４０９：基地局が、端末によって送信されるリソース要求メッセージを受信し、リソース要求メッセージに基づいて無線リソース指示を端末へ送信する。ここで、無線リソース指示は、端末によって送信されるリソース要求メッセージを基地局が受信した後に、基地局によってスケジューリングされる無線リソースを上記端末へ示すために用いられる。
【０１２９】
本願発明の第２実施形態及び第３実施形態では、第１データパケット及び第２データパケットは、Ｖ２Ｘデータパケットであり、端末のために基地局によってスケジューリングされる無線通信リソースは、Ｖ２Ｘ通信に用いられる無線リソースである。
【０１３０】
本願発明の第４実施形態がＶ２Ｘ通信へ適用され、本願発明の第４実施形態の端末が、また、ＵＥ、ＭＳ、モバイル端末等と称されてよい。任意選択的に、端末は、携帯電話、タブレットコンピュータ、ＰＤＡ、ＰＯＳ、車載用コンピュータ、セットトップボックス等であってよい。
【０１３１】
基地局によってスケジューリングされる無線リソースを端末が取得することができない場合であって、かつ共通リソースプールの無線リソースが取得される前に、端末が第１リソースプールから取得される無線リソースを用いてＶ２Ｘ通信を実行することができ、これにより、Ｖ２Ｘ通信の連続性を向上する。
【０１３２】
図５に示すように、本願発明の第４実施形態におけるＶ２Ｘ通信方法は、以下の段階を備える。
【０１３３】
段階５００：基地局が、端末のために設定される第１リソースプールを決定する。
【０１３４】
段階５０１：基地局が、第１リソースプール設定情報を端末へ送信する。
【０１３５】
段階５０２：端末が、基地局から第１リソースプール設定情報を受信する。
【０１３６】
段階５０３：端末が、第１リソースプール設定情報に基づいて第１リソースプールを取得する。
【０１３７】
段階５０４：端末が、第１リソースプールを検出し、検出結果に基づいて第１リソースプールにおける利用可能なリソースを決定する。
【０１３８】
任意選択的に、基地局が、第１リソースプールの検出を開始するための指示メッセージを端末へ送信する。端末は、第１リソースプールの検出を開始するための指示メッセージを基地局から受信し、そして、第１リソースプールを検出する。或いは、基地局への通信リンクの品質が予め設定される閾値より小さいことを決定した後に、端末は、第１リソースプールを検出する。
【０１３９】
端末への通信リンクの品質が、予め設定される閾値より小さいことを検出する場合に、基地局は、第１リソースプールの検出を開始するための指示メッセージを端末へ送信してよいことに留意すべきである。
【０１４０】
段階５０５：端末が、第１リソースプールにおける利用可能なリソースから、Ｖ２Ｘ通信に用いられる無線リソースを選択する。
【０１４１】
段階５０６：端末が、選択された無線リソースで、Ｖ２Ｘ通信を実行する。
【０１４２】
任意選択的に、端末が、第２リソースプールでのリソース検出を完了した後に、端末は、Ｖ２Ｘ通信を実行すべく、第２リソースプールにおける利用可能な無線リソースへ切り替える。
【０１４３】
好ましくは、第２リソースプールの無線リソースは、第１リソースプールの無線リソースよりも多い。
【０１４４】
概して、Ｖ２Ｘ通信において、端末及び基地局の間の通信リンクの品質が比較的高い場合に、基地局は、端末のために無線リソースをスケジューリングしてよく、そして端末は、基地局によってスケジューリングされる無線リソースを用いることでＶ２Ｘ通信を実行してよいことに留意すべきである。端末及び基地局の間の通信リンクの品質が低下し、そして、通信リンクの品質が特定の程度にまで低下した場合、基地局は端末のために無線リソースをスケジューリングすることができず、端末は、基地局によって端末のために設定される共通リソースプールを検出して、Ｖ２Ｘ通信を実行すべく共通リソースプールから利用可能な無線リソースを取得する必要がある。しかしながら、基地局は端末のために無線リソースのスケジューリングをすることができず、端末は、基地局によって端末のために設定される共通リソースプールを検出するために幾らかの時間を費やす必要がある。端末が期間内にＶ２Ｘ通信を実行する必要がある場合には、通信のための無線リソースが存在しないので、Ｖ２Ｘ通信を実行することができない。本願発明の一実施形態においては、端末及び基地局の間の通信リンクの品質が低下するものの、基地局が依然として端末へ無線リソースを割り当てることができる場合には、基地局は、端末のために第１リソースプールを設定することができ、端末は、第１リソースプールから無線リソースを取得する。基地局及び端末の間の通信リンクが特定の程度にまで低下し、端末のために無線リソースをスケジューリングすることができない場合には、端末は、第１リソースプールから取得される無線リソースを用いることで、Ｖ２Ｘ通信を実行することができ、これにより、ある程度、Ｖ２Ｘ通信の連続性を向上し、Ｖ２Ｘ通信サービスの遅延を減少させる。
【０１４５】
従って、基地局は、基地局及び端末の間の通信リンクが完全に切断される前に、端末のために第１リソースプールを設定する必要があり、そして、端末は、基地局及び端末の間の通信リンクが完全に切断される前に、第１リソースプールから利用可能な無線リソースを取得する。
【０１４６】
概して、設定された第１リソースプールには、比較的少数の無線リソースが存在する。従って、基地局が端末のために無線リソースをスケジューリングすることができない程度に端末及び基地局の間の通信リンクの品質が低下した場合であって、同時に、端末が第１リソースプールから取得する無線リソースでＶ２Ｘ通信を実行する場合には、任意選択的に、第２リソースプールでのリソース検出が完了した後に、端末は、Ｖ２Ｘ通信を実行すべく、第２リソースプールにおける利用可能な無線リソースへ切り替える。
【０１４７】
第２リソースプールの無線リソースは、第１リソースプールの無線リソースよりも多く、第２リソースプールは、従来技術における共通リソースプールと等しいことを理解されたい。具体的には、本願発明の第４実施形態においては、端末が無線リソースを取得する従来の方式は変えない。基地局によってスケジューリングされる無線リソースを端末が取得することができない場合であって、かつ共通リソースプールの無線リソースが取得される前に、端末は、第１リソースプールから取得される無線リソースを用いてＶ２Ｘ通信を実行することができ、これにより、Ｖ２Ｘ通信の連続性を向上する。
【０１４８】
本願発明の第４実施形態では、第１リソースプールは、或いは、共通リソースプールであってよいことに留意すべきである。
【０１４９】
本願発明の本実施形態では、基地局は、端末のために第１リソースプールを設定し、次にＳＩＢ情報又はＲＲＣシグナリングを端末へ送信し、ここで、ＳＩＢ情報又はＲＲＣシグナリングが第１リソースプール設定情報を保持しており、端末は、基地局によって送信されるＳＩＢ情報又はＲＲＣシグナリングによって保持される第１リソースプール設定情報に基づいて、第１リソースプールを取得することに留意すべきである。基地局が、端末のために第２リソースプールを設定する場合に、端末が第２リソースプールを取得する方式は、端末が第１リソースプールを取得する方式と同様であり、詳細は、ここでは再度説明しない。
【０１５０】
Ｖ２Ｘサービス及びＰ２Ｘサービスを含んだ異なるサービスのタイプが、Ｖ２Ｘ通信に含まれる。任意選択的に、第１リソースプール設定情報及び／又は第２リソースプール設定情報が、リソースプールのためのサービス指示情報を保持する。具体的には、第１リソースプール設定情報がリソースプールのためのサービス指示情報を保持する場合に、サービス指示情報は、第１リソースプールが特定のサービスのタイプで用いることができるか否かを示すために用いられ、或いは、第２リソースプール設定情報がリソースプールのためのサービス指示情報を保持する場合に、サービス指示情報は、第２リソースプールが特定のサービスのタイプで用いることができるか否かを示すために用いられる。リソースプールが特定のサービスのタイプで用いることができないことをサービス指示情報が示す場合には、当該サービスタイプは、当該リソースプールのリソースを通信に用いることができない。
【０１５１】
Ｖ２Ｘ通信において、検出に基づくリソース選択メカニズム又はランダムなリソース選択メカニズムが用いられてよい。検出に基づくリソース選択メカニズムとは、端末が、ある期間中にリソースプールを検出した後にのみリソースプールにおける利用可能なリソースを決定することができ、そして、端末が、その次に、当該利用可能なリソースから通信のためのリソースを選択すること、を意味する。ランダムなリソース選択メカニズムとは、リソースプールを検出する代わりに、端末が、リソースプールからランダムにリソースを選択し、選択したリソースを用いて通信を実行すること、を意味する。任意選択的に、第１リソースプール設定情報及び／又は第２リソースプール設定情報は、リソースプールのためのリソース選択メカニズム指示情報を保持する。具体的には、第１リソースプール設定情報が、リソースプールのためのリソース選択メカニズム指示情報を保持する場合に、リソース選択メカニズム指示情報は、第１リソースプールが、検出に基づくリソース選択メカニズムを用いるのか又はランダムなリソース選択メカニズムを用いるのか、或いは、リソース選択メカニズムの両方が用いられ得るのか、を示すために用いられる。第２リソースプール設定情報が、リソースプールのためのリソース選択メカニズム指示情報を保持する場合に、リソース選択メカニズム指示情報は、第２リソースプールが、検出に基づくリソース選択メカニズムを用いるのか又はランダムなリソース選択メカニズムを用いるのか、或いは、リソース選択メカニズムの両方が用いられ得るのか、を示すために用いられる。リソース選択メカニズム指示情報が、リソースプールが特定のリソース選択メカニズムを用いることができないことを示す場合には、リソースプールを利用する端末は、リソース選択のためにそのようなリソース選択メカニズムを用いることができない。
【０１５２】
同じ発明の発想に基づいて、本願発明の実施形態は、Ｖ２Ｘ通信デバイス、基地局、及びシステムを更に提供する。Ｖ２Ｘ通信デバイス、基地局、及びシステムに対応する方法は、本願発明の第１実施形態におけるＶ２Ｘ通信方法である。従って、本願発明の実施形態におけるＶ２Ｘ通信デバイス、基地局及びシステムに対する実装に対しては、上記方法の実装を参照し、繰り返される部分は、ここでは再度説明しない。
【０１５３】
図６に示すように、本願発明の第５実施形態におけるＶ２Ｘ通信デバイスは、処理ユニット６００及び送受信ユニット６１０を備える。処理ユニット６００は、Ｖ２Ｘデータパケットの優先度及びＶ２Ｘ通信パラメータ値の範囲の間の対応関係を取得し、Ｖ２Ｘデータパケットの優先度及び対応関係に基づいて、Ｖ２Ｘデータパケットの優先度に対応するＶ２Ｘ通信パラメータ値の範囲を決定し、決定したＶ２Ｘ通信パラメータ値の範囲からＶ２Ｘ通信パラメータ値を選択するように構成される。ここで、Ｖ２Ｘ通信パラメータが、変調及び符号化スキームＭＣＳ、伝送数、伝送電力、及び占有リソースブロックＲＢ数のうちの少なくとも１つのパラメータを有する。送受信ユニット６１０は、選択したＶ２Ｘ通信パラメータ値に基づいて、Ｖ２Ｘデータパケットを無線リソースで伝送するように構成される。
【０１５４】
任意選択的に、対応関係を取得する場合に、処理ユニット６００が、基地局によって送信され、送受信ユニット６１０を用いることで受信される、システム情報ブロックＳＩＢ情報又は無線リソース制御プロトコルＲＲＣシグナリングから対応関係を取得するように具体的に構成される。ここで、ＳＩＢ情報又はＲＲＣシグナリングが、対応関係を保持する。或いは、対応関係を取得する場合に、処理ユニット６００が、予め設定される対応関係を取得するように具体的に構成される。
【０１５５】
本願発明の本実施形態において、処理ユニット６００は、プロセッサによって実行されてよく、送受信ユニット６１０は送受信機によって実行されてよいことに留意すべきである。  図７に示すように、Ｖ２Ｘ通信デバイス７００は、プロセッサ７１０、送受信機７２０及びメモリ７３０を備えてよい。メモリ７３０は、デバイス７００の納入の際に予め設定されるプログラム／コードを格納するように構成されてよく、又は、プロセッサ７１０によって実行されるべきコードを格納する、等であってもよい。
【０１５６】
プロセッサ７１０は、一般的な中央処理装置（Central Processing Unit、ＣＰＵ）、マイクロプロセッサ、特定用途向け集積回路（Application Specific Integrated Circuit、ＡＳＩＣ）、又は、１つ又は複数の集積回路を用いてよく、本願発明の実施形態で提供される技術的解決手段を実装するための関連する諸動作を実行するように構成される。
【０１５７】
図７に示すデバイス７００に対して、プロセッサ７１０、送受信機７２０及びメモリ７３０のみが示されているが、具体的な実装例において、当業者であれば、デバイス７００が、通常の稼働を実行するための他の必要な構成要素を更に備えることを理解できることに留意すべきである。加えて、具体的な要求に従って、当業者であれば、デバイス７００が、別の追加の機能を実行するためのハードウェア構成要素を更に有してよいことを理解できる。更に、当業者であれば、図７に示される全ての構成要素を備える代わりに、本願発明の実施形態を実行するために必要な構成要素又はモジュールのみをデバイスが備えてよいことを、理解できる。
【０１５８】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、リードオンリメモリ（Read-Only Memory、ＲＯＭ）、ランダムアクセスメモリ（Random Access Memory、ＲＡＭ）等であってよい。
【０１５９】
図８に示すように、本願発明の一実施形態におけるＶ２Ｘ通信基地局は、処理ユニット８００及び送受信ユニット８１０を備える。処理ユニット８００は、Ｖ２Ｘデータパケットの優先度及びＶ２Ｘ通信パラメータ値の範囲の間の対応関係を決定するように構成され、ここで、上記Ｖ２Ｘ通信パラメータが、変調及び符号化スキームＭＣＳ、伝送数、伝送電力、及び占有リソースブロックＲＢ数のうちの少なくとも１つのパラメータを有する。送受信ユニット８１０は、対応関係を端末へ送信するように構成される。
【０１６０】
任意選択的に、対応関係を上記端末へ送信する場合に、送受信ユニット８１０が、システム情報ブロックＳＩＢ情報又は無線リソース制御プロトコルＲＲＣシグナリングを端末へ送信するように具体的に構成される。ここで、ＳＩＢ情報又はＲＲＣシグナリングが、対応関係を保持する。
【０１６１】
本願発明の本実施形態において、処理ユニット８００は、プロセッサによって実行されてよく、送受信ユニット８１０は送受信機によって実行されてよいことに留意すべきである。図９に示すように、Ｖ２Ｘ通信基地局９００は、プロセッサ９１０、送受信機９２０及びメモリ９３０を備えてよい。メモリ９３０は、基地局９００の納入の際に予め設定されるプログラム／コードを格納するように構成されてよく、又は、プロセッサ９１０によって実行されるべきコードを格納する、等であってもよい。
【０１６２】
プロセッサ９１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１６３】
図９に示す基地局９００に対して、プロセッサ９１０、送受信機９２０及びメモリ９３０のみが示されているが、具体的な実装例において、当業者であれば、基地局９００が、通常の稼働を実行するための他の必要な構成要素を更に備えることを理解できることに留意すべきである。加えて、具体的な要求に従って、当業者であれば、基地局９００が、別の追加の機能を実行するためのハードウェア構成要素を更に有してよいことを理解できる。更に、当業者であれば、図９に示す全ての構成要素を備える代わりに、本願発明の実施形態を実行するために必要な構成要素又はモジュールのみを基地局が備えてよいことを、理解できる。
【０１６４】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１６５】
図１０に示すように、本願発明の一実施形態におけるＶ２Ｘ通信システムは、本願発明の実施形態に係る図６に示す任意のデバイス１０００と、本願発明の実施形態に係る図８に示す任意の基地局１０１０とを備える。
【０１６６】
同じ発明の発想に基づいて、本願発明の実施形態は、データパケット伝送デバイス、基地局、及びシステムを更に提供する。データパケット伝送デバイス、基地局、及びシステムに対応する方法は、本願発明の第２実施形態及び第３実施形態におけるデータパケット伝送方法である。従って、本願発明の実施形態におけるデータパケット伝送デバイス、基地局、及びシステムに対する実装に対しては、上記方法の実装を参照し、繰り返される部分は、ここでは再度説明しない。
【０１６７】
図１１に示すように、本願発明の一実施形態におけるデータパケット伝送デバイスは、受信ユニット１１００、送信ユニット１１２０及び処理ユニット１１１０を備える。受信ユニット１１００は、基地局から指示情報を受信するように構成される。ここで、指示情報は、端末のために基地局によってスケジューリングされる無線リソースを示すために用いられ、無線リソースは、セミパーシステントスケジューリングＳＰＳ無線リソース又はダイナミックスケジューリング無線リソースを有する。送信ユニット１１２０は、基地局によってスケジューリングされる無線リソースで、第１データパケットを伝送するように構成される。
【０１６８】
任意選択的に、処理ユニット１１１０は、基地局によってスケジューリングされる無線リソースを受信ユニット１１００が受信する前に、第１データパケットの前に伝送される複数のデータパケットの中で、予め設定される条件を満たすＮ個の第２データパケットを決定し、そして、Ｎ個の第２データパケットに基づいてターゲットパラメータを決定することで、基地局がターゲットパラメータに基づいて、基地局によってスケジューリングされる無線リソースのサイズを決定するように構成される。ここで、Ｎは０以上の正の整数であり記ターゲットパラメータが、Ｎ個の第２データパケットの中の最大データパケットのサイズ、Ｎ個の第２データパケットの中の最小データパケットのサイズ、及びＮ個の第２データパケットの平均サイズのうちの少なくとも１つのパラメータを有する。送信ユニット１１２０が、ターゲットパラメータを基地局へ送信するように更に構成される。
【０１６９】
任意選択的に、処理ユニット１１１０は、基地局によってスケジューリングされる無線リソースを受信ユニット１１００が受信する後であって、かつ、送信ユニット１１２０が第１データパケットを伝送する前に、基地局によってスケジューリングされる無線リソースのサイズが、第１データパケットにとって十分であると決定するように更に構成される。
【０１７０】
任意選択的に、送信ユニット１１２０は、基地局によってスケジューリングされる無線リソースのサイズが、第１データパケットにとって不足すると処理ユニット１１１０が決定する場合に、リソース要求メッセージを基地局へ送信するように更に構成される。ここで、リソース要求メッセージは、基地局から無線リソースを要求するために用いられる。
【０１７１】
基地局によってスケジューリングされる無線リソースは、Ｖ２Ｘ通信に用いられる無線リソースであり、第１データパケットはＶ２Ｘデータパケットである。
【０１７２】
本願発明の本実施形態において、処理ユニット１１１０は、プロセッサによって実行されてよく、受信ユニット１１００及び送信ユニット１１２０は、送受信機によって実行されてよいことに留意すべきである。図１２に示すように、データパケット伝送デバイス１２００は、プロセッサ１２１０、送受信機１２２０及びメモリ１２３０を備えてよい。メモリ１２３０は、デバイス１２００の納入の際に予め設定されるプログラム／コードを格納するように構成されてよく、又は、プロセッサ１２１０によって実行されるべきコードを格納する、等であってもよい。
【０１７３】
プロセッサ１２１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１７４】
図１２に示すデバイス１２００に対して、プロセッサ１２１０、送受信機１２２０及びメモリ１２３０のみが示されているが、具体的な実装例において、当業者であれば、デバイス１２００が、通常の稼働を実行するための他の必要な構成要素を更に備えることを理解できることに留意すべきである。加えて、具体的な要求に従って、当業者であれば、デバイス１２００が、別の追加の機能を実行するためのハードウェア構成要素を更に有してよいことを理解できる。加えて、当業者であれば、図１２に示す全ての構成要素を備える代わりに、本願発明の実施形態を実行するために必要な構成要素又はモジュールのみをデバイスが備えてよいことを、理解できる。
【０１７５】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１７６】
図１３に示すように、データパケット伝送基地局は、処理ユニット１３００及び送受信ユニット１３１０を備える。処理ユニット１３００は、端末のために無線リソースをスケジューリングするように構成され、ここで、無線リソースは、セミパーシステントスケジューリングＳＰＳ無線リソース又はダイナミックスケジューリング無線リソースを有し、無線リソースは、端末が第１データパケットを伝送するのに用いられる。送受信ユニット１３１０は、指示情報を端末へ送信するように構成され、ここで、指示情報は、端末のためにスケジューリングされる無線リソースを示すために用いられる。
【０１７７】
任意選択的に、送受信ユニット１３１０は、処理ユニット１３００が無線リソースをスケジューリングする前に、端末のターゲットパラメータを受信するように更に構成される。ここで、ターゲットパラメータが、Ｎ個の第２データパケットの中の最大データパケットのサイズ、上記Ｎ個の第２データパケットの中の最小データパケットのサイズ、及び上記Ｎ個の第２データパケットの平均サイズのうちの少なくとも１つのパラメータを有し、ここで、Ｎは０以上の正の整数である。Ｎ個の第２データパケットは、第１データパケットの前に端末によって伝送される複数のデータパケットの中で、予め設定される条件を満たすデータパケットである。処理ユニット１３００は、ターゲットパラメータに基づいて、端末のためにスケジューリングされる無線リソースのサイズを決定するように更に構成される。
【０１７８】
任意選択的に、送受信ユニット１３１０が、端末によって送信されるリソース要求メッセージを受信し、リソース要求メッセージに基づいて無線リソース指示を端末へ送信するように更に構成される。ここで、リソース要求メッセージは基地局から無線リソースを要求するために用いられ、ここで、無線リソース指示は、基地局が端末によって送信されるリソース要求メッセージを受信した後に、基地局によってスケジューリングされる無線リソースを端末へ示すために用いられる。
【０１７９】
任意選択的に、基地局によって決定される無線リソースは、Ｖ２Ｘ通信に用いられる無線リソースであり、第１データパケットはＶ２Ｘデータパケットである。
【０１８０】
本願発明の本実施形態において、処理ユニット１３００は、プロセッサによって実行されてよく、送受信ユニット１３１０は、送受信機によって実行されてよいことに留意すべきである。図１４に示すように、データパケット伝送基地局１４００は、プロセッサ１４１０、送受信機１４２０及びメモリ１４３０を備えてよい。メモリ１４３０は、基地局１４００の納入の際に予め設定されるプログラム／コードを格納するように構成されてよく、又は、プロセッサ１４１０によって実行されるべきコードを格納する、等であってもよい。
【０１８１】
プロセッサ１４１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１８２】
図１４に示す基地局１４００に対して、プロセッサ１４１０、送受信機１４２０及びメモリ１４３０のみが示されているが、具体的な実装例において、当業者であれば、基地局１４００が、通常の稼働を実行するための他の必要な構成要素を更に備えることを理解できることに留意すべきである。加えて、具体的な要求に従って、当業者であれば、基地局１４００が、別の追加の機能を実行するためのハードウェア構成要素を更に有してよいことを理解できる。更に、当業者であれば、図１４に示す全ての構成要素を備える代わりに、本願発明の実施形態を実行するために必要な構成要素又はモジュールのみを基地局が備えてよいことを、理解できる。
【０１８３】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１８４】
図１５に示すように、本願発明の一実施形態におけるデータパケット伝送システムは、本願発明の実施形態に係る図１１に示す任意のデバイス１５００と、本願発明の実施形態に係る図１３に示す任意の基地局１５１０と、を備える。
【０１８５】
同じ発明の発想に基づいて、本願発明の実施形態は、Ｖ２Ｘ通信デバイス、基地局、及びシステムを更に提供する。Ｖ２Ｘ通信デバイス、基地局、及びシステムに対応する方法は、本願発明の第４実施形態におけるＶ２Ｘ通信方法である。従って、本願発明の実施形態におけるＶ２Ｘ通信デバイス、基地局、及びシステムに対する実装に対しては、上記方法の実装を参照し、繰り返される部分は、ここでは再度説明しない。
【０１８６】
図１６に示すように、本願発明の一実施形態におけるＶ２Ｘ通信デバイスは、送受信ユニット１６１０及び処理ユニット１６００を備える。送受信ユニット１６１０は、基地局から第１リソースプール設定情報を受信するように構成される。処理ユニット１６００は、第１リソースプール設定情報に基づいて第１リソースプールを取得し、第１リソースプールを検出し、次に、検出結果に基づいて第１リソースプールにおける利用可能なリソースを決定し、第１リソースプールにおける利用可能なリソースからＶ２Ｘ通信に用いられる無線リソースを、引き続き選択するように構成される。最後に、送受信ユニット１６１０が、選択された無線リソースで、Ｖ２Ｘ通信を実行するように更に構成される。
【０１８７】
任意選択的に、送受信ユニット１６１０は、基地局から第１リソースプールの検出を開始するための指示メッセージを受信するように更に構成され、又は、処理ユニット１６００は、基地局への通信リンクの品質が予め設定される閾値より小さいことを決定するように更に構成される。
【０１８８】
本願発明の本実施形態において、処理ユニット１６００は、プロセッサによって実行されてよく、送受信ユニット１６１０は送受信機によって実行されてよいことに留意すべきである。図１７に示すように、Ｖ２Ｘ通信デバイス１７００は、プロセッサ１７１０、送受信機１７２０、及び、メモリ１７３０を備えてよい。メモリ１７３０は、デバイス１７００の納入の際に予め設定されるプログラム／コードを格納するように構成されてよく、又は、プロセッサ１７１０によって実行されるべきコードを格納する、等であってもよい。
【０１８９】
プロセッサ１７１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１９０】
図１７に示すデバイス１７００に対して、プロセッサ１７１０、送受信機１７２０及びメモリ１７３０のみが示されているが、具体的な実装例において、当業者であれば、デバイス１７００が、通常の稼働を実行するための他の必要な構成要素を更に備えることを理解できることに留意すべきである。加えて、具体的な要求に従って、当業者であれば、デバイス１７００が、別の追加の機能を実行するためのハードウェア構成要素を更に有してよいことを理解できる。更に、当業者であれば、図１７に示される全ての構成要素を備える代わりに、本願発明の実施形態を実行するために必要な構成要素又はモジュールのみをデバイスが備えてよいことを、理解できる。
【０１９１】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１９２】
図１８に示すように、本願発明の一実施形態におけるＶ２Ｘ通信基地局は、処理ユニット１８００及び送受信ユニット１８１０を備える。処理ユニット１８００は、端末のために設定される第１リソースプールを決定するように構成される。送受信ユニット１８１０は、第１リソースプール設定情報を端末へ送信するように構成される。
【０１９３】
任意選択的に、送受信ユニット１８１０は、第１リソースプールの検出を開始するための指示メッセージを、基地局へ送信するように更に構成される。
【０１９４】
本願発明の本実施形態において、処理ユニット１８００は、プロセッサによって実行されてよく、送受信ユニット１８１０は送受信機によって実行されてよいことに留意すべきである。図１９に示すように、Ｖ２Ｘ通信基地局１９００は、プロセッサ１９１０、送受信機１９２０及びメモリ１９３０を備えてよい。メモリ１９３０は、基地局１９００の納入の際に予め設定されるプログラム／コードを格納するように構成されてよく、又は、プロセッサ１９１０によって実行されるべきコードを格納する、等であってもよい。
【０１９５】
プロセッサ１９１０は、一般的なＣＰＵ、マイクロプロセッサ、ＡＳＩＣ、又は、１つ又は複数の集積回路を用いてよく、本願発明の実施形態で提供される技術的解決手段を実装するための関連する諸動作を実行するように構成される。
【０１９６】
図１９に示す基地局１９００に対して、プロセッサ１９１０、送受信機１９２０及びメモリ１９３０のみが示されているが、具体的な実装例において、当業者であれば、基地局１９００が、通常の稼働を実行するための他の必要な構成要素を更に備えることを理解できることに留意すべきである。加えて、具体的な要求に従って、当業者であれば、基地局１９００が、別の追加の機能を実行するためのハードウェア構成要素を更に有してよいことを理解できる。更に、当業者であれば、図１９に示す全ての構成要素を備える代わりに、本願発明の実施形態を実行するために必要な構成要素又はモジュールのみを基地局が備えてよいことを、理解できる。
【０１９７】
当業者であれば、本実施形態の方法における手順の全て又は一部は、関連するハードウェアに指示を行うコンピュータプログラムによって実行されてよいことを、理解できる。プログラムは、コンピュータ可読記憶媒体に格納されてよい。プログラムを実行する場合に、方法の実施形態における複数の手順が含まれてよい。記憶媒体は、磁気ディスク、光ディスク、ＲＯＭ、ＲＡＭ等であってよい。
【０１９８】
図２０に示すように、本願発明の一実施形態におけるＶ２Ｘ通信システムは、本願発明の実施形態に係る図１６に示すデバイス２０００と、本願発明の実施形態に係る図１８に示す基地局２０１０と、を備える。
【０１９９】
先述の内容から、本願発明の実施形態において、端末が、Ｖ２Ｘデータパケットの優先度及びＶ２Ｘ通信パラメータ値の範囲の間の対応関係を取得し、Ｖ２Ｘデータパケットの優先度及び対応関係に基づいて、Ｖ２Ｘデータパケットの優先度に対応するＶ２Ｘ通信パラメータ値の範囲を決定し、引き続き、上記決定したＶ２Ｘ通信パラメータ値の範囲からＶ２Ｘ通信パラメータ値を選択し、最後に、選択したＶ２Ｘ通信パラメータ値に基づいてＶ２Ｘデータパケットを無線リソースで伝送することが、理解されてよい。Ｖ２Ｘ通信パラメータは、ＭＣＳ、伝送数、伝送電力、及び占有ＲＢ数のうちの少なくとも１つのパラメータを有する。技術的解決手段によると、端末は、Ｖ２Ｘデータパケットの優先度及びＶ２Ｘ通信パラメータ値の範囲の間の対応関係に基づいてＶ２Ｘデータパケットを無線リソースで伝送する。従って、伝送リソースが不足する場合に、対応関係を設定することによって、より低い優先度を有するデータパケットの伝送信頼性を、ある程度、向上することができる。
【０２００】
当業者であれば、本願発明の実施形態が、方法、システム、又はコンピュータプログラム製品として提供されてよいことを理解するはずである。従って、本願発明は、ハードウェアだけの実施形態、ソフトウェアだけの実施形態、又はソフトウェアとハードウェアとを組み合わせた実施形態の形式を用いてよい。その上、本願発明は、コンピュータ使用可能プログラムコードを含む１つ又は複数のコンピュータ使用可能記憶媒体（限定されないが、磁気ディスク記憶装置、ＣＤ−ＲＯＭ、及び光メモリ等を含む）において実現されるコンピュータプログラム製品の形式を用いてもよい。
【０２０１】
本願発明は、本願発明の実施形態に係る方法、デバイス（システム）、及びコンピュータプログラム製品のフローチャート及び／又はブロック図を参照して説明されている。フローチャート及び／又はブロック図の各プロセス及び／又は各ブロックと、フローチャート及び／又はブロック図のプロセス及び／又はブロックの組み合わせとを実装するために、コンピュータプログラム命令が用いられてよいことを理解されたい。これらのコンピュータプログラム命令は、マシンを生成するために、汎用コンピュータ、専用コンピュータ、組み込みプロセッサ又は任意の他のプログラム可能なデータ処理デバイスのプロセッサに対して提供されてよく、その結果、任意の他のプログラム可能なデータ処理デバイスのコンピュータ又はプロセッサにより実行される命令が、フローチャート内の１つ又は複数の処理及び／又はブロック図内の１つ又は複数のブロックにおける特定の機能を実行するために、装置を生成する。
【０２０２】
これらのコンピュータプログラム命令は、特定の方式で作動するように、コンピュータ又は任意の他のプログラム可能なデータ処理デバイスに命令できるコンピュータ可読メモリに格納されてよく、その結果、コンピュータ可読メモリに格納された命令は、命令装置を含むアーチファクトを生成する。命令装置は、フローチャートの１つ又は複数の処理及び／又はブロック図の１つ又は複数のブロックにおける特定の機能を実装する。
【０２０３】
これらのコンピュータプログラム命令は、コンピュータ又は別のプログラム可能データ処理デバイスにロードされてよく、その結果、一連の動作及び段階は、コンピュータ又は別のプログラム可能デバイスにおいて実行され、これにより、コンピュータ実装処理を生成する。従って、コンピュータ又は別のプログラム可能なデバイスで実行される命令は、フローチャートの１つ又は複数の処理及び／又はブロック図の１つ又は複数のブロックにおける特定の機能を実行するための段階を提供する。
【０２０４】
いくつかの好適な本願発明の実施形態が説明されたが、当業者であれば、基本的な発明の概念を一度認識すれば、これらの実施形態に変更及び修正を加えることが可能である。従って、以下の特許請求の範囲は、好適な実施形態と、本願発明の範囲に含まれる全ての変更及び修正とを網羅するものとして解釈されることが意図されている。
【０２０５】
当業者であれば、本願発明の範囲から逸脱することなく、本願発明に対する様々な修正及び変形を加えることができることが明らかである。本願発明は、これらの修正及び変形が以下の特許請求の範囲及びこれらの均等技術によって定義される保護範囲に含まれる限り、当該変形及び変更を包含するように意図される。
【国際調査報告】
2019530335.tif 000025
2019530335.tif 000026
2019530335.tif 000027
2019530335.tif 000028
2019530335.tif 000029
2019530335.tif 000030